(57)【要約】フレーム部を１／２４，１／２５，１／３０，１／５０もしくは１／６０秒毎に連なるものとして設定するとともに、各フレーム部を１１２５ライン部の連なりをもって形成し、各フレーム部における有効ライン部数を１０８０ライン部に設定し、サンプリング周波数を７４．２５もしくは１４８．５ＭＨｚに設定して、各ライン部における有効データサンプル数を１９２０もしくは１２８０サンプルに設定したもとで、量子化ビット数を１２ビットとし、各有効ライン部についての禁止コードを上位８ビットが１６進表現で００ｈもしくはＦＦｈとなる全ての１２ビットコードとして、ディジタル映像信号を成すディジタルデータを形成する。
2002062071.tif 000002
【特許請求の範囲】
【請求項１】
フレーム部を１／２４秒，１／２５秒もしくは１／３０秒毎に連なるものとして設定するとともに、各フレーム部を１１２５ライン部の連なりをもって形成し、各フレーム部における有効ライン部数を１０８０ライン部に設定し、サンプリング周波数を７４．２５ＭＨｚに設定して、各ライン部における有効データサンプル数を１９２０サンプルに設定したもとで、量子化ビット数を１２ビット，１４ビットもしくは１６ビットとし、量子化ビット数を１２ビットとするとき、各有効ライン部についての禁止コードを上位８ビットが１６進表現で００ｈもしくはＦＦｈ（添字ｈは１６進数であることをあらわす）となる全ての１２ビットコードとし、量子化ビット数を１４ビットとするとき、各有効ライン部についての禁止コードを上位８ビットが１６進表現で００ｈもしくはＦＦｈとなる全ての１４ビットコードとし、量子化ビット数を１６ビットとするとき、各有効ライン部についての禁止コードを上位８ビットが１６進表現で００ｈもしくはＦＦｈとなる全ての１６ビットコードとして、ディジタル映像信号を成すディジタルデータを形成するデータ形成方法。
【請求項２】
各ライン部をラインブランキング部と該ラインブランキング部に続く映像データ部とをもって形成し、上記映像データ部における有効データサンプル数を１９２０サンプルに設定することを特徴とする請求の範囲第１項記載のデータ形成方法。
【請求項３】
ディジタル映像信号を成すディジタルデータを、映像データ部を輝度信号情報をあらわすデータを配して構成した第１のデータ系列と、映像データ部を色差信号情報をあらわすデータを配して構成した第２のデータ系列との、並列配置をもって形成することを特徴とする請求の範囲第２項記載のデータ形成方法。
【請求項４】
ディジタル映像信号を成すディジタルデータを、映像データ部を緑色原色信号情報をあらわすデータを配して構成した第１のデータ系列と、映像データ部を青色原色信号情報をあらわすデータを配して構成した第２のデータ系列と、映像データ部を赤色原色信号情報をあらわすデータを配して構成した第３のデータ系列との、並列配置をもって形成することを特徴とする請求の範囲第２項記載のデータ形成方法。
【請求項５】
フレーム部を１／５０秒もしくは１／６０秒毎に連なるものとして設定するとともに、各フレーム部を１１２５ライン部の連なりをもって形成し、各フレーム部における有効ライン部数を１０８０ライン部に設定し、サンプリング周波数を１４８．５ＭＨｚに設定して、各ライン部における有効データサンプル数を１９２０サンプルに設定したもとで、量子化ビット数を１２ビット，１４ビットもしくは１６ビットとし、量子化ビット数を１２ビットとするとき、各有効ライン部についての禁止コードを上位８ビットが１６進表現で００ｈもしくはＦＦｈ（添字ｈは１６進数であることをあらわす）となる全ての１２ビットコードとし、量子化ビット数を１４ビットとするとき、各有効ライン部についての禁止コードを上位８ビットが１６進表現で００ｈもしくはＦＦｈとなる全ての１４ビットコードとし、量子化ビット数を１６ビットとするとき、各有効ライン部についての禁止コードを上位８ビットが１６進表現で００ｈもしくはＦＦｈとなる全ての１６ビットコードとして、ディジタル映像信号を成すディジタルデータを形成するデータ形成方法。
【請求項６】
各ライン部をラインブランキング部と該ラインブランキング部に続く映像データ部とをもって形成し、上記映像データ部における有効データサンプル数を１９２０サンプルに設定することを特徴とする請求の範囲第５項記載のデータ形成方法。
【請求項７】
ディジタル映像信号を成すディジタルデータを、映像データ部を輝度信号情報をあらわすデータを配して構成した第１のデータ系列と、映像データ部を色差信号情報をあらわすデータを配して構成した第２のデータ系列との、並列配置をもって形成することを特徴とする請求の範囲第６項記載のデータ形成方法。
【請求項８】
ディジタル映像信号を成すディジタルデータを、映像データ部を緑色原色信号情報をあらわすデータを配して構成した第１のデータ系列と、映像データ部を青色原色信号情報をあらわすデータを配して構成した第２のデータ系列と、映像データ部を赤色原色信号情報をあらわすデータを配して構成した第３のデータ系列との、並列配置をもって形成することを特徴とする請求の範囲第６項記載のデータ形成方法。
【請求項９】
フレーム部を１／６０秒毎に連なるものとして設定するとともに、各フレーム部を７５０ライン部の連なりをもって形成し、各フレーム部における有効ライン部数を７２０ライン部に設定し、各ライン部における有効データサンプル数を１２８０サンプルに設定したもとで、量子化ビット数を１２ビット，１４ビットもしくは１６ビットとし、量子化ビット数を１２ビットとするとき、各有効ライン部についての禁止コードを上位８ビットが１６進表現で００ｈもしくはＦＦｈ（添字ｈは１６進数であることをあらわす）となる全ての１２ビットコードとし、量子化ビット数を１４ビットとするとき、各有効ライン部についての禁止コードを上位８ビットが１６進表現で００ｈもしくはＦＦｈとなる全ての１４ビットコードとし、量子化ビット数を１６ビットとするとき、各有効ライン部についての禁止コードを上位８ビットが１６進表現で００ｈもしくはＦＦｈとなる全ての１６ビットコードとして、ディジタル映像信号を成すディジタルデータを形成するデータ形成方法。
【請求項１０】
各ライン部をラインブランキング部と該ラインブランキング部に続く映像データ部とをもって形成し、上記映像データ部における有効データサンプル数を１２８０サンプルに設定することを特徴とする請求の範囲第９項記載のデータ形成方法。
【請求項１１】
ディジタル映像信号を成すディジタルデータを、映像データ部を輝度信号情報をあらわすデータを配して構成した第１のデータ系列と、映像データ部を色差信号情報をあらわすデータを配して構成した第２のデータ系列との、並列配置をもって形成することを特徴とする請求の範囲第１０項記載のデータ形成方法。
【請求項１２】
ディジタル映像信号を成すディジタルデータを、映像データ部を緑色原色信号情報をあらわすデータを配して構成した第１のデータ系列と、映像データ部を青色原色信号情報をあらわすデータを配して構成した第２のデータ系列と、映像データ部を赤色原色信号情報をあらわすデータを配して構成した第３のデータ系列との、並列配置をもって形成することを特徴とする請求の範囲第１０項記載のデータ形成方法。
【請求項１３】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成し、上記第１及び第２のワード列データに夫々基づく第１及び第２のシリアルデータを得て、該第１及び第２のシリアルデータを伝送すべく送出するデータ伝送方法。
【請求項１４】
ディジタル映像信号を成すディジタルデータが、輝度信号情報をあらわすデータが配されて構成された第１のデータ系列と、色差信号情報をあらわすデータが配されて構成された第２のデータ系列との、並列配置をもって形成されたものとされることを特徴とする請求の範囲第１３項記載のデータ伝送方法。
【請求項１５】
第１及び第２のワード列データの夫々を、２０ビットワードが連なって成る２０ビットワード列データとすることを特徴とする請求の範囲第１３項記載のデータ伝送方法。
【請求項１６】
第１のシリアルデータに電光変換処理を施して第１の光信号を得るとともに、第２のシリアルデータに電光変換処理を施して第２の光信号を得、該第１及び第２の光信号を伝送することを特徴とする請求の範囲第１３項記載のデータ伝送方法。
【請求項１７】
第１のシリアルデータと第２のシリアルデータとを多重合成して多重シリアルデータを形成し、該多重シリアルデータに電光変換処理を施して光信号を得、該光信号を伝送することを特徴とする請求の範囲第１３項記載のデータ伝送方法。
【請求項１８】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１及び上記第２のワード列データに夫々基づく第１及び第２のシリアルデータを得て、該第１及び第２のシリアルデータを伝送すべく送出するデータ伝送方法。
【請求項１９】
ディジタル映像信号を成すディジタルデータが、緑色原色信号情報をあらわすデータが配されて構成された第１のデータ系列と、青色原色信号情報をあらわすデータが配されて構成された第２のデータ系列と、赤色原色信号情報をあらわすデータが配されて構成された第３のデータ系列との、並列配置をもって形成されたものとされることを特徴とする請求の範囲第１８項記載のデータ伝送方法。
【請求項２０】
第１及び第２のワード列データの夫々を、２０ビットワードが連なって成る２０ビットワード列データとすることを特徴とする請求の範囲第１８項記載のデータ伝送方法。
【請求項２１】
第１のシリアルデータに電光変換処理を施して第１の光信号を得るとともに、第２のシリアルデータに電光変換処理を施して第２の光信号を得、該第１及び第２の光信号を伝送することを特徴とする請求の範囲第１８項記載のデータ伝送方法。
【請求項２２】
第１のシリアルデータと第２のシリアルデータとを多重合成して多重シリアルデータを形成し、該多重シリアルデータに電光変換処理を施して光信号を得、該光信号を伝送することを特徴とする請求の範囲第１８項記載のデータ伝送方法。
【請求項２３】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各ライン部毎に第１のグループと第２のグループとに振り分ける処理を施して、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第３のワード列データと、分割された下位２ビット，４ビットもしくは６ビットに基づくワード伝送レートを７４．２５ＭＢｐｓとする第４のワード列データとを形成するとともに、上記第２のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第５のワード列データと、分割された下位２ビット，４ビットもしくは６ビットに基づくワード伝送レートを７４．２５ＭＢｐｓとする第６のワード列データとを形成し、上記第３，第４，第５及び第６のワード列データに夫々基づく第１，第２，第３及び第４のシリアルデータを得て、該第１，第２，第３及び第４のシリアルデータを伝送すべく送出するデータ伝送方法。
【請求項２４】
ディジタル映像信号を成すディジタルデータが、輝度信号情報をあらわすデータが配されて構成された第１のデータ系列と、色差信号情報をあらわすデータが配されて構成された第２のデータ系列との、並列配置をもって形成されたものとされることを特徴とする請求の範囲第２３項記載のデータ伝送方法。
【請求項２５】
第１及び第２のワード列データの夫々を、２０ビットワードが連なって成る２０ビットワード列データとすることを特徴とする請求の範囲第２３項記載のデータ伝送方法。
【請求項２６】
第１のシリアルデータと第２のシリアルデータとを多重合成して第１の多重シリアルデータを形成するとともに、第３のシリアルデータと第４のシリアルデータとを多重合成して第２の多重シリアルデータを形成し、上記第１及び第２の多重シリアルデータの夫々に電光変換処理を施して第１及び第２の光信号を得、該第１及び第２の光信号を伝送することを特徴とする請求の範囲第２３項記載のデータ伝送方法。
【請求項２７】
フレームレートを５０Ｈｚもしくは６０Ｈｚとし、各フレームにおけるライン数が１１２５ライン，各フレーム部における有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各ライン部毎に第１のグループと第２のグループとに振り分ける処理を施して、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１のワード列データに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第３のワード列データと、上記第２のグループを構成するデータに基づくワード伝送レートを７４．２５ＭＢｐｓとする第４のワード列データとを形成し、さらに、上記第２のワード列データに、各１２ビットワードを上位１０ビットと下位２ビットとに分割する処理を施し、分割された複数の上位１０ビットを第３のグループと第４のグループとに振り分けるとともに、分割された複数の下位２ビットを所定数ずつ多重して上記第４のグループに加え、上記第３のグループを構成するデータに基づくワード伝送レートを７４．２５ＭＢｐｓとする第５のワード列データと、上記第４のグループを構成するデータに基づくワード伝送レートを７４．２５ＭＢｐｓとする第６のワード列データとを形成し、上記第３，第４，第５及び第６のワード列データに夫々基づく第１，第２，第３及び第４のシリアルデータを得て、該第１，第２，第３及び第４のシリアルデータを伝送すべく送出するデータ伝送方法。
【請求項２８】
ディジタル映像信号を成すディジタルデータが、緑色原色信号情報をあらわすデータが配されて構成された第１のデータ系列と、青色原色信号情報をあらわすデータが配されて構成された第２のデータ系列と、赤色原色信号情報をあらわすデータが配されて構成された第３のデータ系列との、並列配置をもって形成されたものとされることを特徴とする請求の範囲第２７項記載のデータ伝送方法。
【請求項２９】
第３，第４，第５及び第６のワード列データの夫々を、２０ビットワードが連なって成る２０ビットワード列データとすることを特徴とする請求の範囲第２７項記載のデータ伝送方法。
【請求項３０】
第１のシリアルデータと第２のシリアルデータとを多重合成して第１の多重シリアルデータを形成するとともに、第３のシリアルデータと第４のシリアルデータとを多重合成して第２の多重シリアルデータを形成し、上記第１及び第２の多重シリアルデータの夫々に電光変換処理を施して第１及び第２の光信号を得、該第１及び第２の光信号を伝送することを特徴とする請求の範囲第２７項記載のデータ伝送方法。
【請求項３１】
フレームレートを６０Ｈｚとし、各フレームにおけるライン数が７５０ライン，各フレームにおける有効ライン数が７２０ライン，各ラインにおける有効データサンプル数が１２８０サンプルに設定され、量子化ビット数を１２ビット，１４ビットもしくは１６ビットとするディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成し、上記第１及び第２のワード列データに夫々基づく第１及び第２のシリアルデータを得て、該第１及び第２のシリアルデータを伝送すべく送出するデータ伝送方法。
【請求項３２】
ディジタル映像信号を成すディジタルデータが、輝度信号情報をあらわすデータが配されて構成された第１のデータ系列と、色差信号情報をあらわすデータが配されて構成された第２のデータ系列との、並列配置をもって形成されたものとされることを特徴とする請求の範囲第３１項記載のデータ伝送方法。
【請求項３３】
第１及び第２のワード列データの夫々を、２０ビットワードが連なって成る２０ビットワード列データとすることを特徴とする請求の範囲第３１項記載のデータ伝送方法。
【請求項３４】
第１のシリアルデータに電光変換処理を施して第１の光信号を得るとともに、第２のシリアルデータに電光変換処理を施して第２の光信号を得、該第１及び第２の光信号を伝送することを特徴とする請求の範囲第３１項記載のデータ伝送方法。
【請求項３５】
第１のシリアルデータと第２のシリアルデータとを多重合成して多重シリアルデータを形成し、該多重シリアルデータに電光変換処理を施して光信号を得、該光信号を伝送することを特徴とする請求の範囲第３１項記載のデータ伝送方法。
【請求項３６】
フレームレートを６０Ｈｚとし、各フレームにおけるライン数が７５０ライン，各フレームにおける有効ライン数が７２０ライン，各ラインにおける有効データサンプル数が１２８０サンプルに設定され、量子化ビット数を１２ビットとするディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１及び上記第２のワード列データに夫々基づく第１及び第２のシリアルデータを得て、該第１及び第２のシリアルデータを伝送すべく送出するデータ伝送方法。
【請求項３７】
ディジタル映像信号を成すディジタルデータが、緑色原色信号情報をあらわすデータが配されて構成された第１のデータ系列と、青色原色信号情報をあらわすデータが配されて構成された第２のデータ系列と、赤色原色信号情報をあらわすデータが配されて構成された第３のデータ系列との、並列配置をもって形成されたものとされることを特徴とする請求の範囲第３６項記載のデータ伝送方法。
【請求項３８】
第１及び第２のワード列データの夫々を、２０ビットワードが連なって成る２０ビットワード列データとすることを特徴とする請求の範囲第３６項記載のデータ伝送方法。
【請求項３９】
第１のシリアルデータに電光変換処理を施して第１の光信号を得るとともに、第２のシリアルデータに電光変換処理を施して第２の光信号を得、該第１及び第２の光信号を伝送することを特徴とする請求の範囲第３６項記載のデータ伝送方法。
【請求項４０】
第１のシリアルデータと第２のシリアルデータとを多重合成して多重シリアルデータを形成し、該多重シリアルデータに電光変換処理を施して光信号を得、該光信号を伝送することを特徴とする請求の範囲第３６項記載のデータ伝送方法。
【請求項４１】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１０ビットとしてワード伝送レートを７４．２５ＭＢｐｓとする輝度信号データ系列及び色差信号データ系列と、上記輝度信号データ系列と同等のデータフォーマットを有し、量子化ビット数を１０ビットとしてワード伝送レートを７４．２５ＭＢｐｓとする付加情報データ系列とを含む３０ビットパラレルデータに、上記輝度信号データ系列及び色差信号データ系列に基づく、ワード伝送レートを７４．２５ＭＢｐｓとする第１の２０ビットワード列データと、上記付加情報データ系列に基づく、ワード伝送レートを７４．２５ＭＢｐｓとする第２の２０ビットワード列データとを形成するデータ処理を施し、上記第１及び第２の２０ビットワード列データに夫々基づく第１及び第２のシリアルデータを得て、該第１及び第２のシリアルデータを伝送すべく送出するデータ伝送方法。
【請求項４２】
付加情報データ系列が、ディジタル映像信号についてのＫｅｙ信号情報をあらわすことを特徴とする請求の範囲第４１項記載のデータ伝送方法。
【請求項４３】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１０ビットとしてワード伝送レートを７４．２５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを７４．２５ＭＢｐｓとする付加情報データ系列とを含む４０ビットパラレルデータに、上記緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第１のワードグループと、上記付加情報データ系列を形成する１０ビットワードと上記青色原色信号データ系列及び赤色原色信号データ系列の夫々を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成するデータ処理を施し、上記第１及び第２の２０ビットワード列データに夫々基づく第１及び第２のシリアルデータを得て、該第１及び第２のシリアルデータを伝送すべく送出するデータ伝送方法。
【請求項４４】
付加情報データ系列が、ディジタル映像信号についてのＫｅｙ信号情報をあらわすことを特徴とする請求の範囲第４３項記載のデータ伝送方法。
【請求項４５】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビットとしてワード伝送レートを７４．２５ＭＢｐｓとする輝度信号データ系列及び色差信号データ系列と、上記輝度信号データ系列と同等のデータフォーマットを有し、量子化ビット数を１２ビットとしてワード伝送レートを７４．２５ＭＢｐｓとする付加情報データ系列とを含む３６ビットパラレルデータに、上記輝度信号データ系列，色差信号データ系列及び付加情報データ系列の夫々を形成する各１２ビットワードを、上位１０ビットと下位２ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記付加情報データ系列から分割された複数の上位１０ビット，上記輝度信号データ系列及び色差信号データ系列から分割された複数の下位２ビット及び上記付加情報データ系列から分割された複数の下位２ビットに基づく、ワード伝送レートを７４．２５ＭＢｐｓとする第２の２０ビットワード列データとを形成するデータ処理を施し、上記第１及び第２の２０ビットワード列データに夫々基づく第１及び第２のシリアルデータを得て、該第１及び第２のシリアルデータを伝送すべく送出するデータ伝送方法。
【請求項４６】
付加情報データ系列が、ディジタル映像信号についてのＫｅｙ信号情報をあらわすことを特徴とする請求の範囲第４５項記載のデータ伝送方法。
【請求項４７】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビット，１４ビットもしくは１６ビットとしてワード伝送レートを７４．２５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを７４．２５ＭＢｐｓとする付加情報データ系列とを含む３６ビット，４２ビットもしくは４８ビットパラレルデータに、上記輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するデータ処理を施し、上記第１，第２及び第３の２０ビットワード列データに夫々基づく第１，第２及び第３のシリアルデータを得て、該第１，第２及び第３のシリアルデータを伝送すべく送出するデータ伝送方法。
【請求項４８】
付加情報データ系列が、ディジタル映像信号についてのＫｅｙ信号情報をあらわすことを特徴とする請求の範囲第４７項記載のデータ伝送方法。
【請求項４９】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビットとしてワード伝送レートを７４．２５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを７４．２５ＭＢｐｓとする付加情報データ系列とを含む４８ビットパラレルデータに、上記緑色原色信号データ系列，青色原色信号データ系列，赤色原色信号データ系列及び付加情報データ系列の夫々を形成する各１２ビットワードを、上位１０ビットと下位２ビットにと分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットとに基づく、ワード伝送レートを７４．２５ＭＢｐｓとする第２の２０ビットワード列データと、上記付加情報データ系列から分割された複数の上位１０ビット及び複数の下位２ビットに基づく、ワード伝送レートを７４．２５ＭＢｐｓとする第３の２０ビットワード列データとを形成するデータ処理を施し、上記第１，第２及び第３の２０ビットワード列データに夫々基づく第１，第２及び第３のシリアルデータを得て、該第１，第２及び第３のシリアルデータを伝送すべく送出するデータ伝送方法。
【請求項５０】
付加情報データ系列が、ディジタル映像信号についてのＫｅｙ信号情報をあらわすことを特徴とする請求の範囲第４９項記載のデータ伝送方法。
【請求項５１】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定されたディジタル映像信号を成し、各々が量子化ビット数を１０ビットとしてワード伝送レートを１４８．５ＭＢｐｓとする輝度信号データ系列及び色差信号データ系列と、上記輝度信号データ系列と同等のデータフォーマットを有し、量子化ビット数を１０ビットとしてワード伝送レートを１４８．５ＭＢｐｓとする付加情報データ系列とを含む３０ビットパラレルデータに、上記輝度信号データ系列及び色差信号データ系列の夫々を各ライン部毎に振り分けて、各々がワード伝送レートを７４．２５ＭＢｐｓとする第１及び第２の２０ビットワード列データを形成するとともに、上記付加情報データ系列に基づく、ワード伝送レートを７４．２５ＭＢｐｓとする第３の２０ビットワード列データを形成するデータ処理を施し、上記第１，第２及び第３の２０ビットワード列データに夫々基づく第１，第２及び第３のシリアルデータを得て、該第１，第２及び第３のシリアルデータを伝送すべく送出するデータ伝送方法。
【請求項５２】
付加情報データ系列が、ディジタル映像信号についてのＫｅｙ信号情報をあらわすことを特徴とする請求の範囲第５１項記載のデータ伝送方法。
【請求項５３】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各有効ラインにおけるデータサンプル数が１９２０サンプルに設定されたディジタル映像信号を成し、各々が量子化ビット数を１０ビットとしてワード伝送レートを１４８．５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを１４８．５ＭＢｐｓとする付加情報データ系列とを含む４０ビットパラレルデータに、該４０ビットパラレルデータを各ライン部毎に振り分けて、各々がワード伝送レートを７４．２５ＭＢｐｓとする第１及び第２の分割４０ビットパラレルデータを形成する処理を施し、さらに、上記第１の分割４０ビットパラレルデータに含まれる緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第１のワードグループと、上記付加情報データ系列を形成する１０ビットワードと上記青色原色信号データ系列及び赤色原色信号データ系列の夫々を形成する１０ビットワードの他の一部とを含む第２のワードグループとに振り分けて、上記第１及び第２のワードグループに夫々基づく、各々がワード伝送レートを７４．２５ＭＢｐｓとする第１及び第２の２０ビットワード列データを形成するデータ処理を施すとともに、上記第２の分割４０ビットパラレルデータに含まれる緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第３のワードグループと、上記付加情報データ系列を形成する１０ビットワードと上記青色原色信号データ系列及び赤色原色信号データ系列の夫々を形成する１０ビットワードの他の一部とを含む第４のワードグループとに振り分けて、上記第３及び第４のワードグループに夫々基づく、各々がワード伝送レートを７４．２５ＭＢｐｓとする第３及び第４の２０ビットワード列データを形成するデータ処理を施し、上記第１，第２，第３及び第４の２０ビットワード列データに夫々基づく第１，第２，第３及び第４のシリアルデータを得て、該第１，第２，第３及び第４のシリアルデータを伝送すべく送出するデータ伝送方法。
【請求項５４】
付加情報データ系列が、ディジタル映像信号についてのＫｅｙ信号情報をあらわすことを特徴とする請求の範囲第５３項記載のデータ伝送方法。
【請求項５５】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定されたディジタル映像信号を成し、各々が量子化ビット数を１２ビット，１４ビットもしくは１６ビットとしてワード伝送レートを１４８．５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを１４８．５ＭＢｐｓとする付加情報データ系列とを含む３６ビット，４２ビットもしくは４８ビットパラレルデータに、該３６ビット，４２ビットもしくは４８ビットパラレルデータを各ライン部毎に振り分けて、各々がワード伝送レートを７４．２５ＭＢｐｓとする第１及び第２の分割３６ビット，４２ビットもしくは４８ビットパラレルデータを形成する処理を施し、さらに、上記第１の分割３６ビット，４２ビットもしくは４８ビットパラレルデータに含まれる輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するとともに、上記第２の分割３６ビット，４２ビットもしくは４８ビットパラレルデータに含まれる輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第４の２０ビットワード列データと、上記輝度信号データ系列及び色差信号データ系列から分割された複数の下位２ビット，４ビットもしくは６ビットに基づく、ワード伝送レートを７４．２５ＭＢｐｓとする第５の２０ビットワード列データと、上記付加情報データ系列から分割された複数の上位１０ビット及び複数の下位２ビット，４ビットもしくは６ビットに基づく、ワード伝送レートを７４．２５ＭＢｐｓとする第６の２０ビットワード列データとを形成するデータ処理を施し、上記第１，第２，第３，第４，第５及び第６の２０ビットワード列データに夫々基づく第１，第２，第３，第４，第５及び第６のシリアルデータを得て、該第１，第２，第３，第４，第５及び第６のシリアルデータを伝送すべく送出するデータ伝送方法。
【請求項５６】
付加情報データ系列が、ディジタル映像信号についてのＫｅｙ信号情報をあらわすことを特徴とする請求の範囲第５５項記載のデータ伝送方法。
【請求項５７】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各有効ラインにおけるデータサンプル数が１９２０サンプルに設定されたディジタル映像信号を成し、各々が量子化ビット数を１２ビットとしてワード伝送レートを１４８．５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを１４８．５ＭＢｐｓとする付加情報データ系列とを含む４８ビットパラレルデータに、該４８ビットパラレルデータを各ライン部毎に振り分けて、各々がワード伝送レートを７４．２５ＭＢｐｓとする第１及び第２の分割４８ビットパラレルデータを形成する処理を施し、さらに、上記第１の分割４８ビットパラレルデータに含まれる緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットとに基づく、ワード伝送レートを７４．２５ＭＢｐｓとする第２の２０ビットワード列データと、上記付加情報データ系列から分割された複数の上位１０ビット及び複数の下位２ビットに基づく、ワード伝送レートを７４．２５ＭＢｐｓとする第３の２０ビットワード列データとを形成するとともに、上記第２の分割４８ビットパラレルデータに含まれる緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする第４の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットとに基づく、ワード伝送レートを７４．２５ＭＢｐｓとする第５の２０ビットワード列データと、上記付加情報データ系列から分割された複数の上位１０ビット及び複数の下位２ビットに基づく、ワード伝送レートを７４．２５ＭＢｐｓとする第６の２０ビットワード列データとを形成するデータ処理を施し、上記第１，第２，第３，第４，第５及び第６の２０ビットワード列データに夫々基づく第１，第２，第３，第４，第５及び第６のシリアルデータを得て、該第１，第２，第３，第４，第５及び第６のシリアルデータを伝送すべく送出するデータ伝送方法。
【請求項５８】
付加情報データ系列が、ディジタル映像信号についてのＫｅｙ信号情報をあらわすことを特徴とする請求の範囲第５７項記載のデータ伝送方法。
【請求項５９】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１０ビットとしてワード伝送レートを７４．２５ＭＢｐｓとする輝度信号データ系列及び色差信号データ系列と、上記輝度信号データ系列と同等のデータフォーマットを有し、量子化ビット数を１０ビットとしてワード伝送レートを７４．２５ＭＢｐｓとする付加情報データ系列とを含む３０ビットパラレルデータに、上記輝度信号データ系列及び色差信号データ系列に基づく、ワード伝送レートを７４．２５ＭＢｐｓとする第１の２０ビットワード列データと、上記付加情報データ系列に基づく、ワード伝送レートを７４．２５ＭＢｐｓとする第２の２０ビットワード列データとを形成するデータ処理を施し、上記第１及び第２の２０ビットワード列データに夫々基づく第１及び第２のシリアルデータを得て、該第１及び第２のシリアルデータを伝送すべく送出するデータ伝送方法。
【請求項６０】
付加情報データ系列が、ディジタル映像信号についてのＫｅｙ信号情報をあらわすことを特徴とする請求の範囲第５９項記載のデータ伝送方法。
【請求項６１】
フレームレートを６０Ｈｚとし、各フレームにおけるライン数が７５０ライン，各フレームにおける有効ライン数が７２０ライン，各ラインにおける有効データサンプル数が１２８０ンプルに設定されたディジタル映像信号を成し、各々が量子化ビット数を１０ビットとしてワード伝送レートを７４．２５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを７４．２５ＭＢｐｓとする付加情報データ系列とを含む４０ビットパラレルデータに、上記緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第１のワードグループと、上記付加情報データ系列を形成する１０ビットワードと上記青色原色信号データ系列及び赤色原色信号データ系列の夫々を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成するデータ処理を施し、上記第１及び第２の２０ビットワード列データに夫々基づく第１及び第２のシリアルデータを得て、該第１及び第２のシリアルデータを伝送すべく送出するデータ伝送方法。
【請求項６２】
付加情報データ系列が、ディジタル映像信号についてのＫｅｙ信号情報をあらわすことを特徴とする請求の範囲第６１項記載のデータ伝送方法。
【請求項６３】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１２ビットとしてワード伝送レートを７４．２５ＭＢｐｓとする輝度信号データ系列及び色差信号データ系列と、上記輝度信号データ系列と同等のデータフォーマットを有し、量子化ビット数を１２ビットとしてワード伝送レートを７４．２５ＭＢｐｓとする付加情報データ系列とを含む３６ビットパラレルデータに、上記輝度信号データ系列，色差信号データ系列及び付加情報データ系列の夫々を形成する各１２ビットワードを、上位１０ビットと下位２ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記付加情報データ系列から分割された複数の上位１０ビット，上記輝度信号データ系列及び色差信号データ系列から分割された複数の下位２ビット及び上記付加情報データ系列から分割された複数の下位２ビットに基づく、ワード伝送レートを７４．２５ＭＢｐｓとする第２の２０ビットワード列データとを形成するデータ処理を施し、上記第１及び第２の２０ビットワード列データに夫々基づく第１及び第２のシリアルデータを得て、該第１及び第２のシリアルデータを伝送すべく送出するデータ伝送方法。
【請求項６４】
付加情報データ系列が、ディジタル映像信号についてのＫｅｙ信号情報をあらわすことを特徴とする請求の範囲第６３項記載のデータ伝送方法。
【請求項６５】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１２ビット，１４ビットもしくは１６ビットとしてワード伝送レートを７４．２５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを７４．２５ＭＢｐｓとする付加情報データ系列とを含む３６ビット，４２ビットもしくは４８ビットパラレルデータに、上記輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するデータ処理を施し、上記第１，第２及び第３の２０ビットワード列データに夫々基づく第１，第２及び第３のシリアルデータを得て、該第１，第２及び第３のシリアルデータを伝送すべく送出するデータ伝送方法。
【請求項６６】
付加情報データ系列が、ディジタル映像信号についてのＫｅｙ信号情報をあらわすことを特徴とする請求の範囲第６５項記載のデータ伝送方法。
【請求項６７】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１２ビットとしてワード伝送レートを７４．２５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを７４．２５ＭＢｐｓとする付加情報データ系列とを含む４８ビットパラレルデータに、上記緑色原色信号データ系列，青色原色信号データ系列，赤色原色信号データ系列及び付加情報データ系列の夫々を形成する各１２ビットワードを、上位１０ビットと下位２ビットにと分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットとに基づく、ワード伝送レートを７４．２５ＭＢｐｓとする第２の２０ビットワード列データと、上記付加情報データ系列から分割された複数の上位１０ビット及び複数の下位２ビットに基づく、ワード伝送レートを７４．２５ＭＢｐｓとする第３の２０ビットワード列データとを形成するデータ処理を施し、上記第１，第２及び第３の２０ビットワード列データに夫々基づく第１，第２及び第３のシリアルデータを得て、該第１，第２及び第３のシリアルデータを伝送すべく送出するデータ伝送方法。
【請求項６８】
付加情報データ系列が、ディジタル映像信号についてのＫｅｙ信号情報をあらわすことを特徴とする請求の範囲第６７項記載のデータ伝送方法。
【請求項６９】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項７０】
フレームレートを２４Ｈｚ，２５Ｈｚもしくは３０Ｈｚとし、各フレームにおけるライン数が１１２５ライン部，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項７１】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各ライン部毎に第１のグループと第２のグループとに振り分ける処理を施して、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第３のワード列データと、分割された下位２ビット，４ビットもしくは６ビットに基づくワード伝送レートを７４．２５ＭＢｐｓとする第４のワード列データとを形成するとともに、上記第２のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第５のワード列データと、分割された下位２ビット，４ビットもしくは６ビットに基づくワード伝送レートを７４．２５ＭＢｐｓとする第６のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記データ処理部から得られる第３のワード列データに基づく第３のシリアルデータを得る第３のパラレル／シリアル変換部と、
上記データ処理部から得られる第４のワード列データに基づく第４のシリアルデータを得る第４のパラレル／シリアル変換部と、
上記第１，第２，第３及び第４のパラレル／シリアル変換部から夫々得られる第１，第２，第３及び第４のシリアルデータを伝送すべく送出するデータ送出部と、
を備えて構成されるデータ伝送装置。
【請求項７２】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各ライン部毎に第１のグループと第２のグループとに振り分ける処理を施して、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成し、上記第１のワード列データに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第３のワード列データと、上記第２のグループを構成するデータに基づくワード伝送レートを７４．２５ＭＢｐｓとする第４のワード列データとを形成し、さらに、上記第２のワード列データに、各１２ビットワードを上位１０ビットと下位２ビットとに分割する処理を施し、分割された複数の上位１０ビットを第３のグループと第４のグループとに振り分けるとともに、分割された複数の下位２ビットを所定数ずつ多重して上記第４のグループに加え、上記第３のグループを構成するデータに基づくワード伝送レートを７４．２５ＭＢｐｓとする第５のワード列データと、上記第４のグループを構成するデータに基づくワード伝送レートを７４．２５ＭＢｐｓとする第６のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記データ処理部から得られる第３のワード列データに基づく第３のシリアルデータを得る第３のパラレル／シリアル変換部と、
上記データ処理部から得られる第４のワード列データに基づく第４のシリアルデータを得る第４のパラレル／シリアル変換部と、
上記第１，第２，第３及び第４のパラレル／シリアル変換部から夫々得られる第１，第２，第３及び第４のシリアルデータを伝送すべく送出するデータ送出部と、
を備えて構成されるデータ伝送装置。
【請求項７３】
フレームレートを６０Ｈｚとし、各フレームにおけるライン数が７５０ライン，各フレームにおける有効ライン数が７２０ライン，各ラインにおける有効データサンプル数が１２８０サンプルに設定され、量子化ビット数を１２ビット，１４ビットもしくは１６ビットとするディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項７４】
フレームレートを６０Ｈｚとし、各フレームにおけるライン数が７５０ライン部，各フレームにおける有効ライン数が７２０ライン，各ラインにおける有効データサンプル数が１２８０サンプルに設定され、量子化ビット数を１２ビットとするディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して上記第２のグループに加え、上記第１のグループを構成するデータに基づくワード伝送レートを７４．２５ＭＢｐｓとする第１のワード列データと、上記第２のグループを構成するデータに基づくワード伝送レートを７４．２５ＭＢｐｓとする第２のワード列データとを形成するデータ処理部と、
該データ処理部から得られる第１のワード列データに基づく第１のシリアルデータを得る第１のパラレル／シリアル変換部と、
上記データ処理部から得られる第２のワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項７５】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１０ビットとしてワード伝送レートを７４．２５ＭＢｐｓとする輝度信号データ系列及び色差信号データ系列と、上記輝度信号データ系列と同等のデータフォーマットを有し、量子化ビット数を１０ビットとしてワード伝送レートを７４．２５ＭＢｐｓとする付加情報データ系列とを含む３０ビットパラレルデータに、上記輝度信号データ系列及び色差信号データ系列に基づく、ワード伝送レートを７４．２５ＭＢｐｓとする第１の２０ビットワード列データと、上記付加情報データ系列に基づく、ワード伝送レートを７４．２５ＭＢｐｓとする第２の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項７６】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１０ビットとしてワード伝送レートを７４．２５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを７４．２５ＭＢｐｓとする付加情報データ系列とを含む４０ビットパラレルデータに、上記緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第１のワードグループと、上記付加情報データ系列を形成する１０ビットワードと上記青色原色信号データ系列及び赤色原色信号データ系列の夫々を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項７７】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビットとしてワード伝送レートを７４．２５ＭＢｐｓとする輝度信号データ系列及び色差信号データ系列と、上記輝度信号データ系列と同等のデータフォーマットを有し、量子化ビット数を１２ビットとしてワード伝送レートを７４．２５ＭＢｐｓとする付加情報データ系列とを含む３６ビットパラレルデータに、上記輝度信号データ系列，色差信号データ系列及び付加情報データ系列の夫々を形成する各１２ビットワードを、上位１０ビットと下位２ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記付加情報データ系列から分割された複数の上位１０ビット，上記輝度信号データ系列及び色差信号データ系列から分割された複数の下位２ビット及び上記付加情報データ系列から分割された複数の下位２ビットに基づく、ワード伝送レートを７４．２５ＭＢｐｓとする第２の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項７８】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビット，１４ビットもしくは１６ビットとしてワード伝送レートを７４．２５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを７４．２５ＭＢｐｓとする付加情報データ系列とを含む３６ビット，４２ビットもしくは４８ビットパラレルデータに、上記輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第１，第２及び第３のパラレル／シリアル変換部から夫々得られる第１，第２及び第３のシリアルデータを伝送すべく送出するデータ送出部と、
を備えて構成されるデータ伝送装置。
【請求項７９】
フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビットとしてワード伝送レートを７４．２５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを７４．２５ＭＢｐｓとする付加情報データ系列とを含む４８ビットパラレルデータに、上記緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットとに基づく、ワード伝送レートを７４．２５ＭＢｐｓとする第２の２０ビットワード列データと、上記付加情報データ系列から分割された複数の上位１０ビット及び複数の下位２ビットに基づく、ワード伝送レートを７４．２５ＭＢｐｓとする第３の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第１，第２及び第３のパラレル／シリアル変換部から夫々得られる第１，第２及び第３のシリアルデータを伝送すべく送出するデータ送出部と、
を備えて構成されるデータ伝送装置。
【請求項８０】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定されたディジタル映像信号を成し、各々が量子化ビット数を１０ビットとしてワード伝送レートを１４８．５ＭＢｐｓとする輝度信号データ系列及び色差信号データ系列と、上記輝度信号データ系列と同等のデータフォーマットを有し、量子化ビット数を１０ビットとしてワード伝送レートを１４８．５ＭＢｐｓとする付加情報データ系列とを含む３０ビットパラレルデータに、上記輝度信号データ系列及び色差信号データ系列の夫々を各ライン部毎に振り分けて、各々がワード伝送レートを７４．２５ＭＢｐｓとする第１及び第２の２０ビットワード列データを形成するとともに、上記付加情報データ系列に基づく、ワード伝送レートを７４．２５ＭＢｐｓとする第３の２０ビットワード列データを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第１，第２及び第３のパラレル／シリアル変換部から夫々得られる第１，第２及び第３のシリアルデータを伝送すべく送出するデータ送出部と、
を備えて構成されるデータ伝送装置。
【請求項８１】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各有効ラインにおけるデータサンプル数が１９２０サンプルに設定されたディジタル映像信号を成し、各々が量子化ビット数を１０ビットとしてワード伝送レートを１４８．５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを１４８．５ＭＢｐｓとする付加情報データ系列とを含む４０ビットパラレルデータに、該４０ビットパラレルデータを各ライン部毎に振り分けて、各々がワード伝送レートを７４．２５ＭＢｐｓとする第１及び第２の分割４０ビットパラレルデータを形成する処理を施し、さらに、上記第１の分割４０ビットパラレルデータに含まれる緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第１のワードグループと、上記付加情報データ系列を形成する１０ビットワードと上記青色原色信号データ系列及び赤色原色信号データ系列の夫々を形成する１０ビットワードの他の一部とを含む第２のワードグループとに振り分けて、上記第１及び第２のワードグループに夫々基づく、各々がワード伝送レートを７４．２５ＭＢｐｓとする第１及び第２の２０ビットワード列データを形成するデータ処理を施すとともに、上記第２の分割４０ビットパラレルデータに含まれる緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第３のワードグループと、上記付加情報データ系列を形成する１０ビットワードと上記青色原色信号データ系列及び赤色原色信号データ系列の夫々を形成する１０ビットワードの他の一部とを含む第４のワードグループとに振り分けて、上記第３及び第４のワードグループに夫々基づく、各々がワード伝送レートを７４．２５ＭＢｐｓとする第３及び第４の２０ビットワード列データを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第１，第２，第３及び第４のパラレル／シリアル変換部から夫々得られる第１，第２，第３及び第４のシリアルデータを伝送すべく送出するデータ送出部と、
を備えて構成されるデータ伝送装置。
【請求項８２】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定されたディジタル映像信号を成し、各々が量子化ビット数を１２ビット，１４ビットもしくは１６ビットとしてワード伝送レートを１４８．５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを１４８．５ＭＢｐｓとする付加情報データ系列とを含む３６ビット，４２ビットもしくは４８ビットパラレルデータに、該３６ビット，４２ビットもしくは４８ビットパラレルデータを各ライン部毎に振り分けて、各々がワード伝送レートを７４．２５ＭＢｐｓとする第１及び第２の分割３６ビット，４２ビットもしくは４８ビットパラレルデータを形成する処理を施し、さらに、上記第１の分割３６ビット，４２ビットもしくは４８ビットパラレルデータに含まれる輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するとともに、上記第２の分割３６ビット，４２ビットもしくは４８ビットパラレルデータに含まれる輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第４の２０ビットワード列データと、上記輝度信号データ系列及び色差信号データ系列から分割された複数の下位２ビット，４ビットもしくは６ビットに基づく、ワード伝送レートを７４．２５ＭＢｐｓとする第５の２０ビットワード列データと、上記付加情報データ系列から分割された複数の上位１０ビット及び複数の下位２ビット，４ビットもしくは６ビットに基づく、ワード伝送レートを７４．２５ＭＢｐｓとする第６の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第１，第２，第３，第４，第５及び第６のパラレル／シリアル変換部から夫々得られる第１，第２，第３，第４，第５及び第６のシリアルデータを伝送すべく送出するデータ送出部と、
を備えて構成されるデータ伝送装置。
【請求項８３】
フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各有効ラインにおけるデータサンプル数が１９２０サンプルに設定されたディジタル映像信号を成し、各々が量子化ビット数を１２ビットとしてワード伝送レートを１４８．５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを１４８．５ＭＢｐｓとする付加情報データ系列とを含む４８ビットパラレルデータに、該４８ビットパラレルデータを各ライン部毎に振り分けて、各々がワード伝送レートを７４．２５ＭＢｐｓとする第１及び第２の分割４８ビットパラレルデータを形成する処理を施し、さらに、上記第１の分割４８ビットパラレルデータに含まれる緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットとに基づく、ワード伝送レートを７４．２５ＭＢｐｓとする第２の２０ビットワード列データと、上記付加情報データ系列から分割された複数の上位１０ビット及び複数の下位２ビットに基づく、ワード伝送レートを７４．２５ＭＢｐｓとする第３の２０ビットワード列データとを形成するとともに、上記第２の分割４８ビットパラレルデータに含まれる緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする第４の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットとに基づく、ワード伝送レートを７４．２５ＭＢｐｓとする第５の２０ビットワード列データと、上記付加情報データ系列から分割された複数の上位１０ビット及び複数の下位２ビットに基づく、ワード伝送レートを７４．２５ＭＢｐｓとする第６の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第４の２０ビットワード列データに基づく第４のシリアルデータを得る第４のパラレル／シリアル変換部と、
上記第５の２０ビットワード列データに基づく第５のシリアルデータを得る第５のパラレル／シリアル変換部と、
上記第６の２０ビットワード列データに基づく第６のシリアルデータを得る第６のパラレル／シリアル変換部と、
上記第１，第２，第３，第４，第５及び第６のパラレル／シリアル変換部から夫々得られる第１，第２，第３，第４，第５及び第６のシリアルデータを伝送すべく送出するデータ送出部と、
を備えて構成されるデータ伝送装置。
【請求項８４】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１０ビットとしてワード伝送レートを７４．２５ＭＢｐｓとする輝度信号データ系列及び色差信号データ系列と、上記輝度信号データ系列と同等のデータフォーマットを有し、量子化ビット数を１０ビットとしてワード伝送レートを７４．２５ＭＢｐｓとする付加情報データ系列とを含む３０ビットパラレルデータに、上記輝度信号データ系列及び色差信号データ系列に基づく、ワード伝送レートを７４．２５ＭＢｐｓとする第１の２０ビットワード列データと、上記付加情報データ系列に基づく、ワード伝送レートを７４．２５ＭＢｐｓとする第２の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項８５】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１０ビットとしてワード伝送レートを７４．２５ＭＢｐｓとする緑色原色信号データ系列，青色原色信号データ系列及び赤色原色信号データ系列と、上記緑色原色信号データ系列と同等のデータフォーマットを有し、量子化ビット数を１０ビットとしてワード伝送レートを７４．２５ＭＢｐｓとする付加情報データ系列とを含む４０ビットパラレルデータに、上記緑色原色信号データ系列，青色原色信号データ系列，赤色原色信号データ系列及び付加情報データ系列の夫々を形成する１０ビットワードを、上記緑色原色信号データ系列を形成する１０ビットワードと上記青色原色信号データ系列及び赤色原色信号データ系列の夫々を形成する１０ビットワードの一部とを含む第１のワードグループと、上記付加情報データ系列を形成する１０ビットワードと上記青色原色信号データ系列及び赤色原色信号データ系列の夫々を形成する１０ビットワードの他の一部とを含む第２のワードグループとに振り分け、上記第１のワードグループに基づく、ワード伝送レートを７４．２５ＭＢｐｓする第１の２０ビットワード列データと、上記第２のワードグループに基づく、ワード伝送レートを７４．２５ＭＢｐｓとする第２の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項８６】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１２ビットとしてワード伝送レートを７４．２５ＭＢｐｓとする輝度信号データ系列及び色差信号データ系列と、上記輝度信号データ系列と同等のデータフォーマットを有し、量子化ビット数を１２ビットとしてワード伝送レートを７４．２５ＭＢｐｓとする付加情報データ系列とを含む３６ビットパラレルデータに、上記輝度信号データ系列，色差信号データ系列及び付加情報データ系列の夫々を形成する各１２ビットワードを、上位１０ビットと下位２ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記付加情報データ系列から分割された複数の上位１０ビット，上記輝度信号データ系列及び色差信号データ系列から分割された複数の下位２ビット及び上記付加情報データ系列から分割された複数の下位２ビットに基づく、ワード伝送レートを７４．２５ＭＢｐｓとする第２の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第１及び第２のパラレル／シリアル変換部から夫々得られる第１及び第２のシリアルデータを伝送すべく送出するデータ送出部と、
を備えて構成されるデータ伝送装置。
【請求項８７】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１２ビット，１４ビットもしくは１６ビットとしてワード伝送レートを７４．２５ＭＢｐｓとする輝度信号データ系列及び色差信号データ系列と、上記輝度信号データ系列と同等のデータフォーマットを有し、量子化ビット数を１２ビット，１４ビットもしくは１６ビットとしてワード伝送レートを７４．２５ＭＢｐｓとする付加情報データ系列とを含む３６ビット，４２ビットもしくは４８ビットパラレルデータに、上記輝度信号データ系列，色差信号データ系列及び付加情報データ系列の夫々を形成する各１２ビット，１４ビットもしくは１６ビットワードを、上位１０ビットと下位２ビット，４ビットもしくは６ビットとに分割し、上記輝度信号データ系列及び色差信号データ系列から分割された複数の上位１０ビットに基づく、ワード伝送レートを７４．２５ＭＢｐｓとする第１の２０ビットワード列データと、上記輝度信号データ系列及び色差信号データ系列から分割された複数の下位２ビット，４ビットもしくは６ビットに基づく、ワード伝送レートを７４．２５ＭＢｐｓとする第２の２０ビットワード列データと、上記付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第１，第２及び第３のパラレル／シリアル変換部から夫々得られる第１，第２及び第３のシリアルデータを伝送すべく送出するデータ送出部と、
を備えて構成されるデータ伝送装置。
【請求項８８】
フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１２ビットとしてワード伝送レートを７４．２５ＭＢｐｓとする緑色原色信号データ系列，青色原色信号データ系列及び赤色原色信号データ系列と、上記緑色原色信号データ系列と同等のデータフォーマットを有し、量子化ビット数を１２ビットとしてワード伝送レートを７４．２５ＭＢｐｓとする付加情報データ系列とを含む４８ビットパラレルデータに、上記緑色原色信号データ系列，青色原色信号データ系列，赤色原色信号データ系列及び付加情報データ系列の夫々を形成する各１２ビットワードを、上位１０ビットと下位２ビットとに分割し、上記緑色原色信号データ系列から分割された複数の上位１０ビットと上記青色原色信号データ系列及び赤色原色信号データ系列の夫々から分割された複数の上位１０ビットの一部とに基づく、ワード伝送レートを７４．２５ＭＢｐｓとする第１の２０ビットワード列データと、上記青色原色信号データ系列及び赤色原色信号データ系列の夫々から分割された複数の上位１０ビットの他の一部と、上記緑色原色信号データ系列，青色原色信号データ系列及び赤色原色信号データ系列から分割された複数の下位２ビットとに基づく、ワード伝送レートを７４．２５ＭＢｐｓとする第２の２０ビットワード列データと、上記付加情報データ系列から分割された複数の上位１０ビット及び複数の下位２ビットに基づく、ワード伝送レートを７４．２５ＭＢｐｓとする第３の２０ビットワード列データとを形成するデータ処理を施すデータ処理部と、
上記第１の２０ビットワード列データに基づく第１のシリアルデータを得る第１のパラレル／シリアル変換部と、
上記第２の２０ビットワード列データに基づく第２のシリアルデータを得る第２のパラレル／シリアル変換部と、
上記第３の２０ビットワード列データに基づく第３のシリアルデータを得る第３のパラレル／シリアル変換部と、
上記第１，第２及び第３のパラレル／シリアル変換部から夫々得られる第１，第２及び第３のシリアルデータを伝送すべく送出するデータ送出部と、
を備えて構成されるデータ伝送装置。
【発明の詳細な説明】
技術分野
本発明は、映像信号情報をあらわす量子化ビット数を１２ビット，１４ビットもしくは１６ビットとするディジタルデータを形成するためのデータ形成方法、さらには、映像信号情報をあらわす量子化ビット数を１２ビット，１４ビットもしくは１６ビットとするディジタルデータ、あるいは、映像信号情報をあらわす量子化ビット数を１０ビット，１２ビット，１４ビットもしくは１６ビットとするディジタルデータ及びそれに関連する付加情報データをシリアル伝送するデータ伝送方法、及び、その実施に供されるデータ伝送装置に関する。
背景技術
映像信号の分野においては、伝達情報の多様化及び再生画像の高品質化を実現する観点等からのディジタル化が図られており、例えば、映像信号情報をあらわすディジタルデータによって形成されるディジタル映像信号を扱う高精細度テレビジョン（Ｈｉｇｈ  Ｄｅｆｉｎｉｔｉｏｎ  Ｔｅｌｅｖｉｓｉｏｎ：ＨＤＴＶ）システム等が提案されている。ＨＤＴＶシステムのもとにおけるディジタル映像信号（以下、ＨＤディジタル映像信号という）は、例えば、ＢＴＡ（Ｂｒｏａｄｃａｓｔｉｎｇ  Ｔｅｃｈｎｏｌｏｇｙ  Ａｓｓｏｃｉａｔｉｏｎ：放送技術開発協議会）により制定された規格に従って形成され、Ｙ，ＰＢ／ＰＲ形式のものとＧ，Ｂ，Ｒ形式のものとがある。Ｙ，ＰＢ／ＰＲ形式の場合、Ｙは輝度信号を意味し、ＰＢ及びＰＲは色差信号を意味する。また、Ｇ，Ｂ，Ｒ形式の場合、Ｇ，Ｂ及びＲは夫々緑色原色信号，青色原色信号及び赤色原色信号を意味する。
Ｙ，ＰＢ／ＰＲ形式のＨＤディジタル映像信号は、フレームレートが３０Ｈｚあるいは３０／１．００１Ｈｚ（本願においてはこれらのいずれをも３０Ｈｚという。）とされたもとで、各フレーム画像が第１フィールド画像と第２フィールド画像とに分けられて形成される飛び越し走査用の信号とされ、例えば、図１に示される如くのデータフォーマットに従うものとされる。図１に示されるデータフォーマットは、図１のＡに示される如くの、映像信号における輝度信号情報をあらわす輝度信号データ系列（Ｙデータ系列）と、図１のＢに示される如くの、映像信号における色差信号情報をあらわす色差信号データ系列（ＰＢ／ＰＲデータ系列）とから成り、Ｙデータ系列及びＰＢ／ＰＲデータ系列の夫々は、量子化ビット数を１０ビットとし、従って、それを形成するワードデータの各々が１０ビット構成とされ、また、そのワード伝送レートは、例えば、７４．２５ＭＢｐｓとされる。そして、図１のＡには、Ｙデータ系列における各ライン部中のラインブランキング部及びその前後における映像データ部の一部分が示されており、また、図１のＢには、ＰＢ／ＰＲデータ系列における各ライン部中のラインブランキング部及びその前後における映像データ部の一部分が示されている。
Ｙデータ系列にあっては、各映像データ部の直前に、各々が１０ビット構成とされる４ワード（３ＦＦ（Ｙ），０００（Ｙ），０００（Ｙ），ＸＹＺ（Ｙ）（３ＦＦ，０００及びＸＹＺは１６進表現であり、（Ｙ）はＹデータ系列中のワードであることをあらわす。））から成るタイミング基準コードデータ（ＳＡＶ：Ｓｔａｒｔ  ｏｆ  Ａｃｔｉｖｅ  Ｖｉｄｅｏ）が配されるとともに、各映像データ部の直後に、各々が１０ビット構成とされる４ワード（３ＦＦ（Ｙ），０００（Ｙ），０００（Ｙ），ＸＹＺ（Ｙ））から成るタイミング基準コードデータ（ＥＡＶ：Ｅｎｄ  ｏｆ  Ａｃｔｉｖｅ  Ｖｉｄｅｏ）が配される。同様にして、ＰＢ／ＰＲデータ系列にあっても、各映像データ部の直前に、各々が１０ビット構成とされる４ワード（３ＦＦ（Ｃ），０００（Ｃ），０００（Ｃ），ＸＹＺ（Ｃ）（３ＦＦ，０００及びＸＹＺは１６進表現であり、（Ｃ）はＰＢ／ＰＲデータ系列中のワードであることをあらわす。））から成るタイミング基準コードデータ：ＳＡＶが配されるとともに、各映像データ部の直後に、各々が１０ビット構成とされる４ワード（３ＦＦ（Ｃ），０００（Ｃ），０００（Ｃ），ＸＹＺ（Ｃ））から成るタイミング基準コードデータ：ＥＡＶが配される。勿論、Ｙデータ系列中のタイミング基準コードデータ：ＥＡＶ及びＳＡＶの夫々は、Ｙデータ系列における各ラインブランキング部に配され、また、ＰＢ／ＰＲデータ系列中のタイミング基準コードデータ：ＥＡＶ及びＳＡＶの夫々は、ＰＢ／ＰＲデータ系列における各ラインブランキング部に配される。
（Ｙ）もしくは（Ｃ）が付されて示される４ワード（３ＦＦ，０００，０００，ＸＹＺ）にあっては、始めの３ワード（３ＦＦ，０００，０００）が、ワード同期あるいはライン同期を確立するためのものであり、また、最後の１ワード（ＸＹＺ）が、同一フレームにおける第１フィールドと第２フィールドとの識別のため、あるいは、タイミング基準コードデータ：ＳＡＶとタイミング基準コードデータ：ＥＡＶとの識別のためのものである（以下において同様）。
また、Ｇ，Ｂ，Ｒ形式のＨＤディジタル映像信号も、フレームレートが３０Ｈｚとされたもとでの飛び越し走査用の信号とされ、例えば、図２に示される如くのデータフォーマットに従うものとされる。図２のＡに示される如くの、映像信号における緑色原色信号情報をあらわす緑色原色信号データ系列（Ｇデータ系列）と、図２のＢに示される如くの、映像信号における青色原色信号情報をあらわす青色原色信号データ系列（Ｂデータ系列）と、図２のＣに示される如くの、映像信号における赤色原色信号情報をあらわす赤色原色信号データ系列（Ｒデータ系列）とから成り、Ｇデータ系列，Ｂデータ系列及びＲデータ系列の夫々は、量子化ビット数を１０ビットとし、従って、それを形成するワードデータの各々は、１０ビット構成とされ、また、そのワード伝送レートは、例えば、７４．２５ＭＢｐｓとされる。そして、図２のＡ，Ｂ及びＣには、夫々、Ｇデータ系列，Ｂデータ系列及びＲデータ系列における各ライン部中のラインブランキング部及びその前後における映像データ部の一部分が示されている。
Ｇデータ系列，Ｂデータ系列及びＲデータ系列の夫々にあっては、各映像データ部の直前に、各々が１０ビット構成とされる４ワード（３ＦＦ（Ｇ），０００（Ｇ），０００（Ｇ）及びＸＹＺ（Ｇ）（（Ｇ）はＧデータ系列中のワードであることをあらわす。），３ＦＦ（Ｂ），０００（Ｂ），０００（Ｂ）及びＸＹＺ（Ｂ）（（Ｂ）はＢデータ系列中のワードであることをあらわす。）、もしくは、３ＦＦ（Ｒ），０００（Ｒ），０００（Ｒ）及びＸＹＺ（Ｒ）（（Ｒ）はＲデータ系列中のワードであることをあらわす。））から成るタイミング基準コードデータ：ＳＡＶが配されるとともに、各映像データ部の直後に、各々が１０ビット構成とされる４ワード（３ＦＦ（Ｇ），０００（Ｇ），０００（Ｇ）及びＸＹＺ（Ｇ），３ＦＦ（Ｂ），０００（Ｂ），０００（Ｂ）及びＸＹＺ（Ｂ）、もしくは、３ＦＦ（Ｒ），０００（Ｒ），０００（Ｒ）及びＸＹＺ（Ｒ））から成るタイミング基準コードデータ：ＥＡＶが配される。勿論、Ｇデータ系列，Ｂデータ系列及びＲデータ系列の夫々におけるタイミング基準コードデータ：ＥＡＶ及びＳＡＶの各々は、Ｇデータ系列，Ｂデータ系列及びＲデータ系列の夫々における各ラインブランキング部に配される。
現行のＨＤＴＶシステムにあっては、上述の如くのフレームレートが３０Ｈｚとされたもとでの飛び越し走査用とされたＹ，ＰＢ／ＰＲ形式もしくはＧ，Ｂ，Ｒ形式のＨＤディジタル映像信号が用いられているが、これに対して、次世代のＨＤＴＶシステムとして、フレームレートが６０Ｈｚあるいは６０／１．００１Ｈｚ（本願においてはこれらのいずれをも６０Ｈｚという。）とされたもとで、各フレーム画像が第１及び第２フィールドに分けられることなく形成される順次走査用とされた、Ｙ，ＰＢ／ＰＲ形式もしくはＧ，Ｂ，Ｒ形式のＨＤディジタル映像信号を用いるシステムが提案されている。順次走査用とされた、Ｙ，ＰＢ／ＰＲ形式もしくはＧ，Ｂ，Ｒ形式のＨＤディジタル映像信号は、プログレッシブ（Ｐｒｏｇｒｅｓｓｉｖｅ）方式のＨＤディジタル映像信号と称される。
フレームレートが６０Ｈｚとされたプログレッシブ方式のＨＤディジタル映像信号を成すディジタルデータは、米国のＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ：映画及びテレビジョン技術者協会）により制定された規格：ＳＭＰＴＥ  ２４７Ｍによるフォーマットの規格化が図られている。斯かるＳＭＰＴＥ  ２４７Ｍにより規格化されたフォーマットにあっては、フレームレート：６０Ｈｚの他、ラインあたりの有効データサンプル数：１９２０サンプル，フレームあたりの有効ライン数：１０８０ライン，サンプリング周波数：１４８，５ＭＨｚあるいは１４８．５／１．００１ＭＨｚ（本願においてはこれらのいずれをも１４８．５ＭＨｚという。），量子化ビット数：８ビットもしくは１０ビット等々が決められている。そして、パラレルデータインターフェースは、Ｙ，ＰＢ／ＰＲ形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
このような量子化ビット数が８ビットもしくは１０ビットとされたディジタル映像信号を成すディジタルデータにあっては、映像信号情報をあらわすためには用いられないコードが禁止コードとして決められている。例えば、量子化ビット数が８ビットである場合、禁止コードは、１６進表現で００ｈ及びＦＦｈ（添字ｈは１６進数であることをあらわす。以下において同じ。）、即ち、００００  ００００及び１１１１  １１１１とされ、また、量子化ビット数が１０ビットである場合、禁止コードは、１６進表現で０００ｈ〜００３ｈ及び３ＦＣｈ〜３ＦＦｈ、即ち、００  ００００  ００００〜００  ００００  ００１１及び１１  １１１１  １１００〜１１  １１１１  １１１１とされる。
なお、Ｙ，ＰＢ／ＰＲ形式の場合、ＰＢデータ系列及びＰＲデータ系列の夫々のサンプリング周波数が、Ｙデータ系列のサンプリング周波数の１／２とされる。以下おいては、必要に応じて、Ｙ，ＰＢ／ＰＲ形式を４：２：２形式とあらわす。また、Ｇ，Ｂ，Ｒ形式の場合、Ｇデータ系列，Ｂデータ系列及びＲデータ系列の夫々のサンプリング周波数が同一とされる。以下おいては、必要に応じて、Ｇ，Ｂ，Ｒ形式を４：４：４形式とあらわす。
また、このようなＨＤディジタル映像信号とは別に、例えば、秒あたり２４コマ（２４コマ／秒）のフィルムを通じて映写される映画の動画像をＨＤＴＶシステムによる画像と同等の画質をもって実現するための、プログレッシブ方式のディジタル映像信号が提案されている。以下、このようなディジタル映像信号を、Ｄ−Ｃｉｎｅｍａ信号と呼ぶ。
Ｄ−Ｃｉｎｅｍａ信号は、例えば、フレームレートを２４Ｈｚあるいは２４／１．００１Ｈｚ（本願においてはこれらのいずれをも２４Ｈｚという。）とするプログレッシブ方式のディジタル映像信号と言うことができるが、Ｄ−Ｃｉｎｅｍａ信号のフレームレートは、２４Ｈｚに限られるものではなく、２５Ｈｚ，３０Ｈｚ等も考えられる。フレームレートを２４Ｈｚ，２５Ｈｚ及び３０Ｈｚとするディジタル映像信号を成すディジタルデータについては、そのフォーマットがＳＭＰＴＥ  ２４７Ｍにより規格化されており、フレームレート：２４Ｈｚ，２５Ｈｚ，３０Ｈｚの他、ラインあたりの有効データサンプル数：１９２０サンプル，フレームあたりの有効ライン数：１０８０ライン，サンプリング周波数：７４．２５ＭＨｚあるいは７４．２５／１．００１ＭＨｚ（本願においてはこれらのいずれをも７４．２５ＭＨｚという。），量子化ビット数：８ビットもしくは１０ビット等々が決められている。そして、パラレルデータインターフェースは、４：２：２形式の場合、８ビット×２＝１６ビットもしくは１０ビット×２＝２０ビットであり、４：４：４形式の場合、８ビット×３＝２４ビットもしくは１０ビット×３＝３０ビットである。
さらに、前述のＨＤディジタル映像信号あるいはＤ−Ｃｉｎｅｍａ信号とは別に、フレームレートを６０Ｈｚとし、各フレームにおける有効ライン数が７２０ラインに設定され、また、各ラインにおける有効データサンプル数が１２８０サンプルに設定されたプログレッシブ方式のディジタル映像信号（本願においては、斯かるディジタル映像信号を７２０Ｐ信号と呼ぶ）も提案されている。このような７２０Ｐ信号を成すディジタルデータは、ＳＭＰＴＥにより制定された規格：ＳＭＰＴＥ  ２９６Ｍによるフォーマットの規格化が図られている。斯かるＳＭＰＴＥ  ２９６Ｍにより規格化されたフォーマットにあっては、フレームレート：６０Ｈｚ，フレームあたりの有効ライン数：７２０ライン，ラインあたりの有効データサンプル数：１２８０サンプルのみならず、各フレームにおけるライン数：７５０ライン，サンプリング周波数：７４．２５ＭＨｚ，量子化ビット数：８ビットもしくは１０ビット等々が決められている。そして、パラレルデータインターフェースは、Ｙ，ＰＢ／ＰＲ形式の場合、８ビット×２＝１６ビットもしくは１０ビット×２＝２０ビットであり、Ｇ，Ｂ，Ｒ形式の場合、８ビット×３＝２４ビットもしくは１０ビット×３＝３０ビットである。
７２０Ｐ信号は、ディジタル映像信号の分野におけるＨＤディジタル映像信号への移行期において提案されたものであって、フレームあたりの有効ライン数及びラインあたりの有効データサンプル数が、ＨＤディジタル映像信号が１０８０ライン及び１９２０サンプルであるのに対して、７２０ライン及び１２８０サンプルとされて、ＨＤディジタル映像信号の場合の２／３であるので、それに基づいて再生される画像の解像度においてはＨＤディジタル映像信号に比して劣るものの、フレームレートが６０Ｈｚであることからして、動きの速い画像をあらわす信号としての利用に適している。
上述の如くの各種のディジタル映像信号に関連して、或るディジタル映像信号を他のディジタル映像信号と合成するにあたり、特定のＫｅｙ信号（Ｋｅｙ  Ｓｉｇｎａｌ）を用いることが知られている。斯かるＫｅｙ信号は、関連する映像信号についての不透明さあるいは透明さ（ｏｐａｃｉｔｙ  ｏｒ  ｔｒａｎｓｐａ−ｒｅｎｃｙ）をあらわす信号であって、“ＳＭＰＴＥ  ＲＥＣＯＭＭＥＮＤＥＤ  ＰＲＡＣＴＩＣＥ”ＲＰ  １５７−１９９５として推奨されている。
４：２：２形式のディジタル映像信号に関連するＫｅｙ信号は、それを成すディジタルデータであるＫｅｙ信号データ系列が、当該ディジタル映像信号を成すディジタルデータに含まれるＹデータ系列と同等のデータフォーマットを有し、Ｙデータ系列と同様に扱われるものとされる。また、４：４：４形式のディジタル映像信号に関連するＫｅｙ信号は、それを成すディジタルデータであるＫｅｙ信号データ系列が、当該ディジタル映像信号を成すディジタルデータに含まれるＧデータ系列と同等のデータフォーマットを有し、Ｇデータ系列と同様に扱われるものとされる。
こうした状況の中で、ＨＤディジタル映像信号，Ｄ−Ｃｉｎｅｍａ信号あるいは７２０Ｐ信号を形成するディジタルデータについて、例えば、それに基づいて再生される画像の解像度の更なる向上を求めて、量子化ビット数を、従前の８ビットもしくは１０ビットを越えるビット数、例えば、１２ビット，１４ビット，１６ビット等とすることが望まれるようになってきている。しかしながら、前述のＳＭＰＴＥ  ２４７Ｍ，ＳＭＰＴＥ  ２９６Ｍ等を含む現行のディジタル映像信号を成すディジタルデータに関する規格にあっては、量子化ビット数を８ビットもしくは１０ビットとするものについての規格化は図られているが、量子化ビット数を８ビットもしくは１０ビットを越えるビット数、例えば、１２ビット，１４ビット，１６ビット等とするものについては規格化されていない。それゆえ、量子化ビット数を、例えば、１２ビット，１４ビットもしくは１６ビットとするディジタル映像信号を成すディジタルデータについては、その形成にあたって、互換性，汎用性等の面での問題を生じる虞がある。
また、量子化ビット数を、例えば、１２ビット，１４ビットもしくは１６ビットとするディジタル映像信号を成すディジタルデータにあっては、その伝送に伴う問題もある。即ち、ディジタル映像信号を成すディジタルデータの伝送にあたっては、シリアルデータに変換されて伝送されるシリアル伝送が望まれることになるが、量子化ビット数を８ビットもしくは１０ビットとする４：２：２形式のディジタル映像信号を成すディジタルデータについて、前述のＢＴＡによって制定された規格であるＢＴＡ  Ｓ−００４によるＨＤ  ＳＤＩ（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）を用いて伝送することが規格化されているだけで、他の形式のディジタルデータ、例えば、４：４：４形式のディジタル映像信号を成すディジタルデータ，量子化ビット数を１０ビットを越えるものとするディジタル映像信号を成すディジタルデータ等のシリアル伝送については、規格化されていない。そして、現在のところ、量子化ビット数を１０ビットを越えるものとするディジタル映像信号を成すディジタルデータのシリアル伝送を、例えば、量子化ビット数を１０ビットとするディジタル映像信号を成すディジタルデータのシリアル伝送に用いられる現存する回路構成要素を利用して、適切に実現することができる伝送システムの具体例は見当たらない。また、このようなシリアル伝送システムに関する技術について記載された文献等も見出せない。
さらに、４：２：２形式もしくは４：４：４形式のディジタル映像信号を成すディジタルデータの伝送にあたっては、当該ディジタル映像信号を成すディジタルデータとそれに関連するＫｅｙ信号データ系列とを伝送することが要求される場合も少なくない。斯かる場合には、４：２：２形式もしくは４：４：４形式のディジタル映像信号を成すディジタルデータに加えて、それに関連するＫｅｙ信号データ系列が、伝送されるディジタル映像信号を成すディジタルデータに付随する付加情報データ系列として伝送されること、さらには、このような両者の伝送が、例えば、量子化ビット数を１０ビットとするディジタル映像信号を成すディジタルデータのシリアル伝送に用いられる現存する回路構成要素が利用されて行われるようにされることが、実施にあたっての容易さ，コストの低減化等の観点から望まれる。
しかしながら、前述の如くに、ディジタル映像信号を成すディジタルデータのシリアル伝送に関しては、量子化ビット数を８ビットもしくは１０ビットする４：２：２形式のディジタル映像信号を成すディジタルデータについてＨＤ  ＳＤＩを用いて伝送することが規格化されているだけに止まる現状のもとにあっては、量子化ビット数を１０ビット，１２ビット，１４ビット，１６ビット等とする４：２：２形式もしくは４：４：４形式のディジタル映像信号を成すディジタルデータとそれに関連するＫｅｙ信号データ系列との伝送を、Ｋｅｙ信号データ系列を伝送されるディジタル映像信号を成すディジタルデータに付随する付加情報データ系列とし、例えば、量子化ビット数を１０ビットとするディジタル映像信号を成すディジタルデータのシリアル伝送に用いられる現存する回路構成要素を利用して、適切に実現することができる伝送システムの具体例は見当たらない。また、このようなシリアル伝送システムに関する技術について記載された文献等も見出せない。
斯かる点に鑑み、本発明の目的の一つは、量子化ビット数を１０ビットを越えるものとして、ＨＤディジタル映像信号，Ｄ−Ｃｉｎｅｍａ信号，７２０Ｐ信号等のディジタル映像信号を成すディジタルデータを、従前の量子化ビット数を８ビットもしくは１０ビットとするＨＤディジタル映像信号を成すディジタルデータ等との互換性が得られるものとして形成することができるデータ形成方法を提供することにある。
そして、本発明の他の目的は、量子化ビット数を１０ビットを越えるものとして、ＨＤディジタル映像信号，Ｄ−Ｃｉｎｅｍａ信号，７２０Ｐ信号等のディジタル映像信号を成すディジタルデータについてのシリアル伝送を、量子化ビット数を８ビットもしくは１０ビットとするディジタル映像信号を成すディジタルデータのシリアル伝送に用いられる現存する回路構成要素を利用して、適切に実現することができるデータ伝送方法及びその実施に供されるデータ伝送装置を提供することにある。
また、本発明のさらに他の目的は、量子化ビット数を１０ビット以上とするディジタル映像信号を成すディジタルデータ及びそれに関連するＫｅｙ信号データ系列の伝送を、Ｋｅｙ信号データ系列を伝送されるディジタル映像信号を成すディジタルデータに付随する付加情報データ系列とした状態で行うことができ、しかも、その伝送を、例えば、量子化ビット数を１０ビットとするディジタル映像信号を成すディジタルデータのシリアル伝送に用いられる現存する回路構成要素を利用して、適切に実現することができるデータ伝送方法及びその実施に供されるデータ伝送装置を提供することにある。
発明の開示
本発明に係るデータ形成方法の第１の態様は、フレーム部を１／２４秒あるいは１．００１／２４秒（本願においてはこれらのいずれをも１／２４秒という。），１／２５秒、もしくは、１／３０秒あるいは１．００１／３０秒（本願においてはこれらのいずれをも１／３０秒という。）毎に連なるものとして設定するとともに、各フレーム部を１１２５ライン部の連なりをもって形成し、各フレーム部における有効ライン部数を１０８０ライン部に設定し、サンプリング周波数を７４．２５ＭＨｚに設定して、各ライン部における有効データサンプル数を１９２０サンプルに設定したもとで、量子化ビット数を１２ビット，１４ビットもしくは１６ビットとし、量子化ビット数を１２ビットとするとき、各有効ライン部についての禁止コードを上位８ビットが１６進表現で００ｈもしくはＦＦｈとなる全ての１２ビットコードとし、量子化ビット数を１４ビットとするとき、各有効ライン部についての禁止コードを上位８ビットが１６進表現で００ｈもしくはＦＦｈとなる全ての１４ビットコードとし、量子化ビット数を１６ビットとするとき、各有効ライン部についての禁止コードを上位８ビットが１６進表現で００ｈもしくはＦＦｈとなる全ての１６ビットコードとして、ディジタル映像信号を成すディジタルデータを形成するものとされる。
本発明に係るデータ形成方法の第２の態様は、フレーム部を１／５０秒、もしくは、１／６０秒あるいは１．００１／６０秒（本願においてはこれらのいずれをも１／６０秒という。）毎に連なるものとして設定するとともに、各フレーム部を１１２５ライン部の連なりをもって形成し、各フレーム部における有効ライン部数を１０８０ライン部に設定し、サンプリング周波数を１４８．５ＭＨｚに設定して、各ライン部における有効データサンプル数を１９２０サンプルに設定したもとで、量子化ビット数を１２ビット，１４ビットもしくは１６ビットとし、量子化ビット数を１２ビットとするとき、各有効ライン部についての禁止コードを上位８ビットが１６進表現で００ｈもしくはＦＦｈとなる全ての１２ビットコードとし、量子化ビット数を１４ビットとするとき、各有効ライン部についての禁止コードを上位８ビットが１６進表現で００ｈもしくはＦＦｈとなる全ての１４ビットコードとし、量子化ビット数を１６ビットとするとき、各有効ライン部についての禁止コードを上位８ビットが１６進表現で００ｈもしくはＦＦｈとなる全ての１６ビットコードとして、ディジタル映像信号を成すディジタルデータを形成するものとされる。
本発明に係るデータ形成方法の第３の態様は、フレーム部を１／６０秒毎に連なるものとして設定するとともに、各フレーム部を７５０ライン部の連なりをもって形成し、各フレーム部における有効ライン部数を７２０ライン部に設定し、各ライン部における有効データサンプル数を１２８０サンプルに設定したもとで、量子化ビット数を１２ビット，１４ビットもしくは１６ビットとし、量子化ビット数を１２ビットとするとき、各有効ライン部についての禁止コードを上位８ビットが１６進表現で００ｈもしくはＦＦｈとなる全ての１２ビットコードとし、量子化ビット数を１４ビットとするとき、各有効ライン部についての禁止コードを上位８ビットが１６進表現で００ｈもしくはＦＦｈとなる全ての１４ビットコードとし、量子化ビット数を１６ビットとするとき、各有効ライン部についての禁止コードを上位８ビットが１６進表現で００ｈもしくはＦＦｈとなる全ての１６ビットコードとして、ディジタル映像信号を成すディジタルデータを形成するものとされる。
また、本発明に係るデータ伝送方法の第１の態様は、フレームレートを２４Ｈｚ，２５Ｈｚもしくは３０Ｈｚとし、各フレームにおけるライン数が１１２５ライン，各フレームにおける有効ラインが１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成し、第１及び第２のワード列データに夫々基づく第１及び第２のシリアルデータを得て、第１及び第２のシリアルデータを伝送すべく送出するものとされる。
本発明に係るデータ伝送方法の第２の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１及び第２のワード列データに夫々基づく第１及び第２のシリアルデータを得て、第１及び第２のシリアルデータを伝送すべく送出するものとされる。
本発明に係るデータ伝送方法の第３の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各ライン部毎に第１のグループと第２のグループとに振り分ける処理を施して、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第３のワード列データと、分割された下位２ビット，４ビットもしくは６ビットに基づくワード伝送レートを７４．２５ＭＢｐｓとする第４のワード列データとを形成するとともに、第２のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第５のワード列データと、分割された下位２ビット，４ビットもしくは６ビットに基づくワード伝送レートを７４．２５ＭＢｐｓとする第６のワード列データとを形成し、第３，第４，第５及び第６のワード列データに夫々基づく第１，第２，第３及び第４のシリアルデータを得て、第１，第２，第３及び第４のシリアルデータを伝送すべく送出するものとされる。
本発明に係るデータ伝送方法の第４の態様は、フレームレートを５０Ｈｚもしくは６０Ｈｚとし、各フレームにおけるライン数が１１２５ライン，各フレーム部における有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、ディジタル映像信号を成すディジタルデータに、各ライン部毎に第１のグループと第２のグループとに振り分ける処理を施して、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１のワード列データに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第３のワード列データと、第２のグループを構成するデータに基づくワード伝送レートを７４．２５ＭＢｐｓとする第４のワード列データとを形成し、さらに、第２のワード列データに、各１２ビットワードを上位１０ビットと下位２ビットとに分割する処理を施し、分割された複数の上位１０ビットを第３のグループと第４のグループとに振り分けるとともに、分割された複数の下位２ビットを所定数ずつ多重して第４のグループに加え、第３のグループを構成するデータに基づくワード伝送レートを７４．２５ＭＢｐｓとする第５のワード列データと、第４のグループを構成するデータに基づくワード伝送レートを７４．２５ＭＢｐｓとする第６のワード列データとを形成し、第３，第４，第５及び第６のワード列データに夫々基づく第１，第２，第３及び第４のシリアルデータを得て、第１，第２，第３及び第４のシリアルデータを伝送すべく送出するものとされる。
本発明に係るデータ伝送方法の第５の態様は、フレームレートを６０Ｈｚとし、各フレームにおけるライン数が７５０ライン，各フレームにおける有効ライン数が７２０ライン，各ラインにおける有効データサンプル数が１２８０サンプルに設定され、量子化ビット数を１２ビット，１４ビットもしくは１６ビットとするディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成し、第１及び第２のワード列データに夫々基づく第１及び第２のシリアルデータを得て、それらを伝送すべく送出するものとされる。
本発明に係るデータ伝送方法の第６の態様は、フレームレートを６０Ｈｚとし、各フレームにおけるライン数が７５０ライン，各フレームにおける有効ライン数が７２０ライン，各ラインにおける有効データサンプル数が１２８０サンプルに設定され、量子化ビット数を１２ビットとするディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１及び上記第２のワード列データに夫々基づく第１及び第２のシリアルデータを得て、それらを伝送すべく送出するものとされる。
本発明に係るデータ伝送方法の第７の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１０ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１０ビットとしてワード伝送レートを７４．２５ＭＢｐｓとする付加情報データ系列とを含む３０ビットパラレルデータに、Ｙデータ系列及びＰＢ／ＰＲデータ系列に基づく、ワード伝送レートを７４．２５ＭＢｐｓとする第１の２０ビットワード列データと、付加情報データ系列に基づく、ワード伝送レートを７４．２５ＭＢｐｓとする第２の２０ビットワード列データとを形成するデータ処理を施し、第１及び第２の２０ビットワード列データに夫々基づく第１及び第２のシリアルデータを得て、それらを伝送すべく送出するものとされる。
本発明に係るデータ伝送方法の第８の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１０ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１０ビットとしてワード伝送レートを７４．２５ＭＢｐｓとする付加情報データ系列とを含む４０ビットパラレルデータに、Ｇデータ系列，Ｂデータ系列，Ｒデータ系列及び付加情報データ系列の夫々を形成する１０ビットワードを、Ｇデータ系列を形成する１０ビットワードとＢデータ系列及びＲデータ系列の夫々を形成する１０ビットワードの一部とを含む第１のワードグループと、付加情報データ系列を形成する１０ビットワードとＢデータ系列及びＲデータ系列の夫々を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成するデータ処理を施し、第１及び第２の２０ビットワード列データに夫々基づく第１及び第２のシリアルデータを得て、それらを伝送すべく送出するものとされる。
本発明に係るデータ伝送方法の第９の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１２ビットとしてワード伝送レートを７４．２５ＭＢｐｓとする付加情報データ系列とを含む３６ビットパラレルデータに、Ｙデータ系列，ＰＢ／ＰＲデータ系列及び付加情報データ系列の夫々を形成する各１２ビットワードを、上位１０ビットと下位２ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、付加情報データ系列から分割された複数の上位１０ビット，Ｙデータ系列及びＰＢ／ＰＲデータ系列から分割された複数の下位２ビット及び付加情報データ系列から分割された複数の下位２ビットに基づく、ワード伝送レートを７４．２５ＭＢｐｓとする第２の２０ビットワード列データとを形成するデータ処理を施し、第１及び第２の２０ビットワード列データに夫々基づく第１及び第２のシリアルデータを得て、それらを伝送すべく送出するものとされる。
本発明に係るデータ伝送方法の第１０の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビット，１４ビットもしくは１６ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１２ビット，１４ビットもしくは１６ビットとしてワード伝送レートを７４．２５ＭＢｐｓとする付加情報データ系列とを含む３６ビット４２ビットもしくは４８ビットパラレルデータに、Ｙデータ系列，ＰＢ／ＰＲデータ系列及び付加情報データ系列の夫々を形成する各１２ビット，１４ビットもしくは１６ビットワードを、上位１０ビットと下位２ビット，４ビットもしくは６ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、Ｙデータ系列及びＰＢ／ＰＲデータ系列から分割された複数の下位２ビット，４ビットもしくは６ビットに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するデータ処理を施し、第１，第２及び第３の２０ビットワード列データに夫々基づく第１，第２及び第３のシリアルデータを得て、それらを伝送すべく送出するものとされる。
本発明に係るデータ伝送方法の第１１の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１２ビットとしてワード伝送レートを７４．２５ＭＢｐｓとする付加情報データ系列とを含む４８ビットパラレルデータに、Ｇデータ系列，Ｂデータ系列，Ｒデータ系列及び付加情報データ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットとに基づく、ワード伝送レートを７４．２５ＭＢｐｓとする第２の２０ビットワード列データと、付加情報データ系列から分割された複数の上位１０ビット及び複数の下位２ビットに基づく、ワード伝送レートを７４．２５ＭＢｐｓとする第３の２０ビットワード列データとを形成するデータ処理を施し、第１，第２及び第３の２０ビットワード列データに夫々基づく第１，第２及び第３のシリアルデータを得て、それらを伝送すべく送出するものとされる。
本発明に係るデータ伝送方法の第１２の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定されたディジタル映像信号を成し、各々が量子化ビット数を１０ビットとしてワード伝送レートを１４８．５ＭＢｐｓとするＹデータ系列及びＰＢ／ＰＲデータ系列と、Ｙデータ系列と同等のデータフォーマットを有し、量子化ビット数を１０ビットとしてワード伝送レートを１４８．５ＭＢｐｓとする付加情報データ系列とを含む３０ビットパラレルデータに、Ｙデータ系列及びＰＢ／ＰＲデータ系列の夫々を各ライン部毎に振り分けて、各々がワード伝送レートを７４．２５ＭＢｐｓとする第１及び第２の２０ビットワード列データを形成するとともに、付加情報データ系列に基づく、ワード伝送レートを７４．２５ＭＢｐｓとする第３の２０ビットワード列データを形成するデータ処理を施し、第１，第２及び第３の２０ビットワード列データに夫々基づく第１，第２及び第３のシリアルデータを得て、それらを伝送すべく送出するものとされる。
本発明に係るデータ伝送方法の第１３の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各有効ラインにおけるデータサンプル数が１９２０サンプルに設定されたディジタル映像信号を成し、各々が量子化ビット数を１０ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１０ビットとしてワード伝送レートを１４８．５ＭＢｐｓとする付加情報データ系列とを含む４０ビットパラレルデータに、その４０ビットパラレルデータを各ライン部毎に振り分けて、各々がワード伝送レートを７４．２５ＭＢｐｓとする第１及び第２の分割４０ビットパラレルデータを形成する処理を施し、さらに、第１の分割４０ビットパラレルデータに含まれるＧデータ系列，Ｂデータ系列，Ｒデータ系列及び付加情報データ系列の夫々を形成する１０ビットワードを、Ｇデータ系列を形成する１０ビットワードとＢデータ系列及びＲデータ系列の夫々を形成する１０ビットワードの一部とを含む第１のワードグループと、付加情報データ系列を形成する１０ビットワードとＢデータ系列及びＲデータ系列の夫々を形成する１０ビットワードの他の一部とを含む第２のワードグループとに振り分けて、第１及び第２のワードグループに夫々基づく、各々がワード伝送レートを７４．２５ＭＢｐｓとする第１及び第２の２０ビットワード列データを形成するデータ処理を施すとともに、第２の分割４０ビットパラレルデータに含まれるＧデータ系列，Ｂデータ系列，Ｒデータ系列及び付加情報データ系列の夫々を形成する１０ビットワードを、Ｇデータ系列を形成する１０ビットワードとＢデータ系列及びＲデータ系列の夫々を形成する１０ビットワードの一部とを含む第３のワードグループと、付加情報データ系列を形成する１０ビットワードとＢデータ系列及びＲデータ系列の夫々を形成する１０ビットワードの他の一部とを含む第４のワードグループとに振り分けて、第３及び第４のワードグループに夫々基づく、各々がワード伝送レートを７４．２５ＭＢｐｓとする第３及び第４の２０ビットワード列データを形成するデータ処理を施し、第１，第２，第３及び第４の２０ビットワード列データに夫々基づく第１，第２，第３及び第４のシリアルデータを得て、それらを伝送すべく送出するものとされる。
本発明に係るデータ伝送方法の第１４の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定されたディジタル映像信号を成し、各々が量子化ビット数を１２ビット，１４ビットもしくは１６ビットとしてワード伝送レートを１４８．５ＭＢｐｓとするＹデータ系列及びＰＢ／ＰＲデータ系列と、Ｙデータ系列と同等のデータフォーマットを有し、量子化ビット数を１２ビット，１４ビットもしくは１６ビットとしてワード伝送レートを１４８．５ＭＢｐｓとする付加情報データ系列とを含む３６ビット，４２ビットもしくは４８ビットパラレルデータに、その３６ビット，４２ビットもしくは４８ビットパラレルデータを各ライン部毎に振り分けて、各々がワード伝送レートを７４．２５ＭＢｐｓとする第１及び第２の分割３６ビット，４２ビットもしくは４８ビットパラレルデータを形成する処理を施し、さらに、第１の分割３６ビット，４２ビットもしくは４８ビットパラレルデータに含まれるＹデータ系列，ＰＢ／ＰＲデータ系列及び付加情報データ系列の夫々を形成する各１２ビット，１４ビットもしくは１６ビットワードを、上位１０ビットと下位２ビット，４ビットもしくは６ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、Ｙデータ系列及びＰＢ／ＰＲデータ系列から分割された複数の下位２ビット，４ビットもしくは６ビッドに基づく、ワード伝送レートを７４．２５ＭＢｐｓとする第２の２０ビットワード列データと、付加情報データ系列から分割された複数の１０ビット及び複数の下位２ビット，４ビットもしくは６ビットに基づく、ワード伝送レートを７４．２５ＭＢｐｓとする第３の２０ビットワード列データとを形成するとともに、第２の分割３６ビット，４２ビットもしくは４８ビットパラレルデータに含まれるＹデータ系列，ＰＢ／ＰＲデータ系列及び付加情報データ系列の夫々を形成する各１２ビット，１４ビットもしくは１６ビットワードを、上位１０ビットと下位２ビット，４ビットもしくは６ビットとに分割し、Ｙデータ系列及びＰＢ／ＰＲデータ系列から分割された複数の上位１０ビットに基づく、ワード伝送レートを７４．２５ＭＢｐｓとする第４の２０ビットワード列データと、Ｙデータ系列及びＰＢ／ＰＲデータ系列から分割された複数の下位２ビット，４ビットもしくは６ビットに基づく、ワード伝送レートを７４．２５ＭＢｐｓとする第５の２０ビットワード列データと、付加情報データ系列から分割された複数の上位１０ビット及び複数の下位２ビット，４ビットもしくは６ビットに基づく、ワード伝送レートを７４．２５ＭＢｐｓとする第６の２０ビットワード列データとを形成するデータ処理を施し、第１，第２，第３，第４，第５及び第６の２０ビットワード列データに夫々基づく第１，第２，第３，第４，第５及び第６のシリアルデータを得て、それらを伝送すべく送出するものとされる。
本発明に係るデータ伝送方法の第１５の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各有効ラインにおけるデータサンプル数が１９２０サンプルに設定されたディジタル映像信号を成し、各々が量子化ビット数を１２ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１２ビットとしてワード伝送レートを１４８．５ＭＢｐｓとする付加情報データ系列とを含む４８ビットパラレルデータに、その４８ビットパラレルデータを各ライン部毎に振り分けて、各々がワード伝送レートを７４．２５ＭＢｐｓとする第１及び第２の分割４８ビットパラレルデータを形成する処理を施し、さらに、第１の分割４８ビットパラレルデータに含まれるＧデータ系列，Ｂデータ系列，Ｒデータ系列及び付加情報データ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及Ｒデータ系列から分割された複数の下位２ビットとに基づく、ワード伝送レートを７４．２５ＭＢｐｓとする第２の２０ビットワード列データと、付加情報データ系列から分割された複数の上位１０ビット及び複数の下位２ビットに基づく、ワード伝送レートを７４．２５ＭＢｐｓとする第３の２０ビットワード列データとを形成するとともに、第２の分割４８ビットパラレルデータに含まれるＧデータ系列，Ｂデータ系列，Ｒデータ系列及び付加情報データ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする第４の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットとに基づく、ワード伝送レートを７４．２５ＭＢｐｓとする第５の２０ビットワード列データと、付加情報データ系列から分割された複数の上位１０ビット及び複数の下位２ビットに基づく、ワード伝送レートを７４．２５ＭＢｐｓとする第６の２０ビットワード列データとを形成するデータ処理を施し、第１，第２，第３，第４，第５及び第６の２０ビットワード列データに夫々基づく第１，第２，第３，第４，第５及び第６のシリアルデータを得て、それらを伝送すべく送出するものとされる。
本発明に係るデータ伝送方法の第１６の態様は、フレームレートを６０Ｈｚとし、各フレームにおけるライン数が７５０ライン，各フレームにおける有効ライン数が７２０ライン，各ラインにおける有効データサンプル数が１１８０サンプルに設定された７２０Ｐ信号を成し、各々が量子化ビット数を１０ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１０ビットとしてワード伝送レートを７４．２５ＭＢｐｓとする付加情報データ系列とを含む３０ビットパラレルデータに、Ｙデータ系列及びＰＢ／ＰＲデータ系列に基づく、ワード伝送レートを７４．２５ＭＢｐｓとする第１の２０ビットワード列データと、付加情報データ系列に基づく、ワード伝送レートを７４．２５ＭＢｐｓとする第２の２０ビットワード列データとを形成するデータ処理を施し、第１及び第２の２０ビットワード列データに夫々基づく第１及び第２のシリアルデータを得て、それらを伝送すべく送出するものとされる。
本発明に係るデータ伝送方法の第１７の態様は、フレームレートを６０Ｈｚとし、各フレームにおけるライン数が７５０ライン，各フレームにおける有効ライン数が７２０ライン，各ラインにおける有効データサンプル数が１２８０サンプルに設定された７２０Ｐ信号を成し、各々が量子化ビット数を１０ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１０ビットとしてワード伝送レートを７４．２５ＭＢｐｓとする付加情報データ系列とを含む４０ビットパラレルデータに、Ｇデータ系列，Ｂデータ系列，Ｒデータ系列及び付加情報データ系列の夫々を形成する１０ビットワードを、Ｇデータ系列を形成する１０ビットワードとＢデータ系列及びＲデータ系列の夫々を形成する１０ビットワードの一部とを含む第１のワードグループと、付加情報データ系列を形成する１０ビットワードとＢデータ系列及びＲデータ系列の夫々を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成するデータ処理を施し、第１及び第２の２０ビットワード列データに夫々基づく第１及び第２のシリアルデータを得て、それらを伝送すべく送出するものとされる。
本発明に係るデータ伝送方法の第１８の態様は、フレームレートを６０Ｈｚとし、各フレームにおけるライン数が７５０ライン，各フレームにおける有効ライン数が７２０ライン，各ラインにおける有効データサンプル数が１２８０サンプルに設定された７２０Ｐ信号を成し、各々が量子化ビット数を１２ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１２ビットとしてワード伝送レートを７４．２５ＭＢｐｓとする付加情報データ系列とを含む３６ビットパラレルデータに、Ｙデータ系列，ＰＢ／ＰＲデータ系列及び付加情報データ系列の夫々を形成する各１２ビットワードを、上位１０ビットと下位２ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、付加情報データ系列から分割された複数の上位１０ビット，Ｙデータ系列及びＰＢ／ＰＲデータ系列から分割された複数の下位２ビット及び付加情報データ系列から分割された複数の下位２ビットに基づく、ワード伝送レートを７４．２５ＭＢｐｓとする第２の２０ビットワード列データとを形成するデータ処理を施し、第１及び第２の２０ビットワード列データに夫々基づく第１及び第２のシリアルデータを得て、それらを伝送すべく送出するものとされる。
本発明に係るデータ伝送方法の第１９の態様は、フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１２ビット，１４ビットもしくは１６ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１２ビット，１４ビットもしくは１６ビットとしてワード伝送レートを７４．２５ＭＢｐｓとする付加情報データ系列とを含む３６ビット，４２ビットもしくは４８ビットパラレルデータに、Ｙデータ系列，ＰＢ／ＰＲデータ系列及び付加情報データ系列の夫々を形成する各１２ビット，１４ビットもしくは１６ビットワードを、上位１０ビットと下位２ビット，４ビットもしくは６ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、Ｙデータ系列及びＰＢ／ＰＲデータ系列から分割された複数の下位２ビット，４ビットもしくは６ビットに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するデータ処理を施し、第１，第２及び第３の２０ビットワード列データに夫々基づく第１，第２及び第３のシリアルデータを得て、それらを伝送すべく送出するものとされる。
本発明に係るデータ伝送方法の第２０の態様は、フレームレートを６０Ｈｚとし、各フレームにおけるライン数が７５０ライン，各フレームにおける有効ライン数が７２０ライン，各ラインにおける有効データサンプル数が１２８０サンプルに設定されたディジタル映像信号を成し、各々が量子化ビット数を１２ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１２ビットとしてワード伝送レートを７４．２５ＭＢｐｓとする付加情報データ系列とを含む４８ビットパラレルデータに、Ｇデータ系列，Ｂデータ系列，Ｒデータ系列及び付加情報データ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットとに基づく、ワード伝送レートを７４．２５ＭＢｐｓとする第２の２０ビットワード列データと、付加情報データ系列から分割された複数の上位１０ビット及び複数の下位２ビットに基づく、ワード伝送レートを７４．２５ＭＢｐｓとする第３の２０ビットワード列データとを形成するデータ処理を施し、第１，第２及び第３の２０ビットワード列データに夫々基づく第１，第２及び第３のシリアルデータを得て、それらを伝送すべく送出するものとされる。
本発明に係るデータ伝送装置の第１の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成するデータ処理部と、データ処理部から得られる第１のワード列データに基づく第１のシリアルデータを得る第１のパラレル／シリアル（Ｐ／Ｓ）変換部と、データ処理部から得られる第２のワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第２の態様は、フレームレートを２４Ｈｚ，２５Ｈｚもしくは３０Ｈｚとし、各フレームにおけるライン数が１１２５ライン部，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、ディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成するデータ処理部と、データ処理部から得られる第１のワード列データに基づく第１のシリアルデータを得る第１のＰ／Ｓ変換部と、データ処理部から得られる第２のワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第３の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈ（添字ｈは１６進数であることをあらわす）とする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、量子化ビット数を１６ビットとするとき、各有効ライン部についての禁止コードが上位８ビットを１６進表現で００ｈもしくはＦＦｈとする全ての１６ビットコードとされた、ディジタル映像信号を成すディジタルデータに、各ライン部毎に第１のグループと第２のグループとに振り分ける処理を施して、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第３のワード列データと、分割された下位２ビット，４ビットもしくは６ビットに基づくワード伝送レートを７４．２５ＭＢｐｓとする第４のワード列データとを形成するとともに、第２のワード列データに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第５のワード列データと、分割された下位２ビット，４ビットもしくは６ビットに基づくワード伝送レートを７４．２５ＭＢｐｓとする第６のワード列データとを形成するデータ処理部と、データ処理部から得られる第１のワード列データに基づく第１のシリアルデータを得る第１のＰ／Ｓ変換部と、データ処理部から得られる第２のワード列データに基づく第２のシリアルデータを得る第２のＰ／Ｓ変換部と、データ処理部から得られる第３のワード列データに基づく第３のシリアルデータを得る第３のＰ／Ｓ変換部と、データ処理部から得られる第４のワード列データに基づく第４のシリアルデータを得る第４のＰ／Ｓ変換部と、第１，第２，第３及び第４のＰ／Ｓ変換部から夫々得られる第１，第２，第３及び第４のシリアルデータを伝送すべく送出するデータ送出部と、を備えて構成される。
本発明に係るデータ伝送装置の第４の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈ（添字ｈは１６進数であることをあらわす）とする全ての１２ビットコードとされた、ディジタル映像信号を成すディジタルデータに、各ライン部毎に第１のグループと第２のグループとに振り分ける処理を施して、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成し、第１のワード列データに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第３のワード列データと、第２のグループを構成するデータに基づくワード伝送レートを７４．２５ＭＢｐｓとする第４のワード列データとを形成し、さらに、第２のワード列データに、各１２ビットワードを上位１０ビットと下位２ビットとに分割する処理を施し、分割された複数の上位１０ビットを第３のグループと第４のグループとに振り分けるとともに、分割された複数の下位２ビットを所定数ずつ多重して第４のグループに加え、第３のグループを構成するデータに基づくワード伝送レートを７４．２５ＭＢｐｓとする第５のワード列データと、第４のグループを構成するデータに基づくワード伝送レートを７４．２５ＭＢｐｓとする第６のワード列データとを形成するデータ処理部と、データ処理部から得られる第１のワード列データに基づく第１のシリアルデータを得る第１のＰ／Ｓ変換部と、データ処理部から得られる第２のワード列データに基づく第２のシリアルデータを得る第２のＰ／Ｓ変換部と、データ処理部から得られる第３のワード列データに基づく第３のシリアルデータを得る第３のＰ／Ｓ変換部と、データ処理部から得られる第４のワード列データに基づく第４のシリアルデータを得る第４のＰ／Ｓ変換部と、第１，第２，第３及び第４のＰ／Ｓ変換部から夫々得られる第１，第２，第３及び第４のシリアルデータを伝送すべく送出するデータ送出部と、を備えて構成される。
本発明に係るデータ伝送装置の第５の態様は、フレームレートを６０Ｈｚとし、各フレームにおけるライン数が７５０ライン，各フレームにおける有効ライン数が７２０ライン，各ラインにおける有効データサンプル数が１２８０サンプルに設定され、量子化ビット数を１２ビット，１４ビットもしくは１６ビットとするディジタル映像信号を成すディジタルデータに、各１２ビット，１４ビットもしくは１６ビットワードを上位１０ビットと下位２ビット，４ビットもしくは６ビットとに分割する処理を施して、分割された上位１０ビットに基づくワード伝送レートを７４．２５ＭＢｐｓとする第１のワード列データと、分割された下位２ビット，４ビットもしくは６ビットに基づくワード伝送レートを７４．２５ＭＢｐｓとする第２のワード列データとを形成するデータ処理部と、データ処理部から得られる第１のワード列データに基づく第１のシリアルデータを得る第１のＰ／Ｓ変換部と、データ処理部から得られる第２のワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第６の態様は、フレームレートを６０Ｈｚとし、各フレームにおけるライン数が７５０ライン部，各フレームにおける有効ライン数が７２０ライン，各ラインにおける有効データサンプル数が１２８０サンプルに設定され、量子化ビット数を１２ビットとするディジタル映像信号を成すディジタルデータに、各１２ビットワードを上位１０ビットと下位２ビットとに分割する処理を施し、分割された複数の上位１０ビットを第１のグループと第２のグループとに振り分けるとともに、分割された複数の下位２ビットを所定数ずつ多重して第２のグループに加え、第１のグループを構成するデータに基づくワード伝送レートを７４．２５ＭＢｐｓとする第１のワード列データと、第２のグループを構成するデータに基づくワード伝送レートを７４．２５ＭＢｐｓとする第２のワード列データとを形成するデータ処理部と、データ処理部から得られる第１のワード列データに基づく第１のシリアルデータを得る第１のＰ／Ｓ変換部と、データ処理部から得られる第２のワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第７の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１０ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１０ビットとしてワード伝送レートを７４．２５ＭＢｐｓとする付加情報データ系列とを含む３０ビットパラレルデータに、Ｙデータ系列及びＰＢ／ＰＲデータ系列に基づく、ワード伝送レートを７４．２５ＭＢｐｓとする第１の２０ビットワード列データと、付加情報データ系列に基づく、ワード伝送レートを７４．２５ＭＢｐｓとする第２の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第８の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ、各ラインにおける有効データサンプル数が１９２０サンプルに設定されたディジタル映像信号を成し、各々が量子化ビット数を１０ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１０ビットとしてワード伝送レートを７４．２５ＭＢｐｓとする付加情報データ系列とを含む４０ビットパラレルデータに、Ｇデータ系列，Ｂデータ系列，Ｒデータ系列及び付加情報データ系列の夫々を形成する１０ビットワードを、Ｇデータ系列を形成する１０ビットワードとＢデータ系列及びＲデータ系列の夫々を形成する１０ビットワードの一部とを含む第１のワードグループと、付加情報データ系列を形成する１０ビットワードとＢデータ系列及びＲデータ系列の夫々を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第９の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１２ビットとしてワード伝送レートを７４．２５ＭＢｐｓとする付加情報データ系列とを含む３６ビットパラレルデータに、Ｙデータ系列，ＰＢ／ＰＲデータ系列及び付加情報データ系列の夫々を形成する各１２ビットワードを、上位１０ビットと下位２ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、付加情報データ系列から分割された複数の上位１０ビット，Ｙデータ系列及びＰＢ／ＰＲデータ系列から分割された複数の下位２ビット及び付加情報データ系列から分割された複数の下位２ビットに基づく、ワード伝送レートを７４．２５ＭＢｐｓとする第２の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第１０の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビット，１４ビットもしくは１６ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１２ビット，１４ビットもしくは１６ビットとしてワード伝送レートを７４．２５ＭＢｐｓとする付加情報データ系列とを含む３６ビット，４２ビットもしくは４８ビットパラレルデータに、Ｙデータ系列，ＰＢ／ＰＲデータ系列及び付加情報データ系列の夫々を形成する各１２ビット，１４ビットもしくは１６ビットワードを、上位１０ビットと下位２ビット，４ビットもしくは６ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、Ｙデータ系列及びＰＢ／ＰＲデータ系列から分割された複数の下位２ビット，４ビットもしくは６ビットに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第３の２０ビットワード列データに基づく第３のシリアルデータを得る第３のＰ／Ｓ変換部と、第１，第２及び第３のＰ／Ｓ変換部から夫々得られる第１，第２及び第３のシリアルデータを伝送すべく送出するデータ送出部と、を備えて構成される。
本発明に係るデータ伝送装置の第１１の態様は、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定されたディジタル映像信号を成し、各々が量子化ビット数を１２ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１２ビットとしてワード伝送レートを７４．２５ＭＢｐｓとする付加情報データ系列とを含む４８ビットパラレルデータに、Ｇデータ系列，Ｂデータ系列，Ｒデータ系列及び付加情報データ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットとに基づく、ワード伝送レートを７４．２５ＭＢｐｓとする第２の２０ビットワード列データと、付加情報データ系列から分割された複数の上位１０ビット及び複数の下位２ビットに基づく、ワード伝送レートを７４．２５ＭＢｐｓとする第３の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第３の２０ビットワード列データに基づく第３のシリアルデータを得る第３のＰ／Ｓ変換部と、第１，第２及び第３のＰ／Ｓ変換部から夫々得られる第１，第２及び第３のシリアルデータを伝送すべく送出するデータ送出部と、を備えて構成される。
本発明に係るデータ伝送装置の第１２の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定されたディジタル映像信号を成し、各々が量子化ビット数を１０ビットとしてワード伝送レートを１４８．５ＭＢｐｓとするＹデータ系列及びＰＢ／ＰＲデータ系列と、Ｙデータ系列と同等のデータフォーマットを有し、量子化ビット数を１０ビットとしてワード伝送レートを１４８．５ＭＢｐｓとする付加情報データ系列とを含む３０ビットパラレルデータに、Ｙデータ系列及びＰＢ／ＰＲデータ系列の夫々を各ライン部毎に振り分けて、各々がワード伝送レートを７４．２５ＭＢｐｓとする第１及び第２の２０ビットワード列データを形成するとともに、付加情報データ系列に基づく、ワード伝送レートを７４．２５ＭＢｐｓとする第３の２０ビットワード列データを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第３の２０ビットワード列データに基づく第３のシリアルデータを得る第３のＰ／Ｓ変換部と、第１，第２及び第３のＰ／Ｓ変換部から夫々得られる第１，第２及び第３のシリアルデータを伝送すべく送出するデータ送出部とを備えて構成される。
本発明に係るデータ伝送装置の第１３の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各有効ラインにおけるデータサンプル数が１９２０サンプルに設定されたディジタル映像信号を成し、各々が量子化ビット数を１０ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１０ビットとしてワード伝送レートを１４８．５ＭＢｐｓとする付加情報データ系列とを含む４０ビットパラレルデータに、その４０ビットパラレルデータを各ライン部毎に振り分けて、各々がワード伝送レートを７４．２５ＭＢｐｓとする第１及び第２の分割４０ビットパラレルデータを形成する処理を施し、さらに、第１の分割４０ビットパラレルデータに含まれるＧデータ系列，Ｂデータ系列，Ｒデータ系列及び付加情報データ系列の夫々を形成する１０ビットワードを、Ｇデータ系列を形成する１０ビットワードとＢデータ系列及びＲデータ系列の夫々を形成する１０ビットワードの一部とを含む第１のワードグループと、付加情報データ系列を形成する１０ビットワードとＢデータ系列及びＲデータ系列の夫々を形成する１０ビットワードの他の一部とを含む第２のワードグループとに振り分けて、第１及び第２のワードグループに夫々基づく、各々がワード伝送レートを７４．２５ＭＢｐｓとする第１及び第２の２０ビットワード列データを形成するデータ処理を施すとともに、第２の分割４０ビットパラレルデータに含まれるＧデータ系列，Ｂデータ系列，Ｒデータ系列及び付加情報データ系列の夫々を形成する１０ビットワードを、Ｇデータ系列を形成する１０ビットワードとＢデータ系列及びＲデータ系列の夫々を形成する１０ビットワードの一部とを含む第３のワードグループと、付加情報データ系列を形成する１０ビットワードとＢデータ系列及びＲデータ系列の夫々を形成する１０ビットワードの他の一部とを含む第４のワードグループとに振り分けて、第３及び第４のワードグループに夫々基づく、各々がワード伝送レートを７４．２５ＭＢｐｓとする第３及び第４の２０ビットワード列データを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第３の２０ビットワード列データに基づく第３のシリアルデータを得る第３のＰ／Ｓ変換部と、第４の２０ビットワード列データに基づく第４のシリアルデータを得る第４のＰ／Ｓ変換部と、第１，第２，第３及び第４のＰ／Ｓ変換部から夫々得られる第１，第２，第３及び第４のシリアルデータを伝送すべく送出するデータ送出部と、を備えて構成される。
本発明に係るデータ伝送装置の第１４の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定されたディジタル映像信号を成し、各々が量子化ビット数を１２ビット，１４ビットもしくは１６ビットとしてワード伝送レートを１４８．５ＭＢｐｓとするＹデータ系列及びＰＢ／ＰＲデータ系列と、Ｙデータ系列と同等のデータフォーマットを有し、量子化ビット数を１２ビット，１４ビットもしくは１６ビットとしてワード伝送レートを１４８．５ＭＢｐｓとする付加情報データ系列とを含む３６ビット，４２ビットもしくは４８ビットパラレルデータに、その３６ビット，４２ビットもしくは４８ビットパラレルデータを各ライン部毎に振り分けて、各々がワード伝送レートを７４．２５ＭＢｐｓとする第１及び第２の分割３６ビット，４２ビットもしくは４８ビットパラレルデータを形成する処理を施し、さらに、第１の分割３６ビット，４２ビットもしくは４８ビットパラレルデータに含まれるＹデータ系列，ＰＢ／ＰＲデータ系列及び付加情報データ系列の夫々を形成する各１２ビット，１４ビットもしくは１６ビットワードを、上位１０ビットと下位２ビット，４ビットもしくは６ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、Ｙデータ系列及びＰＢ／ＰＲデータ系列から分割された複数の下位２ビット，４ビットもしくは６ビットに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するとともに、第２の分割３６ビット，４２ビットもしくは４８ビットパラレルデータに含まれるＹデータ系列，ＰＢ／ＰＲデータ系列及び付加情報データ系列の夫々を形成する各１２ビット，１４ビットもしくは１６ビットワードを、上位１０ビットと下位２ビット，４ビットもしくは６ビットとに分割し、Ｙデータ系列及びＰＢ／ＰＲデータ系列から分割された複数の上位１０ビットに基づく、ワード伝送レートを７４．２５ＭＢｐｓとする第４の２０ビットワード列データと、Ｙデータ系列及びＰＢ／ＰＲデータ系列から分割された複数の下位２ビット，４ビットもしくは６ビットに基づく、ワード伝送レートを７４．２５ＭＢｐｓとする第５の２０ビットワード列データと、付加情報データ系列から分割された複数の上位１０ビット及び複数の下位２ビット，４ビットもしくは６ビットに基づく、ワード伝送レートを７４．２５ＭＢｐｓとする第６の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第３の２０ビットワード列データに基づく第３のシリアルデータを得る第３のＰ／Ｓ変換部と、第４の２０ビットワード列データに基づく第４のシリアルデータを得る第４のＰ／Ｓ変換部と、第５の２０ビットワード列データに基づく第５のシリアルデータを得る第５のＰ／Ｓ変換部と、第６の２０ビットワード列データに基づく第６のシリアルデータを得る第６のＰ／Ｓ変換部と、第１，第２，第３，第４，第５及び第６のＰ／Ｓ変換部から夫々得られる第１，第２，第３，第４，第５及び第６のシリアルデータを伝送すべく送出するデータ送出部と、を備えて構成される。
本発明に係るデータ伝送装置の第１５の態様は、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各有効ラインにおけるデータサンプル数が１９２０サンプルに設定されたディジタル映像信号を成し、各々が量子化ビット数を１２ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１２ビットとしてワード伝送レートを１４８．５ＭＢｐｓとする付加情報データ系列とを含む４８ビットパラレルデータに、その４８ビットパラレルデータを各ライン部毎に振り分けて、各々がワード伝送レートを７４．２５ＭＢｐｓとする第１及び第２の分割４８ビットパラレルデータを形成する処理を施し、さらに、第１の分割４８ビットパラレルデータに含まれるＧデータ系列，Ｂデータ系列，Ｒデータ系列及び付加情報データ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットとに基づく、ワード伝送レートを７４．２５ＭＢｐｓとする第２の２０ビットワード列データと、付加情報データ系列から分割された複数の上位１０ビット及び複数の下位２ビットに基づく、ワード伝送レートを７４．２５ＭＢｐｓとする第３の２０ビットワード列データとを形成するとともに、第２の分割４８ビットパラレルデータに含まれるＧデータ系列，Ｂデータ系列，Ｒデータ系列及び付加情報データ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする第４の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットとに基づく、ワード伝送レートを７４．２５ＭＢｐｓとする第５の２０ビットワード列データと、付加情報データ系列から分割された複数の上位１０ビット及び複数の下位２ビットに基づく、ワード伝送レートを７４．２５ＭＢｐｓとする第６の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第３の２０ビットワード列データに基づく第３のシリアルデータを得る第３のＰ／Ｓ変換部と、第４の２０ビットワード列データに基づく第４のシリアルデータを得る第４のＰ／Ｓ変換部と、第５の２０ビットワード列データに基づく第５のシリアルデータを得る第５のＰ／Ｓ変換部と、第６の２０ビットワード列データに基づく第６のシリアルデータを得る第６のＰ／Ｓ変換部と、第１，第２，第３，第４，第５及び第６のＰ／Ｓ変換部から夫々得られる第１，第２，第３，第４，第５及び第６のシリアルデータを伝送すべく送出するデータ送出部と、を備えて構成される。
本発明に係るデータ伝送装置の第１６の態様は、フレームレートを６０Ｈｚとし、各フレームにおけるライン数が７５０ライン，各フレームにおける有効ライン数が７２０ライン，各ラインにおける有効データサンプル数が１２８０サンプルに設定された７２０Ｐ信号を成し、各々が量子化ビット数を１０ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１０ビットとしてワード伝送レートを７４．２５ＭＢｐｓとする付加情報データ系列とを含む３０ビットパラレルデータに、Ｙデータ系列及びＰＢ／ＰＲデータ系列に基づく、ワード伝送レートを７４．２５ＭＢｐｓとする第１の２０ビットワード列データと、付加情報データ系列に基づく、ワード伝送レートを７４．２５ＭＢｐｓとする第２の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第１７の態様は、フレームレートを６０Ｈｚとし、各フレームにおけるライン数が７５０ライン，各フレームにおける有効ライン数が７２０ライン，各ラインにおける有効データサンプル数が１２８０サンプルに設定された７２０Ｐ信号を成し、各々が量子化ビット数を１０ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１０ビットとしてワード伝送レートを７４．２５ＭＢｐｓとする付加情報データ系列とを含む４０ビットパラレルデータに、Ｇデータ系列，Ｂデータ系列，Ｒデータ系列及び付加情報データ系列の夫々を形成する１０ビットワードを、Ｇデータ系列を形成する１０ビットワードとＢデータ系列及びＲデータ系列の夫々を形成する１０ビットワードの一部とを含む第１のワードグループと、付加情報データ系列を形成する１０ビットワードとＢデータ系列及びＲデータ系列の夫々を形成する１０ビットワードの他の一部とを含む第２のワードグループとに振り分け、第１のワードグループに基づく、ワード伝送レートを７４．２５ＭＢｐｓする第１の２０ビットワード列データと、第２のワードグループに基づく、ワード伝送レートを７４．２５ＭＢｐｓとする第２の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第１８の態様は、フレームレートを６０Ｈｚとし、各フレームにおけるライン数が７５０ライン，各フレームにおける有効ライン数が７２０ライン，各ラインにおける有効データサンプル数が１２８０サンプルに設定された７２０Ｐ信号を成し、各々が量子化ビット数を１２ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１２ビットとしてワード伝送レートを７４．２５ＭＢｐｓとする付加情報データ系列とを含む３６ビットパラレルデータに、Ｙデータ系列，ＰＢ／ＰＲデータ系列及び付加情報データ系列の夫々を形成する各１２ビットワードを、上位１０ビットと下位２ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、付加情報データ系列から分割された複数の上位１０ビット，Ｙデータ系列及びＰＢ／ＰＲデータ系列から分割された複数の下位２ビット及び付加情報データ系列から分割された複数の下位２ビットに基づく、ワード伝送レートを７４．２５ＭＢｐｓとする第２の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第１及び第２のＰ／Ｓ変換部から夫々得られる第１及び第２のシリアルデータを伝送すべく送出するデータ送出部と、を備えて構成される。
本発明に係るデータ伝送装置の第１９の態様は、フレームレートを６０Ｈｚとし、各フレームにおけるライン数が７５０ライン，各フレームにおける有効ライン数が７２０ライン，各ラインにおける有効データサンプル数が１２８０サンプルに設定された７２０Ｐ信号を成し、各々が量子化ビット数を１２ビット，１４ビットもしくは１６ビットとしてワード伝送レートを７４．２５ＭＢｐｓとするＹデータ系列及びＰＢ／ＰＲデータ系列と、Ｙデータ系列と同等のデータフォーマットを有し、量子化ビット数を１２ビット，１４ビットもしくは１６ビットとしてワード伝送レートを７４．２５ＭＢｐｓとする付加情報データ系列とを含む３６ビット，４２ビットもしくは４８ビットパラレルデータに、Ｙデータ系列，ＰＢ／ＰＲデータ系列及び付加情報データ系列の夫々を形成する各１２ビット，１４ビットもしくは１６ビットワードを、上位１０ビットと下位２ビット，４ビットもしくは６ビットとに分割し、Ｙデータ系列及びＰＢ／ＰＲデータ系列から分割された複数の上位１０ビットに基づく、ワード伝送レートを７４．２５ＭＢｐｓとする第１の２０ビットワード列データと、Ｙデータ系列及びＰＢ／ＰＲデータ系列から分割された複数の下位２ビット，４ビットもしくは６ビットに基づく、ワード伝送レートを７４．２５ＭＢｐｓとする第２の２０ビットワード列データと、付加情報データ系列から分割された複数の上位１０ビット及び複数の下位２ビット，４ビットもしくは６ビットに基づく、ワード伝送レートを７４．２５ＭＢｐｓとする第３の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第３の２０ビットワード列データに基づく第３のシリアルデータを得る第３のＰ／Ｓ変換部と、第１，第２及び第３のＰ／Ｓ変換部から夫々得られる第１，第２及び第３のシリアルデータを伝送すべく送出するデータ送出部と、を備えて構成される。
本発明に係るデータ伝送装置の第２０の態様は、フレームレートを６０Ｈｚとし、各フレームにおけるライン数が７５０ライン，各フレームにおける有効ライン数が７２０ライン，各ラインにおける有効データサンプル数が１２８０サンプルに設定された７２０Ｐ信号を成し、各々が量子化ビット数を１２ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１２ビットとしてワード伝送レートを７４．２５ＭＢｐｓとする付加情報データ系列とを含む４８ビットパラレルデータに、Ｇデータ系列，Ｂデータ系列，Ｒデータ系列及び付加情報データ系列の夫々を形成する各１２ビットワードを、上位１０ビットと下位２ビットとに分割し、Ｇデータ系列から分割された複数の上位１０ビットとＢデータ系列及びＲデータ系列の夫々から分割された複数の上位１０ビットの一部とに基づく、ワード伝送レートを７４．２５ＭＢｐｓとする第１の２０ビットワード列データと、Ｂデータ系列及びＲデータ系列の夫々から分割された複数の上位１０ビットの他の一部と、Ｇデータ系列，Ｂデータ系列及びＲデータ系列から分割された複数の下位２ビットとに基づく、ワード伝送レートを７４．２５ＭＢｐｓとする第２の２０ビットワード列データと、付加情報データ系列から分割された複数の上位１０ビット及び複数の下位２ビットに基づく、ワード伝送レートを７４．２５ＭＢｐｓとする第３の２０ビットワード列データとを形成するデータ処理を施すデータ処理部と、第１の２０ビットワード列データに基づく第１のシリアルデータを得る第１のＰ／Ｓ変換部と、第２の２０ビットワード列データに基づく第２のシリアルデータを得る第２のＰ／Ｓ変換部と、第３の２０ビットワード列データに基づく第３のシリアルデータを得る第３のＰ／Ｓ変換部と、第１，第２及び第３のＰ／Ｓ変換部から夫々得られる第１，第２及び第３のシリアルデータを伝送すべく送出するデータ送出部と、を備えて構成される。
上述の如くの本発明に係るデータ形成方法の第１もしくは第２の態様によれば、量子化ビット数を１２ビット，１４ビットもしくは１６ビットとするディジタルデータによって形成されるディジタル映像信号が得られる。斯かるディジタル映像信号を成すディジタルデータは、各有効ライン部についての禁止コードが上位８ビットを１６進表現で００ｈもしくはＦＦｈとする全ての１２ビットコード，１４ビットコードもしくは１６ビットコードとされることにより、各１２ビットワード，１４ビットワードもしくは１６ビットワードの上位８ビットもしくは上位１０ビットの連なりにより形成される８ビットワード列データもしくは１０ビットワード列データは、従前の量子化ビット数を８ビットもしくは１０ビットとするＨＤディジタル映像信号を成すディジタルデータとの互換性がとれていることになる。従って、本発明に係るデータ形成方法の第１もしくは第２の態様により得られるディジタル映像信号を成すディジタルデータは、例えば、従前の量子化ビット数を８ビットもしくは１０ビットとするＨＤディジタル映像信号を成すディジタルデータ用の機器を用いての記録・再生，編集，画像再生等の処理に供され得るものとなる。
特に、本発明に係るデータ形成方法の第３の態様によれば、量子化ビット数を１２ビット，１４ビットもしくは１６ビットとするディジタルデータによって形成される７２０Ｐ信号が得られる。斯かる７２０Ｐ信号を成すディジタルデータも、各有効ライン部についての禁止コードが上位８ビットを１６進表現で００ｈもしくはＦＦｈとする全ての１２ビットコード，１４ビットコードもしくは１６ビットコードとされることにより、各１２ビットワード，１４ビットワードもしくは１６ビットワードの上位８ビットもしくは上位１０ビットの連なりにより形成される８ビットワード列データもしくは１０ビットワード列データは、従前の量子化ビット数を８ビットもしくは１０ビットとする７２０Ｐ信号を成すディジタルデータとの互換性がとれていることになる。従って、本発明に係るデータ形成方法の第３の態様により得られる７２０Ｐ信号を成すディジタルデータは、例えば、従前の量子化ビット数を８ビットもしくは１０ビットとする７２０Ｐ信号を成すディジタルデータ用の機器を用いての記録・再生，編集，画像再生等の処理に供され得るものとなる。
また、本発明に係るデータ伝送方法の第１，第２，第３もしくは第４の態様、あるいは、本発明に係るデータ伝送装置の第１，第２，第３もしくは第４の態様にあっては、量子化ビット数を１２ビット，１４ビットもしくは１６ビットとするディジタル映像信号を成すディジタルデータを、各々が従前の量子化ビット数を８ビットもしくは１０ビットとするＨＤディジタル映像信号を成すディジタルデータとの互換性がとれていることになる複数のワード列データに分割し、さらに、斯かる複数のワード列データの夫々をシリアルデータに変換したうえで伝送することになる。従って、本発明に係るデータ伝送方法の第１，第２，第３もしくは第４の態様、あるいは、本発明に係るデータ伝送装置の第１，第２，第３もしくは第４の態様にによれば、量子化ビット数を１２ビット，１４ビットもしくは１６ビットとするディジタル映像信号を成すディジタルデータのシリアル伝送を、例えば、従前の量子化ビット数を８ビットもしくは１０ビットとするＨＤディジタル映像信号を成すディジタルデータのシリアル伝送に用いられる回路構成要素を利用して、適切に行うことができる。
本発明に係るデータ伝送方法の第５もしくは第６の態様、あるいは、本発明に係るデータ伝送装置の第５もしくは第６の態様にあっては、量子化ビット数を１２ビット，１４ビットもしくは１６ビットとする７２０Ｐ信号を成すディジタルデータを、各々が従前の量子化ビット数を８ビットもしくは１０ビットとするＨＤディジタル映像信号を成すディジタルデータとの互換性がとれていることになる複数のワード列データに分割し、さらに、斯かる複数のワード列データの夫々をシリアルデータに変換したうえで伝送することになる。従って、本発明に係るデータ伝送方法の第５もしくは第６の態様、あるいは、本発明に係るデータ伝送装置の第５もしくは第６の態様によれば、量子化ビット数を１２ビット，１４ビットもしくは１６ビットとする７２０Ｐ信号を成すディジタルデータのシリアル伝送を、例えば、従前の量子化ビット数を８ビットもしくは１０ビットとするＨＤディジタル映像信号を成すディジタルデータのシリアル伝送に用いられる回路構成要素を利用して、適切に行うことができる。
本発明に係るデータ伝送方法の第７から第１５までのいずれかの態様、あるいは、本発明に係るデータ伝送装置の第７から第１５までのいずれかの態様にあっては、量子化ビット数を１０ビット，１２ビット，１４ビットもしくは１６ビットとするディジタル映像信号を成すＹデータ系列及びＰＢ／ＰＲデータ系列、もしくは、Ｇデータ系列，Ｂデータ系列及びＲデータ系列と、Ｙデータ系列もしくはＧデータ系列と同等のデータフォーマットを有した付加情報データ系列とを、付加情報データ系列がＹデータ系列及びＰＢ／ＰＲデータ系列、もしくは、Ｇデータ系列，Ｂデータ系列及びＲデータ系列に付随するものとしたもとで、各々がワード伝送レートを７４．２５ＭＢｐｓとする複数の２０ビットワード列データに変換し、さらに、斯かる複数の２０ビットワード列データの夫々をシリアルデータに変換したうえで伝送することになる。
そして、各々がワード伝送レートを７４．２５ＭＢｐｓとする複数の２０ビットワード列データに対する処理、及び、それらの夫々をシリアルデータに変換して伝送する処理は、従前の量子化ビット数を１０ビットとするＨＤディジタル映像信号を成すディジタルデータのシリアル伝送に用いられる回路構成要素を用いて行うことができる処理である。また、Ｙデータ系列及びＰＢ／ＰＲデータ系列、もしくは、Ｇデータ系列，Ｂデータ系列及びＲデータ系列に付随するものとされる付加情報データ系列は、Ｙデータ系列及びＰＢ／ＰＲデータ系列、もしくは、Ｇデータ系列，Ｂデータ系列及びＲデータ系列を含んでディジタル映像信号を成すディジタルデータに関連するＫｅｙ信号データ系列とすることができるものである。
従って、本発明に係るデータ伝送方法の第７から第１５までのいずれかの態様、あるいは、本発明に係るデータ伝送装置の第７から第１５までのいずれかの態様によれば、量子化ビット数を１０ビット以上、例えば、１０ビット，１２ビット，１４ビットもしくは１６ビットとするディジタル映像信号を成すディジタルデータとそれに関連するＫｅｙ信号データ系列との伝送を、Ｋｅｙ信号データ系列を伝送されるディジタル映像信号を成すディジタルデータに付随する付加情報データ系列とした状態で行うことができ、しかも、その伝送を、例えば、量子化ビット数を１０ビットとするディジタル映像信号を成すディジタルデータのシリアル伝送に用いられる現存する回路構成要素を利用して、適切に実現することができる。
本発明に係るデータ伝送方法の第１６から第２０までのいずれかの態様、あるいは、本発明に係るデータ伝送装置の第１６から第２０までのいずれかの態様にあっては、量子化ビット数を１０ビット，１２ビット，１４ビットもしくは１６ビットとする７２０Ｐ信号を成すＹデータ系列及びＰＢ／ＰＲデータ系列、もしくは、Ｇデータ系列，Ｂデータ系列及びＲデータ系列と、Ｙデータ系列もしくはＧデータ系列と同等のデータフォーマットを有した付加情報データ系列とを、付加情報データ系列がＹデータ系列及びＰＢ／ＰＲデータ系列、もしくは、Ｇデータ系列，Ｂデータ系列及びＲデータ系列に付随するものとしたもとで、各々がワード伝送レートを７４．２５ＭＢｐｓとする複数の２０ビットワード列データに変換し、さらに、斯かる複数の２０ビットワード列データの夫々をシリアルデータに変換したうえで伝送することになる。
そして、各々がワード伝送レートを７４．２５ＭＢｐｓとする複数の２０ビットワード列データに対する処理、及び、それらの夫々をシリアルデータに変換して伝送する処理は、従前の量子化ビット数を１０ビットとするＨＤディジタル映像信号を成すディジタルデータのシリアル伝送に用いられる回路構成要素を用いて行うことができる処理である。また、Ｙデータ系列及びＰＢ／ＰＲデータ系列、もしくは、Ｇデータ系列，Ｂデータ系列及びＲデータ系列に付随するものとされる付加情報データ系列は、Ｙデータ系列及びＰＢ／ＰＲデータ系列、もしくは、Ｇデータ系列，Ｂデータ系列及びＲデータ系列を含んでディジタル映像信号を成すディジタルデータに関連するＫｅｙ信号データ系列とすることができるものである。
従って、本発明に係るデータ伝送方法の第１６から第２０までのいずれかの態様、あるいは、本発明に係るデータ伝送装置の第１６から第２０までのいずれかの態様によれば、量子化ビット数を１０ビット以上、例えば、１０ビット，１２ビット，１４ビットもしくは１６ビットとする７２０Ｐ信号を成すディジタルデータとそれに関連するＫｅｙ信号データ系列との伝送を、Ｋｅｙ信号データ系列を伝送される７２０Ｐ信号を成すディジタルデータに付随する付加情報データ系列とした状態で行うことができ、しかも、その伝送を、例えば、量子化ビット数を１０ビットとするディジタル映像信号を成すディジタルデータのシリアル伝送に用いられる現存する回路構成要素を利用して、適切に実現することができる。
発明を実施するための最良の形態
図３は、本発明に係るデータ形成方法の第１もしくは第２の態様を成す第１の例により形成されるディジタル映像信号を成すディジタルデータの一例のデータフォーマットを示す。
図３に示されるデータフォーマットを有するディジタルデータが得られる本発明に係るデータ形成方法の第１の例は、量子化ビット数を１２ビット，１４ビットもしくは１６ビットとする４：２：２形式のディジタル映像信号を成すディジタルデータを形成する。斯かるディジタルデータは、４：２：２形式のディジタル映像信号を成すものであるので、量子化ビット数を１２ビット，１４ビットもしくは１６ビットとするＹデータ系列と量子化ビット数を１２ビット，１４ビットもしくは１６ビットとするＰＢ／ＰＲデータ系列とから成るものとされる。
そして、上述の図３に示されるデータフォーマットを有するディジタルデータが得られる本発明に係るデータ形成方法の第１の態様にあっては、Ｙデータ系列とＰＢ／ＰＲデータ系列とについて、フレーム部を１／２４秒，１／２５秒もしくは１／３０秒毎に連なるものとして設定するとともに、その各フレーム部をライン部Ｌ０００１からライン部Ｌ１１２５までの１１２５ライン部の連なりをもって形成する。また、各フレーム部における有効ライン部をライン部Ｌ００４２からライン部Ｌ１１２１までとし、各フレーム部における有効ライン部数を１０８０ライン部に設定する。さらに、サンプリング周波数を７４．２５ＭＨｚに設定して、各ライン部における有効データサンプル数を１９２０サンプルに設定する。そして、量子化ビット数を１２ビット，１４ビットもしくは１６ビットに選定する。
斯かるもとで、各フレーム部におけるライン部Ｌ０００１からライン部Ｌ１１２５までの夫々は、量子化ビット数を１２ビット，１４ビットもしくは１６ビットとするＹデータ系列のライン部と量子化ビット数を１２ビット，１４ビットもしくは１６ビットとするＰＢ／ＰＲデータ系列のライン部とを含むことになるが、特に、有効ライン部を形成するライン部Ｌ００４２からライン部Ｌ１１２１までの夫々については、それらのうちの一つであるライン部Ｌ００４２における状態が図３に例示されている如くに、それを形成する量子化ビット数を１２ビット，１４ビットもしくは１６ビットとするＹデータ系列のライン部及び量子化ビット数を１２ビット，１４ビットもしくは１６ビットとするＰＢ／ＰＲデータ系列のライン部の夫々を、ラインブランキング部と映像データ部とを含むものとして形成する。
そして、各ラインブランキング部を、その始端部分にタイミング基準コード：ＥＡＶが配されるとともに、その終端部分にタイミング基準コード：ＳＡＶが配されるものとして構成する。一方、映像データ部については、Ｙデータ系列における映像データ部を有効データサンプル数を１９２０サンプルとする輝度信号情報をあらわすデータＹＤを配して構成し、また、ＰＢ／ＰＲデータ系列における映像データ部を有効データサンプル数を１９２０サンプルとする色差信号情報をあらわすデータＰｂＤ／ＰｒＤを配して構成する。
さらに、各フレーム部における有効ライン部を形成するライン部Ｌ００４２からライン部Ｌ１１２１までの夫々を形成する、Ｙデータ系列のライン部及びＰＢ／ＰＲデータ系列のライン部の夫々における映像データ部を輝度信号情報をあらわすデータＹＤもしくは色差信号情報をあらわすデータＰｂＤ／ＰｒＤを配して構成するにあたり、上位８ビットが１６進表現で００ｈもしくはＦＦｈとなる全ての１２ビットコード，１４ビットコードもしくは１６ビットコードを、輝度信号情報をあらわすデータＹＤもしくは色差信号情報をあらわすデータＰｂＤ／ＰｒＤとしては用いない禁止コードとする。
このようにして定められる禁止コードは、図４に示される如く、量子化ビット数が１２ビットである場合、１６進表現で０００ｈ〜００Ｆｈ及びＦＦ０ｈ〜ＦＦＦｈ、即ち、００００  ００００  ００００〜００００  ００００  １１１１及び１１１１  １１１１  ００００〜１１１１  １１１１  １１１１とされ、量子化ビット数が１４ビットである場合、１６進表現で００００ｈ〜００３Ｆｈ及び３ＦＣ０ｈ〜ＦＦＦＦｈ、即ち、００  ００００  ００００  ００００〜００  ００００  ００１１  １１１１及び  １１  １１１１  １１００  ００００〜１１  １１１１  １１１１  １１１１とされ、量子化ビット数が１６ビットである場合、１６進表現で００００ｈ〜００ＦＦｈ及びＦＦ００ｈ〜ＦＦＦＦｈ、即ち、００００  ００００  ００００  ００００〜００００  ００００  １１１１  １１１１及び１１１１  １１１１  ００００  ００００〜１１１１  １１１１  １１１１  １１１１とされる。
上述の如くにして、図３に示されるデータフォーマットを有するディジタルデータが得られる本発明に係るデータ形成方法の第１の態様により、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、もしくは、量子化ビット数を１６ビットとするとき、各有効ライン部についての禁止コードが上位８ビットを１６進表現で００ｈもしくはＦＦｈとする全ての１６ビットコードとされた、４：２：２形式のディジタル映像信号を成すディジタルデータが形成される。
また、前述の図３に示されるデータフォーマットを有するディジタルデータが得られる本発明に係るデータ形成方法の第２の態様にあっては、Ｙデータ系列とＰＢ／ＰＲデータ系列とについて、フレーム部を１／５０秒毎もしくは１／６０秒毎に連なるものとして設定するとともに、その各フレーム部をライン部Ｌ０００１からライン部Ｌ１１２５までの１１２５ライン部の連なりをもって形成する。また、各フレーム部における有効ライン部をライン部Ｌ００４２からライン部Ｌ１１２１までとし、各フレーム部における有効ライン部数を１０８０ライン部に設定する。さらに、サンプリング周波数を１４８．５ＭＨｚに設定して、各ライン部における有効データサンプル数を１９２０サンプルに設定する。そして、量子化ビット数を１２ビット，１４ビットもしくは１６ビットに選定する。
斯かるもとにあっても、各フレーム部におけるライン部Ｌ０００１からライン部Ｌ１１２５までの夫々の構成、さらには、各フレーム部における有効ライン部を形成するライン部Ｌ００４２からライン部Ｌ１１２１までの夫々を形成する、Ｙデータ系列のライン部及びＰＢ／ＰＲデータ系列のライン部の夫々における映像データ部を輝度信号情報をあらわすデータＹＤもしくは色差信号情報をあらわすデータＰｂＤ／ＰｒＤを配して構成するにあたっての禁止コードの設定については、図３に示されるデータフォーマットを有するディジタルデータが得られる本発明に係るデータ形成方法の第１の態様の場合と同様となす。
このようにして、図３に示されるデータフォーマットを有するディジタルデータが得られる本発明に係るデータ形成方法の第２の態様により、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、もしくは、量子化ビット数を１６ビットとするとき、各有効ライン部についての禁止コードが上位８ビットを１６進表現で００ｈもしくはＦＦｈとする全ての１６ビットコードとされた、４：２：２形式のディジタル映像信号を成すディジタルデータが形成される。
図５は、本発明に係るデータ形成方法の第１もしくは第２の態様を成す第２の例により形成されるディジタル映像信号を成すディジタルデータの一例のデータフォーマットを示す。
図５に示されるデータフォーマットを有するディジタルデータが得られる本発明に係るデータ形成方法の第２の例は、量子化ビット数を１２ビットとする４：４：４形式のディジタル映像信号を成すディジタルデータを形成する。斯かるディジタルデータは、４：４：４形式のディジタル映像信号を成すものであるので、量子化ビット数を１２ビットとするＧデータ系列と量子化ビット数を１２ビットとするＢデータ系列と量子化ビット数を１２ビットとするＲデータ系列とから成るものとされる。
そして、上述の図５に示されるデータフォーマットを有するディジタルデータが得られる本発明に係るデータ形成方法の第１の態様にあっては、Ｇデータ系列，Ｂデータ系列及びＲデータ系列について、フレーム部を１／２４秒，１／２５秒もしくは１／３０秒毎に連なるものとして設定するとともに、その各フレーム部をライン部Ｌ０００１からライン部Ｌ１１２５までの１１２５ライン部の連なりをもって形成する。また、各フレーム部における有効ライン部をライン部Ｌ００４２からライン部Ｌ１１２１までとし、各フレーム部における有効ライン部数を１０８０ライン部に設定する。さらに、サンプリング周波数を７４．２５ＭＨｚに設定して、各ライン部における有効データサンプル数を１９２０サンプルに設定する。そして、量子化ビット数を１２ビットに選定する。
斯かるもとで、各フレーム部におけるライン部Ｌ０００１からライン部Ｌ１１２５までの夫々は、量子化ビット数を１２ビットとするＧデータ系列のライン部と、量子化ビット数を１２ビットとするＢデータ系列のライン部と、量子化ビット数を１２ビットするＲデータ系列のライン部とを含むことになるが、特に、有効ライン部を形成するライン部Ｌ００４２からライン部Ｌ１１２１までの夫々については、それらのうちの一つであるライン部Ｌ００４２における状態が図５に例示されている如くに、それを形成する量子化ビット数を１２ビットとするＧデータ系列のライン部，量子化ビット数を１２ビットとするＢデータ系列のライン部及び量子化ビット数を１２ビットとするＲデータ系列のライン部の夫々を、ラインブランキング部と映像データ部とを含むものとして形成する。
そして、各ラインブランキング部を、その始端部分にタイミング基準コード：ＥＡＶが配されるとともに、その終端部分にタイミング基準コード：ＳＡＶが配されるものとして構成する。一方、映像データ部については、Ｇデータ系列における映像データ部を有効データサンプル数を１９２０サンプルとする緑色原色信号情報をあらわすデータＧＤを配して構成し、Ｂデータ系列における映像データ部を有効データサンプル数を１９２０サンプルとする青色原色信号情報をあらわすデータＢＤを配して構成し、Ｒデータ系列における映像データ部を有効データサンプル数を１９２０サンプルとする赤色原色信号情報をあらわすデータＲＤを配して構成する。
さらに、各フレーム部における有効ライン部を形成するライン部Ｌ００４２からライン部Ｌ１１２１までの夫々を形成する、Ｇデータ系列のライン部，Ｂデータ系列のライン部及びＲデータ系列のライン部の夫々における映像データ部を緑色原色信号情報をあらわすデータＧＤ，青色原色信号情報をあらわすデータＢＤもしくは赤色原色信号情報をあらわすデータＲＤを配して構成するにあたり、上位８ビットが１６進表現で００ｈもしくはＦＦｈとなる全ての１２ビットコードを、緑色原色信号情報をあらわすデータＧＤ，青色原色信号情報をあらわすデータＢＤ及び赤色原色信号情報をあらわすデータＲＤとしては用いない禁止コードとする。このようにして定められる禁止コードも、前述の図４に示される量子化ビット数が１２ビットである場合のものとされる。
上述の如くにして、図５に示されるデータフォーマットを有するディジタルデータが得られる本発明に係るデータ形成方法の第１の態様により、フレームレートを２４Ｈｚ，２５Ｈｚもしくは３０Ｈｚとし、各フレームにおけるライン数が１１２５ライン，各フレームにおける有効ライン数が１０８０ライン，サンプリング周波数が７４．２５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、４：４：４形式のディジタル映像信号を成すディジタルデータが形成される。
また、図５に示されるデータフォーマットを有するディジタルデータが得られる本発明に係るデータ形成方法の第２の態様にあっては、Ｇデータ系列，Ｂデータ系列及びＲデータ系列について、フレーム部を１／５０秒毎もしくは１／６０秒毎に連なるものとして設定するとともに、その各フレーム部をライン部Ｌ０００１からライン部Ｌ１１２５までの１１２５ライン部の連なりをもって形成する。また、各フレーム部における有効ライン部をライン部Ｌ００４２からライン部Ｌ１１２１までとし、各フレーム部における有効ライン部数を１０８０ライン部に設定する。さらに、サンプリング周波数を１４８．５ＭＨｚに設定して、各ライン部における有効データサンプル数を１９２０サンプルに設定する。そして、量子化ビット数を１２ビットに選定する。
斯かるもとにあっても、各フレーム部におけるライン部Ｌ０００１からライン部Ｌ１１２５までの夫々の構成、さらには、各フレーム部における有効ライン部を形成するライン部Ｌ００４２からライン部Ｌ１１２１までの夫々を形成する、Ｇデータ系列のライン部，Ｂデータ系列のライン部及びＲデータ系列のライン部の夫々における映像データ部を、緑色原色信号情報をあらわすデータＧＤ，青色原色信号情報をあらわすデータＢＤもしくは赤色原色信号情報をあらわすデータＲＤを配して構成するにあたっての禁止コードの設定については、図５に示されるデータフォーマットを有するディジタルデータが得られる本発明に係るデータ形成方法の第１の態様の場合と同様となす。
このようにして、図５に示されるデータフォーマットを有するディジタルデータが得られる本発明に係るデータ形成方法の第２の態様により、フレームレートを５０Ｈｚもしくは６０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１２ビットとし、各有効ライン部についての禁止コードが上位８ビットを１６進表現で００ｈもしくはＦＦｈとする全ての１２ビットコードとされた、４：４：４形式のディジタル映像信号を成すディジタルデータが形成される。
上述の本発明に係るデータ形成方法の第１の例及び第２の例によって得られるディジタルデータは、それらを整理してみると、図６に示される如くの、フレームレートを２４Ｈｚ，２５Ｈｚ，３０Ｈｚ，５０Ｈｚもしくは６０Ｈｚとし、各フレームにおけるライン数が１１２５ラインであって有効ライン数が１０８０ライン，サンプリング周波数が７４．２５ＭＨｚもしくは１４８．５ＭＨｚ，各ラインにおける有効データサンプル数が１９２０サンプルに設定され、量子化ビット数を１２ビットとして、各有効ライン部についての禁止コードが上位８ビットを１６進表現で００ｈもしくはＦＦｈとする全ての１２ビットコードとされた、４：２：２形式もしくは４：４：４形式のディジタル映像信号を成すディジタルデータＤＡ１２〜ＤＪ１２と、図７に示される如くの、フレームレートを２４Ｈｚ，２５Ｈｚ，３０Ｈｚ，５０Ｈｚもしくは６０Ｈｚとし、各フレームにおけるライン数が１１２５ラインであって有効ライン数が１０８０ライン，サンプリング周波数が７４．２５ＭＨｚもしくは１４８．５ＭＨｚ，各ラインにおける有効データサンプル数が１９２０サンプルに設定され、量子化ビット数を１４ビットとして、各有効ライン部についての禁止コードが上位８ビットを１６進表現で００ｈもしくはＦＦｈとする全ての１４ビットコードとされた、４：２：２形式のディジタル映像信号を成すディジタルデータＤＡ１４〜ＤＥ１４と、図８に示される如くの、フレームレートを２４Ｈｚ，２５Ｈｚ，３０Ｈｚ，５０Ｈｚもしくは６０Ｈｚとし、各フレームにおけるライン数が１１２５ラインであって有効ライン数が１０８０ライン，サンプリング周波数が７４．２５ＭＨｚもしくは１４８．５ＭＨｚ，各ラインにおける有効データサンプル数が１９２０サンプルに設定され、量子化ビット数を１６ビットとして、各有効ライン部についての禁止コードが上位８ビットを１６進表現で００ｈもしくはＦＦｈとする全ての１６ビットコードとされた、４：２：２形式のディジタル映像信号を成すディジタルデータＤＡ１６〜ＤＥ１６となる。
図９は、本発明に係るデータ形成方法の第３の態様を成す第３の例により形成される７２０Ｐ信号を成すディジタルデータの一例のデータフォーマットを示す。
図９に示されるデータフォーマットを有するディジタルデータが得られる本発明に係るデータ形成方法の第３の例は、量子化ビット数を１２ビット，１４ビットもしくは１６ビットとする４：２：２形式の７２０Ｐ信号を成すディジタルデータを形成する。斯かるディジタルデータは、４：２：２形式の７２０Ｐ信号を成すものであるので、量子化ビット数を１２ビット，１４ビットもしくは１６ビットとするＹデータ系列と量子化ビット数を１２ビット，１４ビットもしくは１６ビットとするＰＢ／ＰＲデータ系列とから成るものとされる。
そして、上述の図９に示されるデータフォーマットを有するディジタルデータが得られる本発明に係るデータ形成方法の第３の態様にあっては、Ｙデータ系列とＰＢ／ＰＲデータ系列とについて、フレーム部を１／６０秒毎に連なるものとして設定するとともに、その各フレーム部をライン部Ｌ００１からライン部Ｌ７５０までの７５０ライン部の連なりをもって形成する。また、各フレーム部における有効ライン部をライン部Ｌ０２６からライン部Ｌ７４５までとし、各フレーム部における有効ライン部数を７２０ライン部に設定する。さらに、サンプリング周波数を７４．２５ＭＨｚに設定して、各ライン部における有効データサンプル数を１２８０サンプルに設定する。そして、量子化ビット数を１２ビット，１４ビットもしくは１６ビットに選定する。
斯かるもとで、各フレーム部におけるライン部Ｌ００１からライン部Ｌ７５０までの夫々は、量子化ビット数を１２ビット，１４ビットもしくは１６ビットとするＹデータ系列のライン部と、量子化ビット数を１２ビット，１４ビットもしくは１６ビットとするＰＢ／ＰＲデータ系列のライン部と、を含むことになるが、特に、有効ライン部を形成するライン部Ｌ０２６からライン部Ｌ７４５までの夫々については、それらのうちの一つであるライン部Ｌ０２６における状態が図９に例示されている如くに、それを形成する量子化ビット数を１２ビット，１４ビットもしくは１６ビットとするＹデータ系列のライン部、及び、量子化ビット数を１２ビット，１４ビットもしくは１６ビットとするＰＢ／ＰＲデータ系列のライン部の夫々を、ラインブランキング部と映像データ部とを含むものとして形成する。
そして、各ラインブランキング部を、その始端部分にタイミング基準コード：ＥＡＶが配されるとともに、その終端部分にタイミング基準コード：ＳＡＶが配されるものとして構成する。一方、映像データ部については、Ｙデータ系列における映像データ部を有効データサンプル数を１２８０サンプルとする輝度信号情報をあらわすデータＹＤを配して構成し、また、ＰＢ／ＰＲデータ系列における映像データ部を有効データサンプル数を１２８０サンプルとする色差信号情報をあらわすデータＰｂＤ／ＰｒＤを配して構成する。
さらに、各フレーム部における有効ライン部を形成するライン部Ｌ０２６からライン部Ｌ７４５までの夫々を形成する、Ｙデータ系列のライン部及びＰＢ／ＰＲデータ系列のライン部の夫々における映像データ部を輝度信号情報をあらわすデータＹＤもしくは色差信号情報をあらわすデータＰｂＤ／ＰｒＤを配して構成するにあたり、上位８ビットが１６進表現で００ｈもしくはＦＦｈとなる全ての１２ビットコード，１４ビットコードもしくは１６ビットコードを、輝度信号情報をあらわすデータＹＤもしくは色差信号情報をあらわすデータＰｂＤ／Ｐｒｂとしては用いない禁止コードとする。このようにして定められる禁止コードは、前述の図４に示される量子化ビット数が１２ビット，１４ビットもしくは１６ビットである場合のものとされる。
上述の如くにして、図９に示されるデータフォーマットを有するディジタルデータが得られる本発明に係るデータ形成方法の第３の態様により、フレームレートを６０Ｈｚとし、各フレームにおけるライン数が７５０ライン，各フレームにおける有効ライン数が７２０ライン，サンプリング周波数が７４．２５ＭＨｚ，各ラインにおける有効データサンプル数が１２８０サンプルに設定され、量子化ビット数を１２ビット，１４ビットもしくは１６ビットとし、量子化ビット数を１２ビットとするとき、各有効ライン部についての禁止コードが上位８ビットを１６進表現で００ｈもしくはＦＦｈとする全ての１２ビットコードとされ、量子化ビット数を１４ビットとするとき、各有効ライン部についての禁止コードが上位８ビットを１６進表現で００ｈもしくはＦＦｈとする全ての１４ビットコードとされ、もしくは、量子化ビット数を１６ビットとするとき、各有効ライン部についての禁止コードが上位８ビットを１６進表現で００ｈもしくはＦＦｈとする全ての１６ビットコードとされた、４：２：２形式の７２０Ｐ信号を成すディジタルデータが形成される。
図１０は、本発明に係るデータ形成方法の第３の態様を成す第４の例により形成される７２０Ｐ信号を成すディジタルデータの一例のデータフォーマットを示す。
図１０に示されるデータフォーマットを有するディジタルデータが得られる本発明に係るデータ形成方法の第４の例は、量子化ビット数を１２ビットとする４：４：４形式の７２０Ｐ信号を成すディジタルデータを形成する。斯かるディジタルデータは、４：４：４形式の７２０Ｐ信号を成すものであるので、量子化ビット数を１２ビットとするＧデータ系列と、量子化ビット数を１２ビットとするＢデータ系列と、量子化ビット数を１２ビットとするＲデータ系列と、から成るものとされる。
そして、上述の図１０に示されるデータフォーマットを有するディジタルデータが得られる本発明に係るデータ形成方法の第３の態様にあっては、Ｇデータ系列，Ｂデータ系列及びＲデータ系列について、フレーム部を１／６０秒毎に連なるものとして設定するとともに、その各フレーム部をライン部Ｌ００１からライン部Ｌ７５０までの７５０ライン部の連なりをもって形成する。また、各フレーム部における有効ライン部をライン部Ｌ０２６からライン部Ｌ７４５までとし、各フレーム部における有効ライン部数を７２０ライン部に設定する。さらに、サンプリング周波数を７４．２５ＭＨｚに設定して、各ライン部における有効データサンプル数を１２８０サンプルに設定する。そして、量子化ビット数を１２ビットに選定する。
斯かるもとで、各フレーム部におけるライン部Ｌ００１からライン部Ｌ７５０までの夫々は、量子化ビット数を１２ビットとするＧデータ系列のライン部と、量子化ビット数を１２ビットとするＢデータ系列のライン部と、量子化ビット数を１２ビットするＲデータ系列のライン部とを含むことになるが、特に、有効ライン部を形成するライン部Ｌ０２６からライン部Ｌ７４５までの夫々については、それらのうちの一つであるライン部Ｌ０２６における状態が図１０に例示されている如くに、それを形成する量子化ビット数を１２ビットとするＧデータ系列のライン部，量子化ビット数を１２ビットとするＢデータ系列のライン部及び量子化ビット数を１２ビットとするＲデータ系列のライン部の夫々を、ラインブランキング部と映像データ部とを含むものとして形成する。
そして、各ラインブランキング部を、その始端部分にタイミング基準コード：ＥＡＶが配されるとともに、その終端部分にタイミング基準コード：ＳＡＶが配されるものとして構成する。一方、映像データ部については、Ｇデータ系列における映像データ部を、有効データサンプル数を１２８０サンプルとする緑色原色信号情報をあらわすデータＧＤを配して構成し、Ｂデータ系列における映像データ部を、有効データサンプル数を１２８０サンプルとする青色原色信号情報をあらわすデータＢＤを配して構成し、Ｒデータ系列における映像データ部を、有効データサンプル数を１２８０サンプルとする赤色原色信号情報をあらわすデータＲＤを配して構成する。
さらに、各フレーム部における有効ライン部を形成するライン部Ｌ０２６からライン部Ｌ７４５までの夫々を形成する、Ｇデータ系列のライン部，Ｂデータ系列のライン部及びＲデータ系列のライン部の夫々における映像データ部を緑色原色信号情報をあらわすデータＧＤ，青色原色信号情報をあらわすデータＢＤもしくは赤色原色信号情報をあらわすデータＲＤを配して構成するにあたり、上位８ビットが１６進表現で００ｈもしくはＦＦｈとなる全ての１２ビットコードを、緑色原色信号情報をあらわすデータＧＤ，青色原色信号情報をあらわすデータＢＤ及び赤色原色信号情報をあらわすデータＲＤとしては用いない禁止コードとする。このようにして定められる禁止コードも、前述の図４に示される量子化ビット数が１２ビットである場合のものとされる。
上述の如くにして、図１０に示されるデータフォーマットを有するディジタルデータが得られる本発明に係るデータ形成方法により、フレームレートを６０Ｈｚとし、各フレームにおけるライン数が７５０ライン，各フレームにおける有効ライン数が７２０ライン，サンプリング周波数が７４．２５ＭＨｚ，各ラインにおける有効データサンプル数が１２８０サンプルに設定され、量子化ビット数を１２ビットとし、各有効ライン部についての禁止コードが上位８ビットを１６進表現で００ｈもしくはＦＦｈとする全ての１２ビットコードとされた、４：４：４形式の７２０Ｐ信号を成すディジタルデータが形成される。
上述の本発明に係るデータ形成方法の第３の例及び第４の例によって得られるディジタルデータは、それらを整理してみると、図１１に示される如くの、フレームレートを６０Ｈｚとし、各フレームにおけるライン数が７５０ラインであって有効ライン数が７２０ライン，サンプリング周波数が７４．２５ＭＨｚ，各ラインにおける有効データサンプル数が１２８０サンプルに設定され、量子化ビット数を１２ビット，１４ビットもしくは１６ビットとして、各有効ライン部についての禁止コードが上位８ビットを１６進表現で００ｈもしくはＦＦｈとする全ての１２ビットコード，１４ビットコードもしくは１６ビットコードとされた、４：２：２形式もしくは４：４：４形式の７２０Ｐ信号を成すディジタルデータＤＤＴ１２，ＤＤＴ１４，ＤＤＴ１６及びＤＩＴ１２となる。
図１２は、本発明に係るデータ伝送方法の第１，第２，第５〜第９及び第１６〜第１８のいずれかの態様を成す例が実施される、本発明に係るデータ伝送装置の第１，第２，第５〜第９及び第１６〜第１８のいずれかの態様を成す第１の例を含んだデータ送受装置を示す。
図１２に示されるデータ送受装置においては、本発明に係るデータ伝送装置の第１の例を構成する送信側において、ディジタルデータＤＶＸがデータ処理部１１に供給される。
ディジタルデータＤＶＸは、図６〜図８において、ＤＡ１２〜ＤＣ１２，ＤＦ１２〜ＤＨ１２，ＤＡ１４〜ＤＣ１４及びＤＡ１６〜ＤＣ１６として示される、４：２：２形式もしくは４：４：４形式のディジタル映像信号を成すディジタルデータのいずれか、もしくは、図１１において、ＤＤＴ１２，ＤＤＴ１４，ＤＤＴ１６及びＤＩＴ１２として示される、４：２：２形式もしくは４：４：４形式の７２０Ｐ信号を成すディジタルデータのいずれか、あるいは、フレームレートを２４Ｈｚ，２５Ｈｚもしくは３０Ｈｚとし、各フレームにおけるライン数が１１２５ラインであって有効ライン数が１０８０ライン，サンプリング周波数が７４．２５ＭＨｚ，各ラインにおける有効データサンプル数が１９２０サンプルに設定され、量子化ビット数を１０ビットとする４：２：２形式のディジタル映像信号を成すディジタルデータＤＡ１０，ＤＢ１０もしくはＤＣ１０に量子化ビット数を１０ビットとするＫｅｙ信号データ系列ＤＫＡ１０が付加されたデータＤＶＡ１０＋ＤＫＡ１０；フレームレートを２４Ｈｚ，２５Ｈｚもしくは３０Ｈｚとし、各フレームにおけるライン数が１１２５ラインであって有効ライン数が１０８０ライン，サンプリング周波数が７４．２５ＭＨｚ，各ラインにおける有効データサンプル数が１９２０サンプルに設定され、量子化ビット数を１０ビットとする４：４：４形式のディジタル映像信号を成すディジタルデータＤＦ１０，ＤＧ１０もしくはＤＨ１０に量子化ビット数を１０ビットとするＫｅｙ信号データ系列ＤＫＢ１０が付加されたデータＤＶＢ１０＋ＤＫＢ１０；ディジタルデータＤＡ１２，ＤＢ１２もしくはＤＣ１２に量子化ビット数を１２ビットとするＫｅｙ信号データ系列ＤＫＡ１２が付加されたデータＤＶＡ１２＋ＤＫＡ１２；フレームレートを６０Ｈｚとし、各フレームにおけるライン数が７５０ラインであって有効ライン数が７２０ライン，サンプリング周波数が７４．２５ＭＨｚ，各ラインにおける有効データサンプル数が１２８０サンプルに設定され、量子化ビット数を１０ビットとする４：２：２形式のディジタルデータＤＤＴ１０に量子化ビット数を１０ビットとするＫｅｙ信号データ系列ＤＫＤ１０が付加されたデータＤＤＴ１０＋ＤＫＤ１０；フレームレートを６０Ｈｚとし、各フレームにおけるライン数が７５０ラインであって有効ライン数が７２０ライン，サンプリング周波数が７４．２５ＭＨｚ，各ラインにおける有効データサンプル数が１２８０サンプルに設定され、量子化ビット数を１０ビットとする４：４：４形式のディジタルデータＤＩＴ１０に量子化ビット数を１０ビットとするＫｅｙ信号データ系列ＤＫＩ１０が付加されたデータＤＩＴ１０＋ＤＫＩ１０、もしくは、ディジタルデータＤＤＴ１２に量子化ビット数を１２ビットとするＫｅｙ信号データ系列ＤＫＤ１２が付加されたデータＤＤＴ１２＋ＤＫＤ１２とされる。
Ｋｅｙ信号データ系列ＤＫＡ１０，ＤＫＡ１２，ＤＫＤ１０及びＤＫＤ１２の夫々は、Ｙデータ系列と同等のデータフォーマットを有し、Ｙデータ系列及びＰＢ／ＰＲデータ系列に付随する付加情報データ系列を成すものとされる。また、Ｋｅｙ信号データ系列ＤＫＢ１０及びＤＫＩ１０の夫々は、Ｇデータ系列と同等のデータフォーマットを有し、Ｇデータ系列，Ｂデータ系列及びＲデータ系列に付随する付加情報データ系列を成すものとされる。
ディジタルデータＤＶＸが、量子化ビット数を１２ビットとする４：２：２形式のディジタル映像信号を成すディジタルデータとして図６に示されるＤＡ１２〜ＤＣ１２のいずれか、例えば、ＤＡ１２である場合、または、量子化ビット数を１２ビットとする４：２：２形式の７２０Ｐ信号を成すディジタルデータとして図１１に示されるＤＤＴ１２である場合には、ディジタルデータＤＡ１２またはＤＤＴ１２は、図１３のＡに示される如くに、ワード伝送レートを７４．２５ＭＢｐｓとする１２ビットワード列データとされたＹデータ系列と、ワード伝送レートを７４．２５ＭＢｐｓとする１２ビットワード列データとされたＰＢ／ＰＲデータ系列とが、フレーム同期及びライン同期がとられたもとでパラレル多重されて得られる、ワード伝送レートを７４．２５ＭＢｐｓとする２４ビットワード列データとして、データ処理部１１に供給される。
データ処理部１１にあっては、図１３のＡに示される如くにして供給されるディジタルデータＤＡ１２またはＤＤＴ１２に対して、Ｙデータ系列を構成する１２ビットワードＹＤ０，ＹＤ１，ＹＤ２，ＹＤ３，・・・・・、及び、ＰＢ／ＰＲデータ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＡ１２ＡまたはＤＤＴ１２Ａを、分割された上位１０ビットに基づくリンクＡとして、図１３のＢに示される如くに形成する。
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＡ１２ＢまたはＤＤＴ１２Ｂを、分割された下位２ビットに基づくリンクＢとして、図１３のＣに示される如くに形成する。即ち、ワード伝送レートを７４．２５ＭＢｐｓとする２４ビットワード列データであるディジタルデータＤＡ１２またはＤＤＴ１２を、ワード伝送レートを７４．２５ＭＢｐｓとする２０ビットワード列データＤＡ１２ＡまたはＤＤＴ１２Ａと、ワード伝送レートを７４．２５ＭＢｐｓとする２０ビットワード列データＤＡ１２ＢまたはＤＤＴ１２Ｂとの、２系統のワード列データに変換するのである。
ディジタルデータＤＶＸが、図６に示されるディジタルデータＤＢ１２もしくはＤＣ１２である場合にも、ディジタルデータＤＶＸがディジタルデータＤＡ１２である場合と同様にして、ワード伝送レートを７４．２５ＭＢｐｓとする２４ビットワード列データであるＤＢ１２もしくはＤＣ１２を、各々がワード伝送レートを７４．２５ＭＢｐｓとする２０ビットワード列データである２系統のワード列データに変換する。
ディジタルデータＤＶＸが、量子化ビット数を１４ビットとする４：２：２形式のディジタル映像信号を成すディジタルデータとして図７に示されるＤＡ１４〜ＤＣ１４のいずれか、例えば、ＤＡ１４である場合、または、量子化ビット数を１４ビットとする４：２：２形式の７２０Ｐ信号を成すディジタルデータとして図１１に示されるＤＤＴ１４である場合には、ディジタルデータＤＡ１４またはＤＤＴ１４は、図１４のＡに示される如くに、ワード伝送レートを７４．２５ＭＢｐｓとする１４ビットワード列データとされたＹデータ系列とワード伝送レートを７４．２５ＭＢｐｓとする１４ビットワード列データとされたＰＢ／ＰＲデータ系列とが、フレーム同期及びライン同期がとられたもとでパラレル多重されて得られる、ワード伝送レートを７４．２５ＭＢｐｓとする２８ビットワード列データとして、データ処理部１１に供給される。
データ処理部１１にあっては、図１４のＡに示される如くにして供給されるディジタルデータＤＡ１４またはＤＤＴ１４に対して、Ｙデータ系列を構成する１４ビットワードＹＤ０，ＹＤ１，ＹＤ２，ＹＤ３，・・・・・、及び、ＰＢ／ＰＲデータ系列を構成する１４ビットワードＰｂＤ０，ＰｒＤ０，ＰｂＤ１，ＰｒＤ１，ＰｂＤ２，ＰｒＤ２，・・・・・の夫々を、上位１０ビットＹ０；４〜Ｙ０；１３，Ｙ１；４〜Ｙ１；１３，Ｙ２；４〜Ｙ２；１３，Ｙ３；４〜Ｙ３；１３，・・・・・、及び、Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３・・・・・と、下位４ビットＹ０；０〜Ｙ０；３，Ｙ１；０〜Ｙ１；３，Ｙ２；０〜Ｙ２；３，Ｙ３；０〜Ｙ３；３，・・・・・、及び、Ｐｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・とに分割する処理を施す。
続いて、分割された上位１０ビットの列：Ｙ０；４〜Ｙ０；１３，Ｙ１；４〜Ｙ１；１３，Ｙ２；４〜Ｙ２；１３，Ｙ３；４〜Ｙ３；１３，・・・・・と、分割された上位１０ビットの列：Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・とがパラレル多重されて成る、ワード伝送レートを７４．２５ＭＢｐｓとする２０ビットワード列データＤＡ１４ＡまたはＤＤＴ１４Ａを、分割された上位１０ビットに基づくリンクＡとして、図１４のＢに示される如くに形成する。
それとともに、分割された下位４ビットＹ０；０〜Ｙ０；３，Ｙ１；０〜Ｙ１；３，Ｙ２；０〜Ｙ２；３，Ｙ３；０〜Ｙ３；３，・・・・・に、６ビットの補助ビットα０，α１，α２，α３，・・・・・を夫々加えて、１０ビットＹ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・とし、また、分割された下位４ビットＰｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・に、６ビットの補助ビットβ０，β１，β２，β３，β４，β５，・・・・・を夫々加えて、１０ビットＰｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とする。そして、１０ビットの列：Ｙ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・と、１０ビットの列：Ｐｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とがパラレル多重されて成る、ワード伝送レートを７４．２５ＭＢｐｓとする２０ビットワード列データＤＡ１４ＢまたはＤＤＴ１４Ｂを、分割された下位４ビットに基づくリンクＢとして、図１４のＣに示される如くに形成する。即ち、ワード伝送レートを７４．２５ＭＢｐｓとする２８ビットワード列データであるディジタルデータＤＡ１４またはＤＤＴ１４を、ワード伝送レートを７４．２５ＭＢｐｓとする２０ビットワード列データＤＡ１４ＡまたはＤＤＴ１４Ａと、ワード伝送レートを７４．２５ＭＢｐｓとする２０ビットワード列データＤＡ１４ＢまたはＤＤＴ１４Ｂとの、２系統のワード列データに変換するのである。
ディジタルデータＤＶＸが、図７に示されるディジタルデータＤＢ１４もしくはＤＣ１４である場合にも、ディジタルデータＤＶＸがディジタルデータＤＡ１４である場合と同様にして、ワード伝送レートを７４．２５ＭＢｐｓとする２８ビットワード列データであるディジタルデータＤＢ１４もしくはＤＣ１４を、各々がワード伝送レートを７４．２５ＭＢｐｓとする２０ビットワード列データである２系統のワード列データに変換する。
ディジタルデータＤＶＸが、量子化ビット数を１６ビットとする４：２：２形式のディジタル映像信号を成すディジタルデータとして図８に示されるＤＡ１６〜ＤＣ１６のいずれか、例えば、ＤＡ１６である場合、または、量子化ビット数を１６ビットとする４：２：２形式の７２０Ｐ信号を成すディジタルデータとして図１１に示されるＤＤＴ１６である場合には、ディジタルデータＤＡ１６またはＤＤＴ１６は、図１５のＡに示される如くに、ワード伝送レートを７４．２５ＭＢｐｓとする１６ビットワード列データとされたＹデータ系列とワード伝送レートを７４．２５ＭＢｐｓとする１６ビットワード列データとされたＰＢ／ＰＲデータ系列とが、フレーム同期及びライン同期がとられたもとでパラレル多重されて得られる、ワード伝送レートを７４．２５ＭＢｐｓとする３２ビットワード列データとして、データ処理部１１に供給される。
データ処理部１１にあっては、図１５のＡに示される如くにして供給されるディジタルデータＤＡ１６またはＤＤＴ１６に対して、Ｙデータ系列を構成する１６ビットワードＹＤ０，ＹＤ１，ＹＤ２，ＹＤ３，・・・・・、及び、ＰＢ／ＰＲデータ系列を構成する１６ビットワードＰｂＤ０，ＰｒＤ０，ＰｂＤ１，ＰｒＤ１，ＰｂＤ２，ＰｒＤ２，・・・・・の夫々を、上位１０ビットＹ０；６〜Ｙ０；１５，Ｙ１；６〜Ｙ１；１５，Ｙ２；６〜Ｙ２；１５，Ｙ３；６〜Ｙ３；１５，・・・・・、及び、Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５・・・・・と、下位６ビットＹ０；０〜Ｙ０；５，Ｙ１；０〜Ｙ１；５，Ｙ２；０〜Ｙ２；５，Ｙ３；０〜Ｙ３；５，・・・・・、及び、Ｐｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・とに分割する処理を施す。
続いて、分割された上位１０ビットの列：Ｙ０；６〜Ｙ０；１５，Ｙ１；６〜Ｙ１；１５，Ｙ２；６〜Ｙ２；１５，Ｙ３；６〜Ｙ３；１５，・・・・・と、分割された上位１０ビットの列：Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・とがパラレル多重されて成る、ワード伝送レートを７４．２５ＭＢｐｓとする２０ビットワード列データＤＡ１６ＡまたはＤＤＴ１６Ａを、分割された上位１０ビットに基づくリンクＡとして、図１５のＢに示される如くに形成する。
それとともに、分割された下位６ビットＹ０；０〜Ｙ０；５，Ｙ１；０〜Ｙ１；５，Ｙ２；０〜Ｙ２；５，Ｙ３；０〜Ｙ３；５，・・・・・に、４ビットの補助ビットα０，α１，α２，α３，・・・・・を夫々加えて、１０ビットＹ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・とし、また、分割された下位６ビットＰｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・に、４ビットの補助ビットβ０，β１，β２，β３，β４，β５，・・・・・を夫々加えて、１０ビットＰｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とする。そして、１０ビットの列：Ｙ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・と、１０ビットの列：Ｐｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とがパラレル多重されて成る、ワード伝送レートを７４．２５ＭＢｐｓとする２０ビットワード列データＤＡ１６ＢまたはＤＤＴ１６Ｂを、分割された下位４ビットに基づくリンクＢとして、図１５のＣに示される如くに形成する。即ち、ワード伝送レートを７４．２５ＭＢｐｓとする３２ビットワード列データであるディジタルデータＤＡ１６またはＤＤＴ１６を、ワード伝送レートを７４．２５ＭＢｐｓとする２０ビットワード列データＤＡ１６ＡまたはＤＤＴ１６Ａと、ワード伝送レートを７４．２５ＭＢｐｓとする２０ビットワード列データＤＡ１６ＢまたはＤＤＴ１６Ｂとの、２系統のワード列データに変換するのである。
ディジタルデータＤＶＸが、図８に示されるディジタルデータＤＢ１６もしくはＤＣ１６である場合にも、ディジタルデータＤＶＸがディジタルデータＤＡ１６である場合と同様にして、ワード伝送レートを７４．２５ＭＢｐｓとする３２ビットワード列データであるＤＢ１６もしくはＤＣ１６を、各々がワード伝送レートを７４．２５ＭＢｐｓとする２０ビットワード列データである２系統のワード列データに変換する。
ディジタルデータＤＶＸが、量子化ビット数を１２ビットとする４：４：４形式のディジタル映像信号を成すディジタルデータとして図６に示されるＤＦ１２〜ＤＨ１２のいずれか、例えば、ＤＦ１２である場合、または、量子化ビット数を１２ビットとする４：４：４形式の７２０Ｐ信号を成すディジタルデータとして図１１に示されるＤＩＴ１２である場合には、ディジタルデータＤＦ１２またはＤＩＴ１２は、図１６に示される如くに、ワード伝送レートを７４．２５ＭＢｐｓとする１２ビットワード列データとされたＧデータ系列と、ワード伝送レートを７４．２５ＭＢｐｓとする１２ビットワード列データとされたＢデータ系列と、ワード伝送レートを７４．２５ＭＢｐｓとする１２ビットワード列データとされたＲデータ系列とが、フレーム同期及びライン同期がとられたもとでパラレル多重されて得られる、ワード伝送レートを７４．２５ＭＢｐｓとする３６ビットワード列データとして、データ処理部１１に供給される。
データ処理部１１にあっては、図１６に示される如くにして供給されるディジタルデータＤＦ１２またはＤＩＴ１２に対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・、Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
次に、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図１７において太実線により区切られている如くにして区分された１０ビットワードグループ１及び１０ビットワードグループ２を得る。
そして、図１７に示される１０ビットワードグループ１に基づく、ワード伝送レートを７４．２５ＭＢｐｓとする２０ビットワード列データＤＦ１２ＡまたはＤＩＴ１２Ａを、リンクＡとして、図１８のＡに示される如くに形成するとともに、図１７に示される１０ビットワードグループ２に基づく、ワード伝送レートを７４．２５ＭＢｐｓとする２０ビットワード列データＤＦ１２ＢまたはＤＩＴ１２Ｂを、リンクＢとして、図１８のＢに示される如くに形成する。即ち、ワード伝送レートを７４．２５ＭＢｐｓとする３６ビットワード列データであるディジタルデータＤＦ１２またはＤＩＴ１２を、ワード伝送レートを７４．２５ＭＢｐｓとする２０ビットワード列データＤＦ１２ＡまたはＤＩＴ１２Ａと、ワード伝送レートを７４．２５ＭＢｐｓとする２０ビットワード列データＤＦ１２ＢまたはＤＩＴ１２Ｂとの、２系統のワード列データに変換するのである。
ディジタルデータＤＶＸが、ディジタルデータＤＡ１０，ＤＢ１０もしくはＤＣ１０にＫｅｙ信号データ系列ＤＫＡ１０が付加されたデータＤＶＡ１０＋ＤＫＡ１０である場合、または、ディジタルデータＤＤＴ１０にＫｅｙ信号データ系列ＤＫＤ１０が付加されたデータＤＤＴ１０＋ＤＫＤ１０である場合には、データＤＶＡ１０＋ＤＫＡ１０またはＤＤＴ１０＋ＤＫＤ１０は、図１９に示される如くに、各々が量子化ビット数を１０ビットとしてワード伝送レートを７４．２５ＭＢｐｓとするＹデータ系列，ＰＢ／ＰＲデータ系列及びＫｅｙ信号データ系列が、フレーム同期及びライン同期がとられたもとでパラレル多重されて得られる、ワード伝送レートを７４．２５ＭＢｐｓとする３０ビットパラレルデータとして、データ処理部１１に供給される。
データ処理部１１にあっては、図１９に示される如くにして供給されるデータＤＶＡ１０＋ＤＫＡ１０またはＤＤＴ１０＋ＤＫＤ１０に対して次の処理を施す。
図１９に示される如くの、Ｙデータ系列を構成する１０ビットワードＹＤ０，ＹＤ１，ＹＤ２，ＹＤ３，・・・・・とＰＢ／ＰＲデータ系列を構成する１０ビットワードＰｂＤ０，ＰｒＤ０，ＰｂＤ１，ＰｒＤ１，ＰｂＤ２，ＰｒＤ２，・・・・・とを、パラレル多重して、図２０に示される如くの、Ｙデータ系列及びＰＢ／ＰＲデータ系列に基づく、ワード伝送レートを７４．２５ＭＢｐｓとする２０ビットワード列データＤＶＡ１０ＡまたはＤＶＤＴ１０ＡをリンクＡとして形成する。また、それとともに、図１９に示される如くのＫｅｙ信号データ系列を構成する１０ビットワードＡＤ０，ＡＤ１，ＡＤ２，ＡＤ３，・・・・・と、補助１０ビットワードαＤ０，αＤ１，αＤ２，αＤ３，・・・・・とを、パラレル多重して、図２０に示される如くの、Ｋｅｙ信号データ系列及び補助１０ビットワードに基づく、ワード伝送レートを７４．２５ＭＢｐｓとする２０ビットワード列データＤＶＡ１０ＢまたはＤＶＤＴ１０ＢをリンクＢとして形成する。
即ち、ワード伝送レートを７４．２５ＭＢｐｓとする３０ビットワード列データを形成するデータＤＶＡ１０＋ＤＫＡ１０またはＤＤＴ１０＋ＤＫＤ１０を、ワード伝送レートを７４．２５ＭＢｐｓとする２０ビットワード列データＤＶＡ１０ＡまたはＤＶＤＴ１０Ａと、ワード伝送レートを７４．２５ＭＢｐｓとする２０ビットワード列データＤＶＡ１０ＢまたはＤＶＤＴ１０Ｂとの、２系統のワード列データに変換するのである。
ディジタルデータＤＶＸが、ディジタルデータＤＦ１０，ＤＧ１０もしくはＤＨ１０にＫｅｙ信号データ系列ＤＫＢ１０が付加されたデータＤＶＢ１０＋ＤＫＢ１０である場合、または、ディジタルデータＤＩＴ１０にＫｅｙ信号データ系列ＤＫＩ１０が付加されたデータＤＩＴ１０＋ＤＫＩ１０である場合には、データＤＶＢ１０＋ＤＫＢ１０またはＤＩＴ１０＋ＤＫＩ１０は、図２１に示される如くに、各々が量子化ビット数を１０ビットとしてワード伝送レートを７４．２５ＭＢｐｓとするＧデータ系列，Ｂデータ系列，Ｒデータ系列及びＫｅｙ信号データ系列が、フレーム同期及びライン同期がとられたもとでパラレル多重されて得られる、ワード伝送レートを７４．２５ＭＢｐｓとする４０ビットパラレルデータとして、データ処理部１１に供給される。
データ処理部１１にあっては、図２１に示される如くにして供給されるデータＤＶＢ１０＋ＤＫＢ１０またはＤＩＴ１０＋ＤＫＩ１０に対して次の処理を施す。
図２１に示される如くの、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・を、図２２において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、Ｋｅｙ信号データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図２２に示される１０ビットワードグループ１に基づく、ワード伝送レートを７４．２５ＭＢｐｓする２０ビットワード列データＤＶＢ１０ＡまたはＤＶＩＴ１０Ａを、リンクＡとして、図２３に示される如くに形成するとともに、図２２に示される１０ビットワードグループ２に基づく、ワード伝送レートを７４．２５ＭＢｐｓとする２０ビットワード列データＤＶＢ１０ＢまたはＤＶＩＴ１０Ｂを、リンクＢとして、図２３に示される如くに形成する。
即ち、ワード伝送レートを７４．２５ＭＢｐｓとする４０ビットワード列データを形成するデータＤＶＢ１０＋ＤＫＢ１０またはＤＩＴ１０＋ＤＫＩ１０を、ワード伝送レートを７４．２５ＭＢｐｓとする２０ビットワード列データＤＶＢ１０ＡまたはＤＶＩＴ１０Ａと、ワード伝送レートを７４．２５ＭＢｐｓとする２０ビットワード列データＤＶＢ１０ＢまたはＤＶＩＴ１０Ｂとの、２系統のワード列データに変換するのである。
さらに、ディジタルデータＤＶＸが、ディジタルデータＤＡ１２，ＤＢ１２もしくはＤＣ１２にＫｅｙ信号データ系列ＤＫＡ１２が付加されたデータＤＶＡ１２＋ＤＫＡ１２である場合、または、ディジタルデータＤＤＴ１２にＫｅｙ信号データ系列ＤＫＤ１２が付加されたデータＤＤＴ１２＋ＤＫＤ１２である場合には、データＤＶＡ１２＋ＤＫＡ１２またはＤＤＴ１２＋ＤＫＤ１２は、図２４に示される如く、各々が量子化ビット数を１２ビットとしてワード伝送レートを７４．２５ＭＢｐｓとするＹデータ系列，ＰＢ／ＰＲデータ系列及びＫｅｙ信号データ系列が、フレーム同期及びライン同期がとられたもとでパラレル多重されて得られる、ワード伝送レートを７４．２５ＭＢｐｓとする３６ビットパラレルデータとして、データ処理部１１に供給される。
データ処理部１１にあっては、図２４に示される如くにして供給されるＤＶＡ１２＋ＤＫＡ１２またはＤＤＴ１２＋ＤＫＤ１２に対して次の処理を施す。
先ず、図２４に示される如くの、Ｙデータ系列を構成する１２ビットワードＹＤ０，ＹＤ１，ＹＤ２，ＹＤ３，・・・・・，ＰＢ／ＰＲデータ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
そして、分割された上位１０ビットの列：Ｙ０；２−１１，Ｙ１；２−１１，Ｙ２；２−１１，Ｙ３；２−１１，・・・・・と、分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＡ１２ＡまたはＤＶＤＴ１２Ａを、リンクＡとして、図２５に示される如くに形成する。
それとともに、下位２ビットＹ０；０−１，Ｐｂ０：０−１，Ｐｒ０：０−１及びＡ０：０−１をビット多重するとともに２ビットの補助ビットａ０を加えて得られる１０ビット〔ＹＡ０ＢＲ０；０−１〕＋ａ０，下位２ビットＹ１；０−１及びＡ１：０−１をビット多重するとともに６ビットの補助ビットｂ０を加えて得られる１０ビット〔Ｙ１；０−１，Ａ１；０−１〕＋ｂ０，下位２ビットＹ２；０−１，Ｐｂ１：０−１，Ｐｒ１：０−１及びＡ２：０−１をビット多重するとともに２ビットの補助ビットａ１を加えて得られる１０ビット〔ＹＡ２ＢＲ１；０−１〕＋ａ１，下位２ビットＹ３；０−１及びＡ３：０−１をビット多重するとともに６ビットの補助ビットｂ１を加えて得られる１０ビット〔Ｙ３；０−１，Ａ３；０−１〕＋ｂ１，下位２ビットＹ４；０−１，Ｐｂ２：０−１，Ｐｒ２：０−１及びＡ４：０−１をビット多重するとともに２ビットの補助ビットａ２を加えて得られる１０ビット〔ＹＡ４ＢＲ２；０−１〕＋ａ２，下位２ビットＹ５；０−１及びＡ５：０−１をビット多重するとともに６ビットの補助ビットｂ２を加えて得られる１０ビット〔Ｙ５；０−１，Ａ５；０−１〕＋ｂ２，・・・・・を形成する。そして、このようにして得られる１０ビットの列と、分割された上位１０ビットの列：Ａ０；２−１１，Ａ１；２−１１，Ａ２；２−１１，Ａ３；２−１１，・・・・・とをパラレル多重して、ワード伝送レートを７４．２５ＭＢｐｓとする２０ビットワード列データＤＶＡ１２ＢまたはＤＶＤＴ１２Ｂを、リンクＢとして、図２５に示される如くに形成する。
即ち、ワード伝送レートを７４．２５ＭＢｐｓとする３６ビットワード列データを形成するデータＤＶＡ１２＋ＤＫＡ１２またはＤＤＴ１２＋ＤＫＤ１２を、ワード伝送レートを７４．２５ＭＢｐｓとする２０ビットワード列データＤＶＡ１２ＡまたはＤＶＤＴ１２Ａと、ワード伝送レートを７４．２５ＭＢｐｓとする２０ビットワード列データＤＶＡ１２ＢまたはＤＶＤＴ１２Ｂとの、２系統のワード列データに変換するのである。
データ処理部１１は、上述の如くにして得たワード伝送レートを７４．２５ＭＢｐｓとする２０ビットワード列データＤＡ１２Ａ及びＤＡ１２Ｂ，ＤＤＴ１２Ａ及びＤＤＴ１２Ｂ，ＤＡ１４Ａ及びＤＡ１４Ｂ，ＤＤＴ１４Ａ及びＤＤＴ１４Ｂ，ＤＡ１６Ａ及びＤＡ１６Ｂ，ＤＤＴ１６Ａ及びＤＤＴ１６Ｂ，ＤＦ１２Ａ及びＤＦ１２Ｂ，ＤＩＴ１２Ａ及びＤＩＴ１２Ｂ，ＤＶＡ１０Ａ及びＤＶＡ１０Ｂ，ＤＶＤＴ１０Ａ及びＤＶＤＴ１０Ｂ，ＤＶＢ１０Ａ及びＤＶＢ１０Ｂ，ＤＶＩＴ１０Ａ及びＤＶＩＴ１０Ｂ，ＤＶＡ１２Ａ及びＤＶＡ１２Ｂ，ＤＶＤＴ１２Ａ及びＤＶＤＴ１２Ｂ等のいずれかの組を、２０ビットワード列データＤＰＡ（２０）及びＤＰＢ（２０）の組として導出する。
データ処理部１１から送出されるワード伝送レートを７４．２５ＭＢｐｓとする２０ビットワード列データＤＰＡ（２０）は、データ挿入部１２に供給される。データ挿入部１２にあっては、２０ビットワード列データＤＰＡ（２０）に、必要に応じたチャンネル識別データを含む補助データＤＡＡを挿入し、補助データＤＡＡが挿入された２０ビットワード列データＤＰＡ’（２０）を形成する。データ挿入部１２から得られる２０ビットワード列データＤＰＡ’（２０）は、Ｐ／Ｓ変換部１３に供給される。
Ｐ／Ｓ変換部１３にあっては、２０ビットワード列データＤＰＡ’（２０）にＰ／Ｓ変換を施して、２０ビットワード列データＤＰＡ’（２０）に基づくビット伝送レートを７４．２５ＭＢｐｓ×２０＝１．４８５ＧｂｐｓとするシリアルデータＤＳＡを形成し、そのシリアルデータＤＳＡをビット多重部１４に供給する。
一方、データ処理部１１から送出されるワード伝送レートを７４．２５ＭＢｐｓとする２０ビットワード列データＤＰＢ（２０）は、データ挿入部１５に供給される。データ挿入部１５にあっては、２０ビットワード列データＤＰＢ（２０）に、必要に応じたチャンネル識別データを含む補助データＤＡＢを挿入し、補助データＤＡＢが挿入された２０ビットワード列データＤＰＢ’（２０）を形成する。データ挿入部１５から得られる２０ビットワード列データＤＰＢ’（２０）は、Ｐ／Ｓ変換部１６に供給される。
Ｐ／Ｓ変換部１６にあっては、２０ビットワード列データＤＰＢ’（２０）にＰ／Ｓ変換を施して、２０ビットワード列データＤＰＢ’（２０）に基づくビット伝送レートを７４．２５ＭＢｐｓ×２０＝１．４８５ＧｂｐｓとするシリアルデータＤＳＢを形成し、そのシリアルデータＤＳＢをビット多重部１４に供給する。
ビット多重部１４にあっては、シリアルデータＤＳＡ及びシリアルデータＤＳＢの夫々から１ビットずつを交互に取り出して順次配列する動作を行い、シリアルデータＤＳＡとシリアルデータＤＳＢとにビット多重合成処理を施して、ビット伝送レートを１．４８５Ｇｂｐｓ×２＝２．９７Ｇｂｐｓとする複合シリアルデータＤＳＺを形成する。
ビット多重部１４から得られる複合シリアルデータＤＳＺは、電光変換部（Ｅ／Ｏ変換部）１７に供給される。Ｅ／Ｏ変換部１７においては、複合シリアルデータＤＳＺに電光変換処理を施し、複合シリアルデータＤＳＺに基づく中心波長を、例えば、略１．３μｍとする光信号ＯＺＶを、ビット伝送レートを２．９７Ｇｂｐｓとするものとして形成し、それを伝送信号として送出する。斯かるもとで、ビット多重部１４及びＥ／Ｏ変換部１７は、Ｐ／Ｓ変換部１３及び１６から夫々得られるシリアルデータＤＳＡ及びＤＳＢを伝送すべく送出するデータ送出部を形成している。
Ｅ／Ｏ変換部１７から送出される伝送信号である光信号ＯＺＶは、光コネクタ１８を通じて光ファイバー伝送路２０に導かれ、光ファイバー伝送路２０を通じて受信側へと伝送される。光ファイバー伝送路２０は、例えば、石英系シングルモードファイバー（石英系ＳＭＦ）が用いられて形成される。
受信側においては、光ファイバー伝送路２０を通じて伝送された光信号ＯＺＶが、光コネクタ２１を通じて光電変換部（Ｏ／Ｅ変換部）２２へと導かれる。Ｏ／Ｅ変換部２２にあっては、中心波長を略１．３μｍとする光信号ＯＺＶに光電変換処理を施して、ビット伝送レートを２．９７Ｇｂｐｓとし、中心波長を略１．３μｍとする光信号ＯＺＶに基づく、ビット伝送レートを２．９７Ｇｂｐｓとする複合シリアルデータＤＳＺを再生する。そして、再生された複合シリアルデータＤＳＺは、ビット分離部２３に供給される。
ビット分離部２３にあっては、複合シリアルデータＤＳＺから１ビットずつを順次取り出して、２個の一つ置きのビットのグループを形成する動作を行い、複合シリアルデータＤＳＺにビット分離処理を施す。そして、複合シリアルデータＤＳＺに含まれたチャンネル識別データを利用してチャンネルを特定し、複合シリアルデータＤＳＺに基づく、各々がビット伝送レートを２．９７Ｇｂｐｓ／２＝１．４８５Ｇｂｐｓとする２チャンネルのシリアルデータＤＳＡ及びＤＳＢを形成する。シリアルデータＤＳＡは、シリアル／パラレル（Ｓ／Ｐ）変換部２４に供給され、また、シリアルデータＤＳＢは、Ｓ／Ｐ変換部２５に供給される。
Ｓ／Ｐ変換部２４にあっては、シリアルデータＤＳＡにＳ／Ｐ変換を施して、シリアルデータＤＳＡに基づく、ワード伝送レートを７４．２５ＭＢｐｓとする２０ビットワード列データＤＰＡ’（２０）を再生し、それをデータ分離部２６に供給する。データ分離部２６にあっては、２０ビットワード列データＤＰＡ’（２０）から、チャンネル識別データを含んだ補助データＤＡＡが分離されて、２０ビットワード列データＤＰＡ（２０）と補助データＤＡＡとが個別に送出され、２０ビットワード列データＤＰＡ（２０）は、データ時間差吸収部２７に供給される。
また、Ｓ／Ｐ変換部２５にあっては、シリアルデータＤＳＢにＳ／Ｐ変換を施して、シリアルデータＤＳＢに基づく、ワード伝送レートを７４．２５ＭＢｐｓとする２０ビットワード列データＤＰＢ’（２０）を再生し、それをデータ分離部２８に供給する。データ分離部２８にあっては、２０ビットワード列データＤＰＢ’（２０）から、チャンネル識別データを含んだ補助データＤＡＢが分離されて、２０ビットワード列データＤＰＢ（２０）と補助データＤＡＢとが個別に送出され、２０ビットワード列データＤＰＢ（２０）は、データ時間差吸収部２７に供給される。
データ時間差吸収部２７にあっては、データ分離部２６からの２０ビットワード列データＤＰＡ（２０）とデータ分離部２８からの２０ビットワード列データＤＰＢ（２０）との間に生じた相互時間差を吸収し、２０ビットワード列データＤＰＡ（２０）に基づくワード伝送レートを７４．２５ＭＢｐｓとする２０ビットワード列データＤＰＡＱ（２０）と、２０ビットワード列データＤＰＢ（２０）に基づくワード伝送レートを７４．２５ＭＢｐｓとする２０ビットワード列データＤＰＢＱ（２０）とを、相互時間差が実質的に無い状態に維持されることが目指されるものとして送出する。
データ時間差吸収部２７から得られる２０ビットワード列データＤＰＡＱ（２０）と２０ビットワード列データＤＰＢＱ（２０）とは、データ再生処理部３０に供給される。データ再生処理部３０にあっては、２０ビットワード列データＤＰＡＱ（２０）と２０ビットワード列データＤＰＢＱ（２０）とに対して、送信側におけるデータ処理部１１によりディジタルデータＤＶＸに施されるデータ変換処理とは逆のデータ再生処理を施し、２０ビットワード列データＤＰＡＱ（２０）と２０ビットワード列データＤＰＢＱ（２０）とに基づくディジタルデータＤＶＸを再生する。
斯かるディジタルデータＤＶＸは、図６〜図８において、ＤＡ１２〜ＤＣ１２，ＤＦ１２〜ＤＨ１２，ＤＡ１４〜ＤＣ１４及びＤＡ１６〜ＤＣ１６として示される、４：２：２形式もしくは４：４：４形式のディジタル映像信号を成すディジタルデータのいずれか、もしくは、図１１において、ＤＤＴ１２，ＤＤＴ１４，ＤＤＴ１６及びＤＩＴ１２として示される、４：２：２形式もしくは４：４：４形式の７２０Ｐ信号を成すディジタルデータのいずれか、あるいは、４：２：２形式のディジタル映像信号を成すディジタルデータＤＡ１０，ＤＢ１０もしくはＤＣ１０にＫｅｙ信号データ系列ＤＫＡ１０が付加されたデータＤＶＡ１０＋ＤＫＡ１０，４：４：４形式のディジタル映像信号を成すディジタルデータＤＦ１０，ＤＧ１０もしくはＤＨ１０にＫｅｙ信号データ系列ＤＫＢ１０が付加されたデータＤＶＢ１０＋ＤＫＢ１０，ディジタルデータＤＡ１２，ＤＢ１２もしくはＤＣ１２に量子化ビット数を１２ビットとするＫｅｙ信号データ系列ＤＫＡ１２が付加されたデータＤＶＡ１２＋ＤＫＡ１２，４：２：２形式のディジタル映像信号を成すディジタルデータＤＤＴ１０にＫｅｙ信号データ系列ＤＫＤ１０が付加されたデータＤＤＴ１０＋ＤＫＤ１０，４：４：４形式のディジタル映像信号を成すディジタルデータＤＩＴ１０にＫｅｙ信号データ系列ＤＫＩ１０が付加されたデータＤＩＴ１０＋ＤＫＩ１０、もしくは、ディジタルデータＤＤＴ１２にＫｅｙ信号データ系列ＤＫＤ１２が付加されたデータＤＤＴ１２＋ＤＫＤ１２とされる。
図２６は、本発明に係るデータ伝送方法の第１，第２，第５〜第９及び第１６〜第１８のいずれかの態様を成す例が実施される、本発明に係るデータ伝送装置の第１，第２，第５〜第９及び第１６〜第１８のいずれかの態様を成す第２の例を含んだデータ送受装置の部分を示す。
図２６に部分が示されるデータ送受装置は、図１２に示されるデータ送受装置と同様に構成される部分を多々有しており、図２６には、図１２に示されるデータ送受装置と異なる部分及びそれに関連する部分のみが示されている。
図２６に部分が示されるデータ送受装置にあっては、図１２に示されるデータ送受装置において備えられているビット多重部１４及びビット分離部２３は備えず、また、図１２に示されるデータ送受装置において備えられているＥ／Ｏ変換部１７とＯ／Ｅ変換部２２とに代えて、Ｅ／Ｏ変換部３１及び３２とＯ／Ｅ変換部３８及び３９とを備えている。
斯かる図２６に部分が示されるデータ送受装置においては、Ｐ／Ｓ変換部１３からのビット伝送レートを１．４８５ＧｂｐｓとするシリアルデータＤＳＡがＥ／Ｏ変換部３１に供給されるとともに、Ｐ／Ｓ変換部１６からのビット伝送レートを１．４８５ＧｂｐｓとするシリアルデータＤＳＢがＥ／Ｏ変換部３２に供給される。Ｅ／Ｏ変換部３１においては、シリアルデータＤＳＡに電光変換処理を施し、シリアルデータＤＳＡに基づく、中心波長を、例えば、略１．３μｍとする光信号ＯＳＡを、ビット伝送レートを１．４８５Ｇｂｐｓとするものとして形成し、それを合波部３３へと導く。また、Ｅ／Ｏ変換部３２においては、シリアルデータＤＳＢに電光変換処理を施し、シリアルデータＤＳＢに基づく、中心波長を、例えば、略１．５５μｍとする光信号ＯＳＢを、ビット伝送レートを１．４８５Ｇｂｐｓとするものとして形成し、それを合波部３３へと導く。
合波部３３は、例えば、ファイバー型波長多重カップラ（ファイバー型ＷＤＭカップラ）によって形成される。合波部３３にあっては、中心波長を略１．３μｍとする光信号ＯＳＡと中心波長を略１．５５μｍとする光信号ＯＳＢとを合波して多重化し、多重光信号ＯＳＺを形成して、それを伝送信号として送出する。斯かるもとで、Ｅ／Ｏ変換部３１及び３２及び合波部３３は、Ｐ／Ｓ変換部１３及び１６から夫々得られるシリアルデータＤＳＡ及びＤＳＢを伝送すべく送出するデータ送出部を形成している。
合波部３３から送出される伝送信号である多重光信号ＯＳＺは、光コネクタ３４を通じて光ファイバー伝送路３５に導かれ、光ファイバー伝送路３５を通じて受信側へと伝送される。光ファイバー伝送路３５は、例えば、石英系ＳＭＦが用いられて形成される。
受信側においては、光ファイバー伝送路３５を通じて伝送された多重光信号ＯＳＺが、光コネクタ３６を通じて分波部３７へと導かれる。分波部３７は、例えば、ファイバー型ＷＤＭカップラが分波手段として用いられて形成される。そして、分波部３７にあっては、多重光信号ＯＳＺを、中心波長を略１．３μｍとする成分と中心波長を略１．５５μｍとする成分とに分波して、ビット伝送レートを１．４８５Ｇｂｐｓとし、中心波長を略１．３μｍとする光信号ＯＳＡと、ビット伝送レートを１．４８５Ｇｂｐｓとし、中心波長を略１．５５μｍとする光信号ＯＳＢとを再生する。
分波部３７により再生された光信号ＯＳＡ及びＯＳＢは、夫々、Ｏ／Ｅ変換部３８及び３９へと導かれる。Ｏ／Ｅ変換部３８にあっては、中心波長を略１．３μｍとする光信号ＯＳＡに光電変換処理を施して、ビット伝送レートを１．４８５Ｇｂｐｓとし、中心波長を略１．３μｍとする光信号ＯＳＡに基づく、ビット伝送レートを１．４８５ＧｂｐｓとするシリアルデータＤＳＡを再生する。そして、再生されたシリアルデータＤＳＡは、Ｓ／Ｐ変換部２４に供給される。また、Ｏ／Ｅ変換部３９にあっては、中心波長を略１．５５μｍとする光信号ＯＳＢに光電変換処理を施して、ビット伝送レートを１．４８５Ｇｂｐｓとし、中心波長を略１．５５μｍとする光信号ＯＳＢに基づく、ビット伝送レートを１．４８５ＧｂｐｓとするシリアルデータＤＳＢを再生する。そして、再生されたシリアルデータＤＳＢは、Ｓ／Ｐ変換部２５に供給される。その他の動作は、図１２に示されるデータ送受装置の場合と同様である。
図２７は、本発明に係るデータ伝送方法の第１，第２，第５〜第９及び第１６〜第１８のいずれかの態様を成す例が実施される、本発明に係るデータ伝送装置の第１，第２，第５〜第９及び第１６〜第１８のいずれかの態様を成す第３の例を含んだデータ送受装置の部分を示す。
図２７に部分が示されるデータ送受装置は、図２６に部分が示されるデータ送受装置と同様に構成される部分を多々有しており、図２７には、図２６に部分が示されるデータ送受装置と異なる部分及びそれに関連する部分のみが示されている。
図２７に部分が示されるデータ送受装置にあっては、図２６に部分が示されるデータ送受装置において備えられている合波部３３及び分波部３７は備えていず、また、図２６に部分が示されるデータ送受装置において備えられているＥ／Ｏ変換部３２及びＯ／Ｅ変換部３９に夫々代えて、Ｅ／Ｏ変換部４０及びＯ／Ｅ変換部４１を備えている。
斯かる図２７に部分が示されるデータ送受装置においては、Ｅ／Ｏ変換部４０に、ビット伝送レートを１．４８５ＧｂｐｓとするシリアルデータＤＳＢが供給され、Ｅ／Ｏ変換部４０から、シリアルデータＤＳＢに基づく、中心波長を、例えば、略１．３μｍとする光信号ＯＳＢが、ビット伝送レートを１．４８５Ｇｂｐｓとするものとして導出される。斯かるもとで、Ｅ／Ｏ変換部３１及び４０は、Ｐ／Ｓ変換部１３及び１６から夫々得られるシリアルデータＤＳＡ及びＤＳＢを伝送すべく送出するデータ送出部を形成している。
そして、Ｅ／Ｏ変換部３１から導出される、ビット伝送レートを１．４８５Ｇｂｐｓとし、中心波長を略１．３μｍとする光信号ＯＳＡが、光コネクタ４２を通じて光ファイバー伝送路４３に導かれ、光ファイバー伝送路４３を通じて受信側へと伝送されるとともに、Ｅ／Ｏ変換部４０から導出される、ビット伝送レートを１．４８５Ｇｂｐｓとし、中心波長を略１．３μｍとする光信号ＯＳＢが、光コネクタ４４を通じて光ファイバー伝送路４５に導かれ、光ファイバー伝送路４５を通じて受信側へと伝送される。光ファイバー伝送路４３及び４５の夫々も、例えば、石英系ＳＭＦが用いられて形成される。
受信側においては、光ファイバー伝送路４３を通じて伝送された光信号ＯＳＡが、光コネクタ４６を通じてＯ／Ｅ変換部３８へと導かれ、Ｏ／Ｅ変換部３８において、ビット伝送レートを１．４８５Ｇｂｐｓとし、中心波長を略１．３μｍとする光信号ＯＳＡに基づいて、ビット伝送レートを１．４８５ＧｂｐｓとするシリアルデータＤＳＡが再生される。また、光ファイバー伝送路４５を通じて伝送された光信号ＯＳＢが、光コネクタ４７を通じてＯ／Ｅ変換部４１へと導かれ、Ｏ／Ｅ変換部４１において、ビット伝送レートを１．４８５Ｇｂｐｓとし、中心波長を略１．３μｍとする光信号ＯＳＢに基づいて、ビット伝送レートを１．４８５ＧｂｐｓとするシリアルデータＤＳＢが再生される。その他の動作は、図２６に部分が示されるデータ送受装置の場合と同様である。
図２８は、本発明に係るデータ伝送方法の第１０〜第１２，第１９及び第２０の態様を成す例が実施される、本発明に係るデータ伝送装置の第１０〜第１２，第１９及び第２０の態様を成す第４の例を含んだデータ送受装置を示す。
図２８に示されるデータ送受装置においては、本発明に係るデータ伝送装置の第４の例を構成する送信側において、ディジタルデータＤＶＸがデータ処理部５１に供給される。
ディジタルデータＤＶＸは、データＤＶＡ１２＋ＤＫＡ１２；ディジタルデータＤＡ１４，ＤＢ１４もしくはＤＣ１４に量子化ビット数を１４ビットとするＫｅｙ信号データ系列ＤＫＡ１４が付加されたデータＤＶＡ１４＋ＤＫＡ１４；ディジタルデータＤＡ１６，ＤＢ１６もしくはＤＣ１６に量子化ビット数を１６ビットとするＫｅｙ信号データ系列ＤＫＡ１６が付加されたデータＤＶＡ１６＋ＤＫＡ１６；ディジタルデータＤＦ１２，ＤＧ１２もしくはＤＨ１２に量子化ビット数を１２ビットとするＫｅｙ信号データ系列ＤＫＢ１２が付加されたデータＤＶＢ１２＋ＤＫＢ１２；フレームレートを５０Ｈｚもしくは６０Ｈｚとし、各フレームにおけるライン数が１１２５ラインであって有効ライン数が１０８０ライン，サンプリング周波数が７４．２５ＭＨｚ，各ラインにおける有効データサンプル数が１９２０サンプルに設定され、量子化ビット数を１０ビットとする４：２：２形式のディジタル映像信号を成すディジタルデータＤＤ１０もしくはＤＥ１０に量子化ビット数を１０ビットとするＫｅｙ信号データ系列ＤＫＣ１０が付加されたデータＤＶＣ１０＋ＤＫＣ１０；データＤＤＴ１２＋ＤＫＤ１２；ディジタルデータＤＤＴ１４に量子化ビット数を１４ビットとするＫｅｙ信号データ系列ＤＫＤ１４が付加されたデータＤＤＴ１４＋ＤＫＤ１４；ディジタルデータＤＤＴ１６に量子化ビット数を１６ビットとするＫｅｙ信号データ系列ＤＫＤ１６が付加されたデータＤＤＴ１６十ＤＫＤ１６、もしくは、ディジタルデータＤＩＴ１２に量子化ビット数を１２ビットとするＫｅｙ信号データ系列ＤＫＩ１２が付加されたデータＤＩＴ１２＋ＤＫＩ１２とされる。
Ｋｅｙ信号データ系列ＤＫＡ１４，ＤＫＡ１６，ＤＫＣ１０，ＤＫＤ１４及びＤＫＤ１６の夫々は、Ｙデータ系列と同等のデータフォーマットを有し、Ｙデータ系列及びＰＢ／ＰＲデータ系列に付随する付加情報データ系列を成すものとされる。また、Ｋｅｙ信号データ系列ＤＫＢ１２及びＤＫＩ１２の夫々は、Ｇデータ系列と同等のデータフォーマットを有し、Ｇデータ系列，Ｂデータ系列及びＲデータ系列に付随する付加情報データ系列を成すものとされる。
ディジタルデータＤＶＸが、データＤＶＡ１２＋ＤＫＡ１２もしくはＤＤＴ１２＋ＤＫＤ１２データである場合、データＤＶＡ１２＋ＤＫＡ１２またはＤＤＴ１２＋ＤＫＤ１２は、図２４に示される如く、各々が量子化ビット数を１２ビットとしてワード伝送レートを７４．２５ＭＢｐｓとするＹデータ系列，ＰＢ／ＰＲデータ系列及びＫｅｙ信号データ系列が、フレーム同期及びライン同期がとられたもとでパラレル多重されて得られる、ワード伝送レートを７４．２５ＭＢｐｓとする３６ビットパラレルデータとして、データ処理部５１に供給される。
データ処理部５１にあっては、図２４に示される如くにして供給されるデータＤＶＡ１２＋ＤＫＡ１２またはＤＤＴ１２＋ＤＫＤ１２に対して、次の処理を施す。
先ず、図２４に示される如くの、Ｙデータ系列を構成する１２ビットワードＹＤ０，ＹＤ１，ＹＤ２，ＹＤ３，・・・・・，ＰＢ／ＰＲデータ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＡ１２ＡまたはＤＶＤＴ１２Ａを、リンクＡとして、図２９に示される如くに形成する。
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット［Ｙ０；０−１］＋ｃ０，［Ｙ１；０−１］＋ｃ１，［Ｙ２；０−１］＋ｃ２，［Ｙ３；０−１］＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ０；２−１，・・・・・に、８ビットの補助ビットｄ０，ｄ１，ｄ２，ｄ３，・・・・・を夫々加えて、１０ビット［Ｐｂ０；０−１］＋ｄ０，［Ｐｒ０；０−１］＋ｄ１，［Ｐｂ１；０−１］＋ｄ２，［Ｐｒ１；０−１］＋ｄ３，［Ｐｂ２；０−１］＋ｄ４，［Ｐｒ２；０−１］＋ｄ５，・・・・・とする。そして、１０ビットの列：［Ｙ０；０−１］＋ｃ０，［Ｙ１；０−１］＋ｃ１，［Ｙ２；０−１］＋ｃ２，［Ｙ３；０−１］＋ｃ３，・・・・・と１０ビットの列：［Ｐｂ０；０−１］＋ｄ０，［Ｐｒ０；０−１］＋ｄ１，［Ｐｂ１；０−１］＋ｄ２，［Ｐｒ１；０−１］＋ｄ３，［Ｐｂ２；０−１］＋ｄ４，［Ｐｒ２；０−１］＋ｄ５，・・・・・とをパラレル多重して、ワード伝送レートを７４．２５ＭＢｐｓとする２０ビットワード列データＤＶＡ１２ＢまたはＤＶＤＴ１２Ｂを、リンクＢとして、図２９に示される如くに形成する。
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット［Ａ０；０−１］＋ｅ０，［Ａ１；０−１］＋ｅ１，［Ａ２；０−１］＋ｅ２，［Ａ３；０−１］＋ｅ３，・・・・・とし、分割された上位１０ビットの列：Ａ０；２−１１，Ａ１；２−１１，Ａ２；２−１１，Ａ３；２−１１，・・・・・と１０ビットの列：［Ａ０；０−１］＋ｅ０，［Ａ１；０−１］＋ｅ１，［Ａ２；０−１］＋ｅ２，［Ａ３；０−１］＋ｅ３，・・・・・とをパラレル多重して、ワード伝送レートを７４．２５ＭＢｐｓとする２０ビットワード列データＤＶＡ１２ＣまたはＤＶＤＴ１２Ｃを、リンクＣとして、図２９に示される如くに形成する。
即ち、ワード伝送レートを７４．２５ＭＢｐｓとする３６ビットワード列データを形成するデータＤＶＡ１２＋ＤＫＡ１２またはＤＤＴ１２＋ＤＫＤ１２を、各々がワード伝送レートを７４．２５ＭＢｐｓとする２０ビットワード列データＤＶＡ１２ＡまたはＤＶＤＴ１２Ａ，ＤＶＡ１２ＢまたはＤＶＤＴ１２Ｂ及びＤＶＡ１２ＣまたはＤＶＤＴ１２Ｃの３系統のワード列データに変換するのである。
また、データ処理部５１にあっては、図２４に示される如くにして供給されるデータＤＶＡ１２＋ＤＫＡ１２またはＤＤＴ１２＋ＤＫＤ１２に対し、上述の処理に代えた別の処理として、次の処理を施す。
先ず、図２４に示される如くの、Ｙデータ系列を構成する１２ビットワードＹＤ０，ＹＤ１，ＹＤ２，ＹＤ３，・・・・・，ＰＢ／ＰＲデータ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＡ１２ＡまたはＤＶＤＴ１２Ａを、リンクＡとして、図３０に示される如くに形成する。
また、分割された下位２ビットＹ０；０−１とＰｂ０；０−１とＰｒ０；０−１とをビット多重するとともに４ビットの補助ビットｄ０を加えて得られる１０ビット［Ｙ０ＢＲ０；０−１］＋ｄ０，分割された下位２ビットＹ１；０−１に８ビットの補助ビットｅ０を加えて得られる１０ビット［Ｙ１；０−１］＋ｅ０，分割された下位２ビットＹ２；０−１とＰｂ１；０−１とＰｒ１；０−１とをビット多重するとともに４ビットの補助ビットｄ１を加えて得られる１０ビット［Ｙ２ＢＲ１；０−１］＋ｄ１，分割された下位２ビットＹ３；０−１に８ビットの補助ビットｅ１を加えて得られる１０ビット［Ｙ３；０−１］＋ｅ１，分割された下位２ビットＹ４；０−１とＰｂ２；０−１とＰｒ２；０−１とをビット多重するとともに４ビットの補助ビットｄ２を加えて得られる１０ビット［Ｙ４ＢＲ２；０−１］＋ｄ２，分割された下位２ビットＹ５；０−１に８ビットの補助ビットｅ２を加えて得られる１０ビット［Ｙ５；０−１］＋ｅ２，・・・・・を形成する。そして、このようにして得た１０ビットの列と補助１０ビットワードαＤ０，αＤ１，αＤ２，αＤ３，・・・・・とをパラレル多重して、ワード伝送レートを７４．２５ＭＢｐｓとする２０ビットワード列データＤＶＡ１２ＢまたはＤＶＤＴ１２Ｂを、リンクＢとして、図３０に示される如くに形成する。
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット［Ａ０；０−１］＋ｅ０，［Ａ１；０−１］＋ｅ１，［Ａ２；０−１］＋ｅ２，［Ａ３；０−１］＋ｅ３，・・・・・とし、分割された上位１０ビットの列：Ａ０；２−１１，Ａ１；２−１１，Ａ２；２−１１，Ａ３；２−１１，・・・・・と１０ビットの列：［Ａ０；０−１］＋ｅ０，［Ａ１；０−１］＋ｅ１，［Ａ２；０−１］＋ｅ２，［Ａ３；０−１］＋ｅ３，・・・・・とをパラレル多重して、ワード伝送レートを７４．２５ＭＢｐｓとする２０ビットワード列データＤＶＡ１２ＣまたはＤＶＤＴ１２Ｃを、リンクＣとして、図３０に示される如くに形成する。
即ち、斯かる場合にも、ワード伝送レートを７４．２５ＭＢｐｓとする３６ビットワード列データを形成するデータＤＶＡ１２＋ＤＫＡ１２またはＤＤＴ１２＋ＤＫＤ１２を、各々がワード伝送レートを７４．２５ＭＢｐｓとする２０ビットワード列データＤＶＡ１２ＡまたはＤＶＤＴ１２Ａ，ＤＶＡ１２ＢまたはＤＶＤＴ１２Ｂ及びＤＶＡ１２ＣまたはＤＶＤＴ１２Ｃの３系統のワード列データに変換するのである。
ディジタルデータＤＶＸが、データＤＶＡ１４＋ＤＫＡ１４またはＤＤＴ１４＋ＤＫＤ１４、もしくは、ＤＶＡ１６＋ＤＫＡ１６またはＤＤＴ１６＋ＤＫＤ１６である場合には、各々が量子化ビット数を１４ビットもしくは１６ビットとしてワード伝送レートを７４．２５ＭＢｐｓとするＹデータ系列，ＰＢ／ＰＲデータ系列及びＫｅｙ信号データ系列が、フレーム同期及びライン同期がとられたもとでパラレル多重されて得られる、ワード伝送レートを７４．２５ＭＢｐｓとする４２ビットパラレルデータもしくは４８ビットパラレルデータとして、データ処理部５１に供給される。
斯かる際にも、データ処理部５１は、データＤＶＡ１４＋ＤＫＡ１４またはＤＤＴ１４＋ＤＫＤ１４、もしくは、ＤＶＡ１６＋ＤＫＡ１６またはＤＤＴ１６＋ＤＫＤ１６に対して、ＤＶＡ１２＋ＤＫＡ１２またはＤＤＴ１２＋ＤＫＤ１２に対する場合と同様な処理を施す。但し、Ｙデータ系列，ＰＢ／ＰＲデータ系列及びＫｅｙ信号データ系列を構成する１２ビットワードの夫々を、上位１０ビットと下位２ビットとに分割する動作に代えて、Ｙデータ系列，ＰＢ／ＰＲデータ系列及びＫｅｙ信号データ系列を構成する１４ビットワードの夫々を、上位１０ビットと下位４ビットとに分割する動作、もしくは、Ｙデータ系列，ＰＢ／ＰＲデータ系列及びＫｅｙ信号データ系列を構成する１６ビットワードの夫々を、上位１０ビットと下位６ビットとに分割する動作を行う。
そして、ワード伝送レートを７４．２５ＭＢｐｓとする４２ビットワード列データもしくは４８ビットワード列データを形成するデータＤＶＡ１４＋ＤＫＡ１４またはＤＤＴ１４＋ＤＫＤ１４、もしくは、ＤＶＡ１６＋ＤＫＡ１６またはＤＤＴ１６＋ＤＫＤ１６を、各々がワード伝送レートを７４．２５ＭＢｐｓとする２０ビットワード列データＤＶＡ１４ＡまたはＤＶＤＴ１４ＡもしくはＤＶＡ１６ＡまたはＤＶＤＴ１６Ａ，ＤＶＡ１４ＢまたはＤＶＤＴ１４ＢもしくはＤＶＡ１６ＢまたはＤＶＤＴ１６Ｂ、及び、ＤＶＡ１４ＣまたはＤＶＤＴ１４ＣもしくはＤＶＡ１６ＣまたはＤＶＤＴ１６Ｃ３系統のワード列データに変換する。
ディジタルデータＤＶＸが、データＤＶＢ１２＋ＤＫＢ１２またはＤＩＴ１２＋ＤＫＩ１２である場合には、図３１に示される如くに、各々が量子化ビット数を１２ビットとしてワード伝送レートを７４．２５ＭＢｐｓとするＧデータ系列，Ｂデータ系列及びＲデータ系列と、Ｇデータ系列と同等のデータフォーマットを有し、量子化ビット数を１２ビットとしてワード伝送レートを７４．２５ＭＢｐｓとするＫｅｙ信号データ系列とが、フレーム同期及びライン同期がとられたもとでパラレル多重されて得られる、ワード伝送レートを７４．２５ＭＢｐｓとする４８ビットパラレルデータとして、データ処理部５１に供給される。
データ処理部５１にあっては、図３１に示される如くにして供給されるデータＤＶＢ１２＋ＤＫＢ１２またはＤＩＴ１２＋ＤＫＩ１２に対して次の処理を施す。
先ず、図３１に示される如くの、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・、及び、Ａ０；０−１，Ａ１；０−１，Ａ２；０−１，Ａ３；０−１，・・・・・とに分割する。
次に、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット［ＧＢＲ０：０−１］＋ｆ０，Ｇ１；０−１とＢ１；０−１とＲ１；０−１とをビット多重するとともに４ビットの補助ビットｆ１を加えて得られる１０ビット［ＧＢＲ１：０−１］＋ｆ１，Ｇ２；０−１とＢ２；０−１とＲ２；０−１とをビット多重するとともに４ビットの補助ビットｆ２を加えて得られる１０ビット［ＧＢＲ２：０−１］＋ｆ２，Ｇ３；０−１とＢ３；０−１とＲ３；０−１とをビット多重するとともに４ビットの補助ビットｆ３を加えて得られる１０ビット［ＧＢＲ３：０−１］＋ｆ３，・・・・・を形成する。
続いて、図３２に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列：［ＧＢＲ０：０−１］＋ｆ０，［ＧＢＲ１：０−１］＋ｆ１，［ＧＢＲ２：０−１］＋ｆ２，［ＧＢＲ３：０−１］＋ｆ３，・・・・・とを、図３２において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列：［ＧＢＲ０：０−１］＋ｆ０，［ＧＢＲ１：０−１］＋ｆ１，［ＧＢＲ２：０−１］＋ｆ２，［ＧＢＲ３：０−１］＋ｆ３，・・・・・とを含む１０ビットワードグループ２とに振り分ける。
そして、図３２に示される１０ビットワードグループ１に基づく、ワード伝送レートを７４．２５ＭＢｐｓする２０ビットワード列データＤＶＢ１２ＡまたはＤＶＩＴ１２Ａを、リンクＡとして、図３３に示される如くに形成するとともに、図３２に示される１０ビットワードグループ２に基づく、ワード伝送レートを７４．２５ＭＢｐｓとする２０ビットワード列データＤＶＢ１２ＢまたはＤＶＩＴ１２Ｂを、リンクＢとして、図３３に示される如くに形成する。
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット［Ａ０；０−１］＋ｅ０，［Ａ１；０−１］＋ｅ１，［Ａ２；０−１］＋ｅ２，［Ａ３；０−１］＋ｅ３，・・・・・とし、分割された上位１０ビットの列：Ａ０；２−１１，Ａ１；２−１１，Ａ２；２−１１，Ａ３；２−１１，・・・・・と１０ビットの列：［Ａ０；０−１］＋ｅ０，［Ａ１；０−１］＋ｅ１，［Ａ２；０−１］＋ｅ２，［Ａ３；０−１］＋ｅ３，・・・・・とをパラレル多重して、ワード伝送レートを７４．２５ＭＢｐｓとする２０ビットワード列データＤＶＢ１２ＣまたはＤＶＩＴ１２Ｃを、リンクＣとして、図３３に示される如くに形成する。
即ち、ワード伝送レートを７４．２５ＭＢｐｓとする４８ビットワード列データを形成するデータＤＶＢ１２＋ＤＫＢ１２またはＤＩＴ１２＋ＤＫＩ１２を、各々がワード伝送レートを７４．２５ＭＢｐｓとする２０ビットワード列データＤＶＢ１２ＡまたはＤＶＩＴ１２Ａ，ＤＶＢ１２ＢまたはＤＶＩＴ１２Ｂ及びＤＶＢ１２ＣまたはＤＶＩＴ１２Ｃの３系統のワード列データに変換するのである。
ディジタルデータＤＶＸが、データＤＶＣ１０＋ＤＫＣ１０である場合には、図３４に示される如くに、各々が量子化ビット数を１０ビットとしてワード伝送レートを１４８．５ＭＢｐｓとするＹデータ系列及びＰＢ／ＰＲデータ系列と、Ｙデータ系列と同等のデータフォーマットを有し、量子化ビット数を１０ビットとするＫｅｙ信号データ系列とが、フレーム同期及びライン同期がとられたもとでパラレル多重されて得られる、ワード伝送レートを１４８．５ＭＢｐｓとする３０ビットパラレルデータとして、データ処理部５１に供給される。
データ処理部５１にあっては、図３４に示される如くにして供給されるデータＤＶＣ１０＋ＤＫＣ１０に対して次の処理を施す。
先ず、Ｙデータ系列を構成する１０ビットワードＹＤ０，ＹＤ１，ＹＤ２，ＹＤ３，・・・・・、及び、ＰＢ／ＰＲデータ系列を構成する１０ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける。そして、グループ１を形成するＹデータ系列及びＰＢ／ＰＲデータ系列の夫々の１ライン部置きのデータに基づいて、ワード伝送レートを１４８．５ＭＢｐｓ／２＝７４．２５ＭＢｐｓとする２０ビットワード列データＤＶＣ１０Ａを、リンクＡとして、図３５に示される如くに形成するとともに、グループ２を形成するＹデータ系列及びＰＢ／ＰＲデータ系列の夫々の他の１ライン部置きのデータに基づいて、ワード伝送レートを１４８．５ＭＢｐｓ／２＝７４．２５ＭＢｐｓとする２０ビットワード列データＤＶＣ１０Ｂを、リンクＢとして、図３５に示される如くに形成する。
さらに、Ｋｅｙ信号データ系列を構成する１０ビットワードＡＤ０，ＡＤ１，ＡＤ２，ＡＤ３，・・・・・のうちの一つ置きのＡＤ０，ＡＤ２，ＡＤ４，・・・・・と、補助１０ビットワードβ０，β１，β２，β３，・・・・・とを、交互に配した１０ビットの列：β０，ＡＤ０，β１，ＡＤ２，β２，ＡＤ４，β３，・・・・・を形成するとともに、Ｋｅｙ信号データ系列を構成する１０ビットワードＡＤ０，ＡＤ１，ＡＤ２，ＡＤ３，・・・・・、のうちの他の一つ置きのＡＤ１，ＡＤ３，ＡＤ５，・・・・・と、補助１０ビットワードγ０，γ１，γ２，γ３，・・・・・と、を交互に配した１０ビットの列：γ０，ＡＤ１，γ１，ＡＤ３，γ２，ＡＤ５，γ３，・・・・・を形成する。そして、１０ビットの列：γ０，ＡＤ１，γ１，ＡＤ３，γ２，ＡＤ５，γ３，・・・・・と１０ビットの列：β０，ＡＤ０，β１，ＡＤ２，β２，ＡＤ４，β３，・・・・・とをパラレル多重して、ワード伝送レートを７４．２５ＭＢｐｓとする２０ビットワード列データＤＶＣ１０Ｃを、リンクＣとして、図３５に示される如くに形成する。
即ち、ワード伝送レートを１４８．５ＭＢｐｓとする３０ビットワード列データを形成するデータＤＶＣ１０＋ＤＫＣ１０を、各々がワード伝送レートを７４．２５ＭＢｐｓとする２０ビットワード列データＤＶＣ１０Ａ，ＤＶＣ１０Ｂ及びＤＶＣ１０Ｃの３系統のワード列データに変換するのである。
データ処理部５１は、上述の如くにして得たワード伝送レートを７４．２５ＭＢｐｓとする２０ビットワード列データＤＶＡ１２ＡまたはＤＶＤＴ１２Ａ，ＤＶＡ１２ＢまたはＤＶＤＴ１２Ｂ及びＤＶＡ１２ＣまたはＤＶＤＴ１２Ｃの組，ワード伝送レートを７４．２５ＭＢｐｓとする２０ビットワード列データＤＶＡ１４ＡまたはＤＶＤＴ１４Ａ，ＤＶＡ１４ＢまたはＤＶＤＴ１４Ｂ及びＤＶＡ１４ＣまたはＤＶＤＴ１４Ｃの組，ワード伝送レートを７４．２５ＭＢｐｓとする２０ビットワード列データＤＶＡ１６ＡまたはＤＶＤＴ１６Ａ，ＤＶＡ１６ＢまたはＤＶＤＴ１６Ｂ及びＤＶＡ１６ＣまたはＤＶＤＴ１６Ｃの組，ワード伝送レートを７４．２５ＭＢｐｓとする２０ビットワード列データＤＶＢ１２ＡまたはＤＶＩＴ１２Ａ，ＤＶＢ１２ＢまたはＤＶＩＴ１２Ｂ及びＤＶＢ１２ＣまたはＤＶＩＴ１２Ｃの組、及び、ワード伝送レートを７４．２５ＭＢｐｓとする２０ビットワード列データＤＶＣ１０Ａ，ＤＶＣ１０Ｂ及びＤＶＣ１０Ｃの組のいずれかを、２０ビットワード列データＤＰＡ（２０），ＤＰＢ（２０）及びＤＰＣ（２０）の組として導出する。
データ処理部５１から送出されるワード伝送レートを７４．２５ＭＢｐｓとする２０ビットワード列データＤＰＡ（２０）は、データ挿入部５２に供給される。データ挿入部５２にあっては、２０ビットワード列データＤＰＡ（２０）に、必要に応じたチャンネル識別データを含む補助データＤＡＡを挿入し、補助データＤＡＡが挿入された２０ビットワード列データＤＰＡ’（２０）を形成する。データ挿入部５２から得られる２０ビットワード列データＤＰＡ’（２０）は、Ｐ／Ｓ変換部５３に供給される。
Ｐ／Ｓ変換部５３にあっては、２０ビットワード列データＤＰＡ’（２０）にＰ／Ｓ変換を施して、２０ビットワード列データＤＰＡ’（２０）に基づくビット伝送レートを７４．２５ＭＢｐｓ×２０＝１．４８５ＧｂｐｓとするシリアルデータＤＳＡを形成し、そのシリアルデータＤＳＡをＥ／Ｏ変換部５４に供給する。
Ｅ／Ｏ変換部５４においては、シリアルデータＤＳＡに電光変換処理を施し、シリアルデータＤＳＡに基づく、中心波長を、例えば、略１．３μｍとする光信号ＯＳＡを、ビット伝送レートを１．４８５Ｇｂｐｓとするものとして形成し、それを伝送信号として送出する。
また、データ処理部５１から送出されるワード伝送レートを７４．２５ＭＢｐｓとする２０ビットワード列データＤＰＢ（２０）は、データ挿入部５５に供給される。データ挿入部５５にあっては、２０ビットワード列データＤＰＢ（２０）に、必要に応じたチャンネル識別データを含む補助データＤＡＢを挿入し、補助データＤＡＢが挿入された２０ビットワード列データＤＰＢ’（２０）を形成する。データ挿入部５５から得られる２０ビットワード列データＤＰＢ’（２０）は、Ｐ／Ｓ変換部５６に供給される。
Ｐ／Ｓ変換部５６にあっては、２０ビットワード列データＤＰＢ’（２０）にＰ／Ｓ変換を施して、２０ビットワード列データＤＰＢ’（２０）に基づくビット伝送レートを７４．２５ＭＢｐｓ×２０＝１．４８５ＧｂｐｓとするシリアルデータＤＳＢを形成し、そのシリアルデータＤＳＢをＥ／Ｏ変換部５７に供給する。
Ｅ／Ｏ変換部５７においては、シリアルデータＤＳＢに電光変換処理を施し、シリアルデータＤＳＢに基づく、中心波長を、例えば、略１．３μｍとする光信号ＯＳＢを、ビット伝送レートを１．４８５Ｇｂｐｓとするものとして形成し、それを伝送信号として送出する。
さらに、データ処理部５１から送出されるワード伝送レートを７４．２５ＭＢｐｓとする２０ビットワード列データＤＰＣ（２０）は、データ挿入部５８に供給される。データ挿入部５８にあっては、２０ビットワード列データＤＰＣ（２０）に、必要に応じたチャンネル識別データを含む補助データＤＡＣを挿入し、補助データＤＡＣが挿入された２０ビットワード列データＤＰＣ’（２０）を形成する。データ挿入部５８から得られる２０ビットワード列データＤＰＣ’（２０）は、Ｐ／Ｓ変換部５９に供給される。
Ｐ／Ｓ変換部５９にあっては、２０ビットワード列データＤＰＣ’（２０）にＰ／Ｓ変換を施して、２０ビットワード列データＤＰＣ’（２０）に基づくビット伝送レートを７４．２５ＭＢｐｓ×２０＝１．４８５ＧｂｐｓとするシリアルデータＤＳＣを形成し、そのシリアルデータＤＳＣをＥ／Ｏ変換部６０に供給する。
Ｅ／Ｏ変換部６０においては、シリアルデータＤＳＣに電光変換処理を施し、シリアルデータＤＳＣに基づく、中心波長を、例えば、略１．３μｍとする光信号ＯＳＣを、ビット伝送レートを１．４８５Ｇｂｐｓとするものとして形成し、それを伝送信号として送出する。
斯かるもとで、Ｅ／Ｏ変換部５４，５７及び６０は、Ｐ／Ｓ変換部５３，５６及び５９から夫々得られるシリアルデータＤＳＡ，ＤＳＢ及びＤＳＣを伝送すべく送出するデータ送出部を形成している。
Ｅ／Ｏ変換部５４から送出される伝送信号である光信号ＯＳＡは、光コネクタ６１を通じて光ファイバー伝送路６２に導かれ、光ファイバー伝送路６２を通じて受信側へと伝送される。また、Ｅ／Ｏ変換部５７から送出される伝送信号である光信号ＯＳＢは、光コネクタ６３を通じて光ファイバー伝送路６４に導かれ、光ファイバー伝送路６４を通じて受信側へと伝送される。さらに、Ｅ／Ｏ変換部６０から送出される伝送信号である光信号ＯＳＣは、光コネクタ６５を通じて光ファイバー伝送路６６に導かれ、光ファイバー伝送路６６を通じて受信側へと伝送される。光ファイバー伝送路６２，６４及び６６の夫々は、例えば、石英系ＳＭＦが用いられて形成される。
受信側においては、光ファイバー伝送路６２を通じて伝送された光信号ＯＳＡが、光コネクタ６７を通じてＯ／Ｅ変換部６８へと導かれる。また、光ファイバー伝送路６４を通じて伝送された光信号ＯＳＢが、光コネクタ６９を通じてＯ／Ｅ変換部７０へと導かれる。さらに、光ファイバー伝送路６６を通じて伝送された光信号ＯＳＣが、光コネクタ７１を通じてＯ／Ｅ変換部７２へと導かれる。
Ｏ／Ｅ変換部６８にあっては、中心波長を略１．３μｍとし、ビット伝送レートを１．４８５Ｇｂｐｓとする光信号ＯＳＡに光電変換処理を施して、光信号ＯＳＡに基づく、ビット伝送レートを１．４８５ＧｂｐｓとするシリアルデータＤＳＡを再生する。そして、再生されたシリアルデータＤＳＡは、Ｓ／Ｐ変換部７３に供給される。Ｓ／Ｐ変換部７３にあっては、シリアルデータＤＳＡにＳ／Ｐ変換を施して、シリアルデータＤＳＡに基づく、ワード伝送レートを７４．２５ＭＢｐｓとする２０ビットワード列データＤＰＡ’（２０）を再生し、それをデータ時間差吸収部７４に供給する。
また、Ｏ／Ｅ変換部７０にあっては、中心波長を略１．３μｍとし、ビット伝送レートを１．４８５Ｇｂｐｓとする光信号ＯＳＢに光電変換処理を施して、光信号ＯＳＢに基づく、ビット伝送レートを１．４８５ＧｂｐｓとするシリアルデータＤＳＢを再生する。そして、再生されたシリアルデータＤＳＢは、Ｓ／Ｐ変換部７５に供給される。Ｓ／Ｐ変換部７５にあっては、シリアルデータＤＳＢにＳ／Ｐ変換を施して、シリアルデータＤＳＢに基づく、ワード伝送レートを７４．２５ＭＢｐｓとする２０ビットワード列データＤＰＢ’（２０）を再生し、それをデータ時間差吸収部７４に供給する。
さらに、Ｏ／Ｅ変換部７２にあっては、中心波長を略１．３μｍとし、ビット伝送レートを１．４８５Ｇｂｐｓとする光信号ＯＳＣに光電変換処理を施して、光信号ＯＳＣに基づく、ビット伝送レートを１．４８５ＧｂｐｓとするシリアルデータＤＳＣを再生する。そして、再生されたシリアルデータＤＳＣは、Ｓ／Ｐ変換部７６に供給される。Ｓ／Ｐ変換部７６にあっては、シリアルデータＤＳＣにＳ／Ｐ変換を施して、シリアルデータＤＳＣに基づく、ワード伝送レートを７４．２５ＭＢｐｓとする２０ビットワード列データＤＰＣ’（２０）を再生し、それをデータ時間差吸収部７４に供給する。
データ時間差吸収部７４にあっては、Ｓ／Ｐ変換部７３からの２０ビットワード列データＤＰＡ’（２０）とＳ／Ｐ変換部７５からの２０ビットワード列データＤＰＢ’（２０）とＳ／Ｐ変換部７６からの２０ビットワード列データＤＰＣ’（２０）との間に生じた相互時間差を吸収し、２０ビットワード列データＤＰＡ’（２０）に基づくワード伝送レートを７４．２５ＭＢｐｓとする２０ビットワード列データＤＰＡＱ’（２０）と、２０ビットワード列データＤＰＢ’（２０）に基づくワード伝送レートを７４．２５ＭＢｐｓとする２０ビットワード列データＤＰＢＱ’（２０）と、２０ビットワード列データＤＰＣ’（２０）に基づくワード伝送レートを７４．２５ＭＢｐｓとする２０ビットワード列データＤＰＣＱ’（２０）とを、相互時間差が実質的に無い状態に維持されることが目指されるものとして送出する。
データ時間差吸収部７４から得られる２０ビットワード列データＤＰＡＱ’（２０），２０ビットワード列データＤＰＢＱ’（２０）及び２０ビットワード列データＤＰＣＱ’（２０）は、夫々、データ分離部７７，７８及び７９に供給される。データ分離部７７にあっては、２０ビットワード列データＤＰＡＱ’（２０）から、補助データＤＡＡが分離されて、２０ビットワード列データＤＰＡＱ（２０）と補助データＤＡＡとが個別に送出され、２０ビットワード列データＤＰＡＱ（２０）は、データ再生処理部８０に供給される。また、データ分離部７８にあっては、２０ビットワード列データＤＰＢＱ’（２０）から、補助データＤＡＢが分離されて、２０ビットワード列データＤＰＢＱ（２０）と補助データＤＡＢとが個別に送出され、２０ビットワード列データＤＰＢＱ（２０）は、データ再生処理部８０に供給される。さらに、データ分離部７９にあっては、２０ビットワード列データＤＰＣＱ’（２０）から、補助データＤＡＣが分離されて、２０ビットワード列データＤＰＣＱ（２０）と補助データＤＡＣとが個別に送出され、２０ビットワード列データＤＰＣＱ（２０）は、データ再生処理部８０に供給される。
データ再生処理部８０にあっては、２０ビットワード列データＤＰＡＱ（２０），ＤＰＢＱ（２０）及びＤＰＣＱ（２０）に対して、送信側におけるデータ処理部５１によりディジタルデータＤＶＸに施されるデータ変換処理とは逆のデータ再生処理を施し、２０ビットワード列データＤＰＡＱ（２０），ＤＰＢＱ（２０）及びＤＰＣＱ（２０）に基づくディジタルデータＤＶＸを再生する。斯かるディジタルデータＤＶＸは、データＤＶＡ１２＋ＤＫＡ１２またはＤＤＴ１２＋ＤＫＤ１２，ＤＶＡ１４＋ＤＫＡ１４またはＤＤＴ１４＋ＤＫＤ１４，ＤＶＡ１６＋ＤＫＡ１６またはＤＤＴ１６＋ＤＫＤ１６，ＤＶＢ１２＋ＤＫＢ１２またはＤＩＴ１２＋ＤＫＩ１２、もしくは、ＤＶＣ１０＋ＤＫＣ１０のいずれかとされる。
なお、上述において、量子化ビット数を１２ビット以上とするディジタル映像信号を成すデータにおける、Ｙデータ系列を構成する１２ビット，１４ビットもしくは１６ビットワードの夫々から分割された上位１０ビットの列と、ＰＢ／ＰＲデータ系列を構成する１２ビット，１４ビットもしくは１６ビットワードの夫々から分割された上位１０ビットの列とが、パラレル多重されて形成される２０ビットワード列データＤＶＡ１２ＡまたはＤＶＤＴ１２Ａ，ＤＶＡ１４ＡまたはＤＶＤＴ１４Ａ及びＤＶＡ１６ＡまたはＤＶＤＴ１６Ａ、さらには、Ｇデータ系列，Ｂデータ系列及びＲデータ系列の夫々を構成する１２ビットワードの各々から分割された上位１０ビットの列に基づいて形成される２０ビットワード列データＤＶＢ１２ＡまたはＤＶＩＴ１２Ａは、それらの各々が、例えば、現行のＨＤ用ビデオ・テープ・レコーダ（ＶＴＲ）による記録及び再生を行うことが可能なものである。それゆえ、現行のＨＤ用ＶＴＲを使用して、２０ビットワード列データＤＶＡ１２ＡまたはＤＶＤＴ１２Ａ，ＤＶＡ１４ＡまたはＤＶＤＴ１４Ａ及びＤＶＡ１６ＡまたはＤＶＤＴ１６Ａ，ＤＶＢ１２ＡまたはＤＶＩＴ１２Ａ等の夫々の内容の確認，編集等を行うことができ、さらには、現行のＨＤ用ＶＴＲと映像モニターとを使用して、２０ビットワード列データＤＶＡ１２ＡまたはＤＶＤＴ１２Ａ，ＤＶＡ１４ＡまたはＤＶＤＴ１４Ａ及びＤＶＡ１６ＡまたはＤＶＤＴ１６Ａ，ＤＶＢ１２ＡまたはＤＶＩＴ１２Ａ等に基づく再生画像を得ることができ、それにより、量子化ビット数を１２ビット以上とするディジタル映像信号を成すデータを扱うに際して、現行の機器を用いての確認作業等を行うことができることになって、極めて都合がよい。
図３６は、本発明に係るデータ伝送方法の第１０〜第１２，第１９及び第２０のいずれかの態様を成す例が実施される、本発明に係るデータ伝送装置の第１０〜第１２，第１９及び第２０のいずれかの態様を成す第５の例を含んだデータ送受装置の部分を示す。
図３６に部分が示されるデータ送受装置は、図２８に示されるデータ送受装置と同様に構成される部分を多々有しており、図３６には、図２８に示されるデータ送受装置と異なる部分及びそれに関連する部分のみが示されている。
図３６に部分が示されるデータ送受装置にあっては、図２８に示されるデータ送受装置において備えられているＥ／Ｏ変換部５４，５７及び６０とＯ／Ｅ変換部６８，７０及び７２とに代えて、Ｅ／Ｏ変換部８１，８２及び８３とＯ／Ｅ変換部８９，９０及び９１とを備えている。さらに、図２８に示されるデータ送受装置において備えられている光コネクタ６１，６３及び６５，光ファイバー伝送路６２，６４及び６６、及び、光コネクタ６７，６９及び７１に代えて、光コネクタ８５，光ファイバー伝送路８６及び光コネクタ８７を備えている。光ファイバー伝送路８６は、例えば、石英系ＳＭＦが用いられて形成される。
斯かる図３６に部分が示されるデータ送受装置においては、Ｐ／Ｓ変換部５３からのビット伝送レートを１．４８５ＧｂｐｓとするシリアルデータＤＳＡがＥ／Ｏ変換部８１に供給されるとともに、Ｐ／Ｓ変換部５６からのビット伝送レートを１．４８５ＧｂｐｓとするシリアルデータＤＳＢがＥ／Ｏ変換部８２に供給され、さらに、Ｐ／Ｓ変換部５９からのビット伝送レートを１．４８５ＧｂｐｓとするシリアルデータＤＳＣがＥ／Ｏ変換部８３に供給される。
Ｅ／Ｏ変換部８１においては、シリアルデータＤＳＡに基づく、中心波長を、例えば、略１．３μｍとする光信号ＯＳＡを、ビット伝送レートを１．４８５Ｇｂｐｓとするものとして形成し、それを合波部８４へと導く。また、Ｅ／Ｏ変換部８２においては、Ｐ／Ｓ変換部５６からのビット伝送レートを１．４８５ＧｂｐｓとするシリアルデータＤＳＢに電光変換処理を施し、シリアルデータＤＳＢに基づく、中心波長を、例えば、略１．４８μｍとする光信号ＯＳＢを、ビット伝送レートを１．４８５Ｇｂｐｓとするものとして形成し、それを合波部８４へと導く。さらに、Ｅ／Ｏ変換部８３においては、Ｐ／Ｓ変換部５９からのビット伝送レートを１．４８５ＧｂｐｓとするシリアルデータＤＳＣに電光変換処理を施し、シリアルデータＤＳＣに基づく、中心波長を、例えば、略１．５５μｍとする光信号ＯＳＣを、ビット伝送レートを１．４８５Ｇｂｐｓとするものとして形成し、それを合波部８４へと導く。
合波部８４は、例えば、誘電体多層膜型波長多重カップラ（誘電体多層膜型ＷＤＭカップラ）によって形成される。合波部８４にあっては、中心波長を略１．３μｍとする光信号ＯＳＡと中心波長を略１．４８μｍとする光信号ＯＳＢと中心波長を略１．５５μｍとする光信号ＯＳＣとを合波して多重化し、多重光信号ＯＳＺを形成して、それを伝送信号として送出する。斯かるもとで、Ｅ／Ｏ変換部８１，８２及び８３と合波部８４とは、Ｐ／Ｓ変換部５３，５６及び５９から夫々得られるシリアルデータＤＳＡ，ＤＳＢ及びＤＳＣを伝送すべく送出するデータ送出部を形成している。
合波部８４から送出される伝送信号である多重光信号ＯＳＺは、光コネクタ８５を通じて光ファイバー伝送路８６に導かれ、光ファイバー伝送路８６を通じて受信側へと伝送される。
受信側においては、光ファイバー伝送路８６を通じて伝送された多重光信号ＯＳＺが、光コネクタ８７を通じて分波部８８へと導かれる。分波部８８は、例えば、誘電体多層膜型ＷＤＭカップラが分波手段として用いられて形成される。そして、分波部８８にあっては、多重光信号ＯＳＺを、中心波長を略１．３μｍとする成分と中心波長を略１．４８μｍとする成分と中心波長を略１．５５μｍとする成分とに分波して、ビット伝送レートを１．４８５Ｇｂｐｓとし、中心波長を略１．３μｍとする光信号ＯＳＡと、ビット伝送レートを１．４８５Ｇｂｐｓとし、中心波長を略１．４８μｍとする光信号ＯＳＢと、ビット伝送レートを１．４８５Ｇｂｐｓとし、中心波長を略１．５５μｍとする光信号ＯＳＣとを再生する。
分波部８８により再生された光信号ＯＳＡ，ＯＳＢ及びＯＳＣは、夫々、Ｏ／Ｅ変換部８９，９０及び９１へと導かれる。Ｏ／Ｅ変換部８９にあっては、中心波長を略１．３μｍとし、ビット伝送レートを１．４８５Ｇｂｐｓとする光信号ＯＳＡに光電変換処理を施して、光信号ＯＳＡに基づく、ビット伝送レートを１．４８５ＧｂｐｓとするシリアルデータＤＳＡを再生する。そして、再生されたシリアルデータＤＳＡは、Ｓ／Ｐ変換部７３に供給される。また、Ｏ／Ｅ変換部９０にあっては、中心波長を略１．４８μｍとし、ビット伝送レートを１．４８５Ｇｂｐｓとする光信号ＯＳＢに光電変換処理を施して、光信号ＯＳＢに基づく、ビット伝送レートを１．４８５ＧｂｐｓとするシリアルデータＤＳＢを再生する。そして、再生されたシリアルデータＤＳＢは、Ｓ／Ｐ変換部７５に供給される。さらに、Ｏ／Ｅ変換部９１にあっては、中心波長を略１．５５μｍとし、ビット伝送レートを１．４８５Ｇｂｐｓとする光信号ＯＳＣに光電変換処理を施して、光信号ＯＳＣに基づく、ビット伝送レートを１．４８５ＧｂｐｓとするシリアルデータＤＳＣを再生する。そして、再生されたシリアルデータＤＳＣは、Ｓ／Ｐ変換部７６に供給される。その他の動作は、図２８に示されるデータ送受装置の場合と同様である。
図３７は、本発明に係るデータ伝送方法の第１０〜第１２，第１９及び第２０のいずれかの態様を成す例が実施される、本発明に係るデータ伝送装置の第１０〜第１２，第１９及び第２０のいずれかの態様を成す第６の例を含んだデータ送受装置の部分を示す。
図３７に部分が示されるデータ送受装置も、図２８に示されるデータ送受装置と同様に構成される部分を多々有しており、図３７には、図２８に示されるデータ送受装置と異なる部分及びそれに関連する部分のみが示されている。
図３７に部分が示されるデータ送受装置にあっては、図２８に示されるデータ送受装置において備えられているＥ／Ｏ変換部５４，５７及び６０とＯ／Ｅ変換部６８，７０及び７２とに代えて、Ｅ／Ｏ変換部９５，９６及び９７とＯ／Ｅ変換部１０３，１０４及び１０５とを備えている。さらに、図２８に示されるデータ送受装置において備えられている光コネクタ６１，６３及び６５，光ファイバー伝送路６２，６４及び６６、及び、光コネクタ６７，６９及び７１に代えて、光コネクタ９９，光ファイバー伝送路１００及び光コネクタ１０１を備えている。光ファイバー伝送路１０１は、例えば、石英系ＳＭＦが用いられて形成される。
斯かる図３７に部分が示されるデータ送受装置においては、Ｐ／Ｓ変換部５３からのビット伝送レートを１．４８５ＧｂｐｓとするシリアルデータＤＳＡがＥ／Ｏ変換部９５に供給されるとともに、Ｐ／Ｓ変換部５６からのビット伝送レートを１．４８５ＧｂｐｓとするシリアルデータＤＳＢがＥ／Ｏ変換部９６に供給され、さらに、Ｐ／Ｓ変換部５９からのビット伝送レートを１．４８５ＧｂｐｓとするシリアルデータＤＳＣがＥ／Ｏ変換部９７に供給される。
Ｅ／Ｏ変換部９５においては、Ｐ／Ｓ変換部５３からのビット伝送レートを１．４８５ＧｂｐｓとするシリアルデータＤＳＡに電光変換処理を施し、シリアルデータＤＳＡに基づく、中心波長を、例えば、略１．５１１μｍとする光信号ＯＳＶＡを、ビット伝送レートを１．４８５Ｇｂｐｓとするものとして形成し、それを合波部９８へと導く。また、Ｅ／Ｏ変換部９６においては、Ｐ／Ｓ変換部５６からのビット伝送レートを１．４８５ＧｂｐｓとするシリアルデータＤＳＢに電光変換処理を施し、シリアルデータＤＳＢに基づく、中心波長を、例えば、略１．５３１μｍとする光信号ＯＳＶＢを、ビット伝送レートを１．４８５Ｇｂｐｓとするものとして形成し、それを合波部９８へと導く。さらに、Ｅ／Ｏ変換部９７においては、Ｐ／Ｓ変換部５９からのビット伝送レートを１．４８５ＧｂｐｓとするシリアルデータＤＳＣに電光変換処理を施し、シリアルデータＤＳＣに基づく、中心波長を、例えば、略１．５５１μｍとする光信号ＯＳＶＣを、ビット伝送レートを１．４８５Ｇｂｐｓとするものとして形成し、それを合波部９８へと導く。
合波部９８にあっては、中心波長を略１．５１１μｍとする光信号ＯＳＶＡと中心波長を略１．５３１μｍとする光信号ＯＳＶＢと中心波長を略１．５５１μｍとする光信号ＯＳＶＣとを合波して多重化し、多重光信号ＯＶＺを形成して、それを伝送信号として送出する。斯かるもとで、Ｅ／Ｏ変換部９５，９６及び９７と合波部９８とは、Ｐ／Ｓ変換部５３，５６及び５９から夫々得られるシリアルデータＤＳＡ，ＤＳＢ及びＤＳＣを伝送すべく送出するデータ送出部を形成している。
このようにして、合波部９８において多重化される光信号ＯＳＶＡ，ＯＳＶＢ及びＯＳＶＣは、それらの中心波長が略０．０２０μ（２０ｎｍ）ずつ隔たっているにすぎない、相互に極めて近接した波長を有するもとで多重化されて、多重光信号ＯＶＺを形成するものとされており、Ｅ／Ｏ変換部９５，９６及び９７と合波部９８とを含む部分においては、Ｃｏａｓｅ  Ｗａｖｅｌｅｎｇｔｈ  Ｄｉｖｉｓｉｏｎ  Ｍｕｌｔｉｐｌｅｘｉｎｇ（ＣＷＤＭ）と称される波長多重技術が用いられる。
合波部９８から送出される伝送信号である多重光信号ＯＶＺは、光コネクタ９９を通じて光ファイバー伝送路１００に導かれ、光ファイバー伝送路１００を通じて受信側へと伝送される。
受信側においては、光ファイバー伝送路１００を通じて伝送された多重光信号ＯＶＺが、光コネクタ１０１を通じて分波部１０２へと導かれる。分波部１０２にあっては、多重光信号ＯＶＺを、中心波長を略１．５１１μｍとする成分と中心波長を略１．５３１μｍとする成分と中心波長を略１．５５１μｍとする成分とに分波して、ビット伝送レートを１．４８５Ｇｂｐｓとし、中心波長を略１．５１１μｍとする光信号ＯＳＶＡと、ビット伝送レートを１．４８５Ｇｂｐｓとし、中心波長を略１．５３１μｍとする光信号ＯＳＶＢと、ビット伝送レートを１．４８５Ｇｂｐｓとし、中心波長を略１．５５１μｍとする光信号ＯＳＶＣとを再生する。
分波部１０２により再生された光信号ＯＳＶＡ，ＯＳＶＢ及びＯＳＶＣは、夫々、Ｏ／Ｅ変換部１０３，１０４及び１０５へと導かれる。Ｏ／Ｅ変換部１０３にあっては、中心波長を略１．５１１μｍとし、ビット伝送レートを１．４８５Ｇｂｐｓとする光信号ＯＳＶＡに光電変換処理を施して、光信号ＯＳＶＡに基づく、ビット伝送レートを１．４８５ＧｂｐｓとするシリアルデータＤＳＡを再生する。そして、再生されたシリアルデータＤＳＡは、Ｓ／Ｐ変換部７３に供給される。また、Ｏ／Ｅ変換部１０４にあっては、中心波長を略１．５３１μｍとし、ビット伝送レートを１．４８５Ｇｂｐｓとする光信号ＯＳＶＢに光電変換処理を施して、光信号ＯＳＶＢに基づく、ビット伝送レートを１．４８５ＧｂｐｓとするシリアルデータＤＳＢを再生する。そして、再生されたシリアルデータＤＳＢは、Ｓ／Ｐ変換部７５に供給される。さらに、Ｏ／Ｅ変換部１０５にあっては、中心波長を略１．５５１μｍとし、ビット伝送レートを１．４８５Ｇｂｐｓとする光信号ＯＳＶＣに光電変換処理を施して、光信号ＯＳＶＣに基づく、ビット伝送レートを１．４８５ＧｂｐｓとするシリアルデータＤＳＣを再生する。そして、再生されたシリアルデータＤＳＣは、Ｓ／Ｐ変換部７６に供給される。その他の動作は、図２８に示されるデータ送受装置の場合と同様である。
図３８及び図３９は、本発明に係るデータ伝送方法の第３，第４及び第１３のいずれかの態様を成す例が実施される、本発明に係るデータ伝送装置の第３，第４及び第１３のいずれかの態様を成す第７の例を含んだデータ送受装置を示す。
図３８及び図３９に示されるデータ送受装置においては、本発明に係るデータ伝送装置の第７の例を構成する送信側において、ディジタル映像信号を成すディジタルデータＤＶＸがデータ処理部１１１に供給される。
ディジタルデータＤＶＸは、ディジタルデータＤＤ１２，ＤＥ１２，ＤＤ１４，ＤＥ１４，ＤＤ１６，ＤＥ１６，ＤＩ１２及びＤＪ１２のいずれか、もしくは、フレームレートを６０Ｈｚもしくは５０Ｈｚとし、各フレームにおけるライン数が１１２５ライン，各フレームにおける有効ライン数が１０８０ライン，サンプリング周波数が１４８．５ＭＨｚ，各ラインにおける有効データサンプル数が１９２０サンプルに設定され、量子化ビット数を１０ビットとする４：４：４形式のディジタル映像信号を成すディジタルデータＤＩ１０もしくはＤＪ１０に量子化ビット数を１０ビットとするＫｅｙ信号データ系列ＤＫＤ１０が付加されたデータＤＶＤ１０＋ＤＫＤ１０とされる。
ディジタルデータＤＶＸが、ディジタルデータＤＤ１２である場合には、ディジタルデータＤＤ１２は、図４０に示される如くに、ワード伝送レートを１４８．５ＭＢｐｓとする１２ビットワード列データとされたＹデータ系列とワード伝送レートを１４８．５ＭＢｐｓとする１２ビットワード列データとされたＰＢ／ＰＲデータ系列とが、フレーム同期及びライン同期がとられたもとでパラレル多重されて得られる、ワード伝送レートを１４８．５ＭＢｐｓとする２４ビットワード列データとして、データ処理部１１１に供給される。
データ処理部１１１にあっては、図４０に示される如くにして供給されるディジタルデータＤＤ１２に対して、Ｙデータ系列を構成する１２ビットワードＹＤ０，ＹＤ１，ＹＤ２，ＹＤ３，・・・・・、及び、ＰＢ／ＰＲデータ系列を構成する１２ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける処理を施す。そして、グループ１を構成するＹデータ系列及びＰＢ／ＰＲデータ系列の夫々の１ライン部置きのデータに基づいて、ワード伝送レートを１４８．５ＭＢｐｓ／２＝７４．２５ＭＢｐｓとする２４ビットワード列データＤＤ１２Ａを、リンクＡとして、図４１のＡに示される如くに形成するとともに、グループ２を構成するＹデータ系列及びＰＢ／ＰＲデータ系列の夫々の他の１ライン部置きのデータに基づいて、ワード伝送レートを１４８．５ＭＢｐｓ／２＝７４．２５ＭＢｐｓとする２４ビットワード列データＤＤ１２Ｂを、リンクＢとして、図４１のＢに示される如くに形成する。
次に、図４１のＡに示される如くの、ワード伝送レートを７４．２５ＭＢｐｓとする２４ビットワード列データＤＤ１２Ａに対して、Ｙデータ系列を構成する１２ビットワードＹＤ０，ＹＤ１，ＹＤ２，ＹＤ３，・・・・・、及び、ＰＢ／ＰＲデータ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＤ１２Ａ１を、分割された上位１０ビットに基づくリンクＡ−１として、図４２のＡに示される如くに形成する。
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＤ１２Ａ２を、分割された下位２ビットに基づくリンクＡ−２として、図４２のＢに示される如くに形成する。即ち、ワード伝送レートを７４．２５ＭＢｐｓとする２４ビットワード列データであるＤＤ１２Ａを、ワード伝送レートを７４．２５ＭＢｐｓとする２０ビットワード列データＤＤ１２Ａ１と、ワード伝送レートを７４．２５ＭＢｐｓとする２０ビットワード列データＤＤ１２Ａ２との、２系統のワード列データに変換するのである。
また、図４１のＢに示される如くの、ワード伝送レートを７４．２５ＭＢｐｓとする２４ビットワード列データＤＤ１２Ｂに対しても、Ｙデータ系列を構成する１２ビットワードＹＤ０，ＹＤ１，ＹＤ２，ＹＤ３，・・・・・、及び、ＰＢ／ＰＲデータ系列を構成する１２ビットワードＰｂＤ０，ＰｒＤ０，ＰｂＤ１，ＰｒＤ１，ＰｂＤ２，ＰｒＤ２，・・・・・の夫々を、上位１０ビットＹ０；２〜Ｙ０；１１，Ｙ１；２〜Ｙ１；１１，Ｙ２；２〜Ｙ２；１１，Ｙ３；２〜Ｙ３；１１，・・・・・、及び、Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・と、下位２ビットＹ０；０〜Ｙ０；１，Ｙ１；０〜Ｙ１；１，Ｙ２；０〜Ｙ２；１，Ｙ３；０〜Ｙ３；１，・・・・・、及び、Ｐｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・とに分割する処理を施す。
続いて、分割された上位１０ビットの列：Ｙ０；２〜Ｙ０；１１，Ｙ１；２〜Ｙ１；１１，Ｙ２；２〜Ｙ２；１１，Ｙ３；２〜Ｙ３；１１，・・・・・と、分割された上位１０ビットの列：Ｐｂ０；２〜Ｐｂ０；１１，Ｐｒ０；２〜Ｐｒ０；１１，Ｐｂ１；２〜Ｐｂ１；１１，Ｐｒ１；２〜Ｐｒ１；１１，Ｐｂ２；２〜Ｐｂ２；１１，Ｐｒ２；２〜Ｐｒ２；１１，・・・・・とがパラレル多重されて成る、ワード伝送レートを７４．２５ＭＢｐｓとする２０ビットワード列データＤＤ１２Ｂ１を、分割された上位１０ビットに基づくリンクＢ−１として、図４３のＡに示される如くに形成する。
それとともに、分割された下位２ビットＹ０；０〜Ｙ０；１，Ｙ１；０〜Ｙ１；１，Ｙ２；０〜Ｙ２；１，Ｙ３；０〜Ｙ３；１，・・・・・に、８ビットの補助ビットα０，α１，α２，α３，・・・・・を夫々加えて、１０ビットＹ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・とし、また、分割された下位２ビットＰｂ０；０〜Ｐｂ０；１，Ｐｒ０；０〜Ｐｒ０；１，Ｐｂ１；０〜Ｐｂ１；１，Ｐｒ１；０〜Ｐｒ１；１，Ｐｂ２；０〜Ｐｂ２；１，Ｐｒ２；０〜Ｐｒ２；１，・・・・・に、８ビットの補助ビットβ０，β１，β２，β３，β４，β５，・・・・・を夫々加えて、１０ビットＰｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とする。そして、１０ビットの列：Ｙ０；０〜Ｙ０；１＋α０，Ｙ１；０〜Ｙ１；１＋α１，Ｙ２；０〜Ｙ２；１＋α２，Ｙ３；０〜Ｙ３；１＋α３，・・・・・と、１０ビットの列：Ｐｂ０；０〜Ｐｂ０；１＋β０，Ｐｒ０；０〜Ｐｒ０；１＋β１，Ｐｂ１；０〜Ｐｂ１；１＋β２，Ｐｒ１；０〜Ｐｒ１；１＋β３，Ｐｂ２；０〜Ｐｂ２；１＋β４，Ｐｒ２；０〜Ｐｒ２；１＋β５，・・・・・とがパラレル多重されて成る、ワード伝送レートを７４．２５ＭＢｐｓとする２０ビットワード列データＤＤ１２Ｂ２を、分割された下位２ビットに基づくリンクＢ−２として、図４３のＢに示される如くに形成する。即ち、ワード伝送レートを７４．２５ＭＢｐｓとする２４ビットワード列データであるＤＤ１２Ｂを、ワード伝送レートを７４．２５ＭＢｐｓとする２０ビットワード列データＤＤ１２Ｂ１と、ワード伝送レートを７４．２５ＭＢｐｓとする２０ビットワード列データＤＤ１２Ｂ２との、２系統のワード列データに変換するのである。
その結果、データ処理部１１１に供給されるディジタルデータＤＶＸが、ワード伝送レートを１４８．５ＭＢｐｓとする２４ビットワード列データを成すディジタルデータＤＤ１２である場合には、データ処理部１１１において、ディジタルデータＤＤ１２が、各々がワード伝送レートを７４．２５ＭＢｐｓとする２０ビットワード列データＤＤ１２Ａ１，ＤＤ１２Ａ２，ＤＤ１２Ｂ１及びＤＤ１２Ｂ２の４系統のワード列データに変換されることになる。
ディジタルデータＤＶＸが、ディジタルデータＤＥ１２である場合には、ディジタルデータＤＥ１２も、図４０に示される如くに、ワード伝送レートを１４８．５ＭＢｐｓとする１２ビットワード列データとされたＹデータ系列と、ワード伝送レートを１４８．５ＭＢｐｓとする１２ビットワード列データとされたＰＢ／ＰＲデータ系列とが、フレーム同期及びライン同期がとられたもとでパラレル多重されて得られる、ワード伝送レートを１４８．５ＭＢｐｓとする２４ビットワード列データとして、データ処理部１１１に供給される。それにより、データ処理部１１１において、ディジタルデータＤＥ１２が、ディジタルデータＤＤ１２の場合と同様にして、各々がワード伝送レートを７４．２５ＭＢｐｓとする２０ビットワード列データＤＥ１２Ａ１，ＤＥ１２Ａ２，ＤＥ１２Ｂ１及びＤＥ１２Ｂ２の４系統のワード列データに変換されることになる。
ディジタルデータＤＶＸが、ディジタルデータＤＤ１４である場合には、ディジタルデータＤＤ１４は、図４４に示される如くに、ワード伝送レートを１４８．５ＭＢｐｓとする１４ビットワード列データとされたＹデータ系列と、ワード伝送レートを１４８．５ＭＢｐｓとする１４ビットワード列データとされたＰＢ／ＰＲデータ系列とが、フレーム同期及びライン同期がとられたもとでパラレル多重されて得られる、ワード伝送レートを１４８．５ＭＢｐｓとする２８ビットワード列データとして、データ処理部１１１に供給される。
データ処理部１１１にあっては、図４４に示される如くにして供給されるディジタルデータＤＤ１４に対して、Ｙデータ系列を構成する１４ビットワードＹＤ０，ＹＤ１，ＹＤ２，ＹＤ３，・・・・・、及び、ＰＢ／ＰＲデータ系列を構成する１４ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける処理を施す。そして、グループ１を構成するＹデータ系列及びＰＢ／ＰＲデータ系列の夫々の１ライン部置きのデータに基づいて、ワード伝送レートを１４８．５ＭＢｐｓ／２＝７４．２５ＭＢｐｓとする２８ビットワード列データＤＤ１４Ａを、リンクＡとして、図４５のＡに示される如くに形成するとともに、グループ２を構成するＹデータ系列及びＰＢ／ＰＲデータ系列の夫々の他の１ライン部置きのデータに基づいて、ワード伝送レートを１４８．５ＭＢｐｓ／２＝７４．２５ＭＢｐｓとする２８ビットワード列データＤＤ１４Ｂを、リンクＢとして、図４５のＢに示される如くに形成する。
次に、図４５のＡに示される如くの、ワード伝送レートを７４．２５ＭＢｐｓとする２８ビットワード列データＤＤ１４Ａに対して、Ｙデータ系列を構成する１４ビットワードＹＤ０，ＹＤ１，ＹＤ２，ＹＤ３，・・・・・、及び、ＰＢ／ＰＲデータ系列を構成する１４ビットワードＰｂＤ０，ＰｒＤ０，ＰｂＤ１，ＰｒＤ１，ＰｂＤ２，ＰｒＤ２，・・・・・の夫々を、上位１０ビットＹ０；４〜Ｙ０；１３，Ｙ１；４〜Ｙ１；１３，Ｙ２；４〜Ｙ２；１３，Ｙ３；４〜Ｙ３；１３，・・・・・、及び、Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・と、下位４ビットＹ０；０〜Ｙ０；３，Ｙ１；０〜Ｙ１；３，Ｙ２；０〜Ｙ２；３，Ｙ３；０〜Ｙ３；３，・・・・・、及び、Ｐｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・とに分割する処理を施す。
続いて、分割された上位１０ビットの列：Ｙ０；４〜Ｙ０；１３，Ｙ１；４〜Ｙ１；１３，Ｙ２；４〜Ｙ２；１３，Ｙ３；４〜Ｙ３；１３，・・・・・と、分割された上位１０ビットの列：Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・とがパラレル多重されて成る、ワード伝送レートを７４．２５ＭＢｐｓとする２０ビットワード列データＤＤ１４Ａ１を、分割された上位１０ビットに基づくリンクＡ−１として、図４６のＡに示される如くに形成する。
それとともに、分割された下位４ビットＹ０；０〜Ｙ０；３，Ｙ１；０〜Ｙ１；３，Ｙ２；０〜Ｙ２；３，Ｙ３；０〜Ｙ３；３，・・・・・に、６ビットの補助ビットα０，α１，α２，α３，・・・・・を夫々加えて、１０ビットＹ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・とし、また、分割された下位４ビットＰｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・に、６ビットの補助ビットβ０，β１，β２，β３，β４，β５，・・・・・を夫々加えて、１０ビットＰｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とする。そして、１０ビットの列：Ｙ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・と、１０ビットの列：Ｐｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とがパラレル多重されて成る、ワード伝送レートを７４．２５ＭＢｐｓとする２０ビットワード列データＤＤ１４Ａ２を、分割された下位４ビットに基づくリンクＡ−２として、図４６のＢに示される如くに形成する。即ち、ワード伝送レートを７４．２５ＭＢｐｓとする２８ビットワード列データであるディジタルデータＤＤ１４Ａを、ワード伝送レートを７４．２５ＭＢｐｓとする２０ビットワード列データＤＤ１４Ａ１と、ワード伝送レートを７４．２５ＭＢｐｓとする２０ビットワード列データＤＤ１４Ａ２との、２系統のワード列データに変換するのである。
また、図４５のＢに示される如くの、ワード伝送レートを７４．２５ＭＢｐｓとする２８ビットワード列データＤＤ１４Ｂに対しても、Ｙデータ系列を構成する１４ビットワードＹＤ０，ＹＤ１，ＹＤ２，ＹＤ３，・・・・・、及び、ＰＢ／ＰＲデータ系列を構成する１４ビットワードＰｂＤ０，ＰｒＤ０，ＰｂＤ１，ＰｒＤ１，ＰｂＤ２，ＰｒＤ２，・・・・・の夫々を、上位１０ビットＹ０；４〜Ｙ０；１３，Ｙ１；４〜Ｙ１；１３，Ｙ２；４〜Ｙ２；１３，Ｙ３；４〜Ｙ３；１３，・・・・・、及び、Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・と、下位４ビットＹ０；０〜Ｙ０；３，Ｙ１；０〜Ｙ１；３，Ｙ２；０〜Ｙ２；３，Ｙ３；０〜Ｙ３；３，・・・・・、及び、Ｐｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・とに分割する処理を施す。
続いて、分割された上位１０ビットの列：Ｙ０；４〜Ｙ０；１３，Ｙ１；４〜Ｙ１；１３，Ｙ２；４〜Ｙ２；１３，Ｙ３；４〜Ｙ３；１３，・・・・・と、分割された上位１０ビットの列；Ｐｂ０；４〜Ｐｂ０；１３，Ｐｒ０；４〜Ｐｒ０；１３，Ｐｂ１；４〜Ｐｂ１；１３，Ｐｒ１；４〜Ｐｒ１；１３，Ｐｂ２；４〜Ｐｂ２；１３，Ｐｒ２；４〜Ｐｒ２；１３，・・・・・とがパラレル多重されて成る、ワード伝送レートを７４．２５ＭＢｐｓとする２０ビットワード列データＤＤ１４Ｂ１を、分割された上位１０ビットに基づくリンクＢ−１として、図４７のＡに示される如くに形成する。
それとともに、分割された下位４ビットＹ０；０〜Ｙ０；３，Ｙ１；０〜Ｙ１；３，Ｙ２；０〜Ｙ２；３，Ｙ３；０〜Ｙ３；３，・・・・・に、６ビットの補助ビットα０，α１，α２，α３，・・・・・を  々加えて、１０ビットＹ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・とし、また、分割された下位４ビットＰｂ０；０〜Ｐｂ０；３，Ｐｒ０；０〜Ｐｒ０；３，Ｐｂ１；０〜Ｐｂ１；３，Ｐｒ１；０〜Ｐｒ１；３，Ｐｂ２；０〜Ｐｂ２；３，Ｐｒ２；０〜Ｐｒ２；３，・・・・・に、６ビットの補助ビットβ０，β１，β２，β３，β４，β５，・・・・・を夫々加えて、１０ビットＰｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とする。そして、１０ビットの列：Ｙ０；０〜Ｙ０；３＋α０，Ｙ１；０〜Ｙ１；３＋α１，Ｙ２；０〜Ｙ２；３＋α２，Ｙ３；０〜Ｙ３；３＋α３，・・・・・と、１０ビットの列：Ｐｂ０；０〜Ｐｂ０；３＋β０，Ｐｒ０；０〜Ｐｒ０；３＋β１，Ｐｂ１；０〜Ｐｂ１；３＋β２，Ｐｒ１；０〜Ｐｒ１；３＋β３，Ｐｂ２；０〜Ｐｂ２；３＋β４，Ｐｒ２；０〜Ｐｒ２；３＋β５，・・・・・とがパラレル多重されて成る、ワード伝送レートを７４．２５ＭＢｐｓとする２０ビットワード列データＤＤ１４Ｂ２を、分割された下位４ビットに基づくリンクＢ−２として、図４７のＢに示される如くに形成する。即ち、ワード伝送レートを７４．２５ＭＢｐｓとする２８ビットワード列データであるＤＤ１４Ｂを、ワード伝送レートを７４．２５ＭＢｐｓとする２０ビットワード列データＤＤ１４Ｂ１と、ワード伝送レートを７４．２５ＭＢｐｓとする２０ビットワード列データＤＤ１４Ｂ２との、２系統のワード列データに変換するのである。
その結果、データ処理部１１１に供給されるディジタルデータＤＶＸが、ワード伝送レートを１４８．５ＭＢｐｓとする２８ビットワード列データを成すディジタルデータＤＤ１４である場合には、データ処理部１１１において、ディジタルデータＤＤ１４が、各々がワード伝送レートを７４．２５ＭＢｐｓとする２０ビットワード列データＤＤ１４Ａ１，ＤＤ１４Ａ２，ＤＤ１４Ｂ１及びＤＤ１４Ｂ２の４系統のワード列データに変換されることになる。
ディジタルデータＤＶＸが、ディジタルデータＤＥ１４である場合には、ディジタルデータＤＥ１４も、図４４に示される如くに、ワード伝送レートを１４８．５ＭＢｐｓとする１４ビットワード列データとされたＹデータ系列と、ワード伝送レートを１４８．５ＭＢｐｓとする１４ビットワード列データとされたＰＢ／ＰＲデータ系列とが、フレーム同期及びライン同期がとられたもとでパラレル多重されて得られる、ワード伝送レートを１４８．５ＭＢｐｓとする２８ビットワード列データとして、データ処理部１１１に供給される。それにより、データ処理部１１１において、ディジタルデータＤＥ１４が、ディジタルデータＤＤ１４の場合と同様にして、各々がワード伝送レートを７４．２５ＭＢｐｓとする２０ビットワード列データＤＥ１４Ａ１，ＤＥ１４Ａ２，ＤＥ１４Ｂ１及びＤＥ１４Ｂ２の４系統のワード列データに変換されることになる。
ディジタルデータＤＶＸが、ディジタルデータＤＤ１６である場合には、ディジタルデータＤＤ１６は、図４８に示される如くに、ワード伝送レートを１４８．５ＭＢｐｓとする１６ビットワード列データとされたＹデータ系列と、ワード伝送レートを１４８．５ＭＢｐｓとする１６ビットワード列データとされたＰＢ／ＰＲデータ系列とが、フレーム同期及びライン同期がとられたもとでパラレル多重されて得られる、ワード伝送レートを１４８．５ＭＢｐｓとする３２ビットワード列データとして、データ処理部１１１に供給される。
データ処理部１１１にあっては、図４８に示される如くにして供給されるディジタルデータＤＤ１６に対して、Ｙデータ系列を構成する１６ビットワードＹＤ０，ＹＤ１，ＹＤ２，ＹＤ３，・・・・・、及び、ＰＢ／ＰＲデータ系列を構成する１６ビットワードＰｂＤ０，ＰｒＤ０，ＰｂＤ１，ＰｒＤ１，ＰｂＤ２，ＰｒＤ２，・・・・・の夫々を、各ライン部毎にグループ１とグループ２とに振り分ける処理を施す。そして、グループ１を構成するＹデータ系列及びＰＢ／ＰＲデータ系列の夫々の１ライン部置きのデータに基づいて、ワード伝送レートを１４８．５ＭＢｐｓ／２＝７４．２５ＭＢｐｓとする３２ビットワード列データＤＤ１６Ａを、リンクＡとして、図４９のＡに示される如くに形成するとともに、グループ２を構成するＹデータ系列及びＰＢ／ＰＲデータ系列の夫々の他の１ライン部置きのデータに基づいて、ワード伝送レートを１４８．５ＭＢｐｓ／２＝７４．２５ＭＢｐｓとする３２ビットワード列データＤＤ１６Ｂを、リンクＢとして、図４９のＢに示される如くに形成する。
次に、図４９のＡに示される如くの、ワード伝送レートを７４．２５ＭＢｐｓとする３２ビットワード列データＤＤ１６Ａに対して、Ｙデータ系列を構成する１６ビットワードＹＤ０，ＹＤ１，ＹＤ２，ＹＤ３，・・・・・、及び、ＰＢ／ＰＲデータ系列を構成する１６ビットワードＰｂＤ０，ＰｒＤ０，ＰｂＤ１，ＰｒＤ１，ＰｂＤ２，ＰｒＤ２，・・・・・の夫々を、上位１０ビットＹ０；６〜Ｙ０；１５，Ｙ１；６〜Ｙ１；１５，Ｙ２；６〜Ｙ２；１５，Ｙ３；６〜Ｙ３；１５，・・・・・、及び、Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・と、下位６ビットＹ０；０〜Ｙ０；５，Ｙ１；０〜Ｙ１；５，Ｙ２；０〜Ｙ２；５，Ｙ３；０〜Ｙ３；５，・・・・・、及び、Ｐｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・とに分割する処理を施す。
続いて、分割された上位１０ビットの列：Ｙ０；６〜Ｙ０；１５，Ｙ１；６〜Ｙ１；１５，Ｙ２；６〜Ｙ２；１５，Ｙ３；６〜Ｙ３；１５，・・・・・と、分割された上位１０ビットの列：Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・とがパラレル多重されて成る、ワード伝送レートを７４．２５ＭＢｐｓとする２０ビットワード列データＤＤ１６Ａ１を、分割された上位１０ビットに基づくリンクＡ−１として、図５０のＡに示される如くに形成する。
それとともに、分割された下位６ビットＹ０；０〜Ｙ０；５，Ｙ１；０〜Ｙ１；５，Ｙ２；０〜Ｙ２；５，Ｙ３；０〜Ｙ３；５，・・・・・に、４ビットの補助ビットα０，α１，α２，α３，・・・・・を夫々加えて、１０ビットＹ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・とし、また、分割された下位６ビットＰｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・に、４ビットの補助ビットβ０，β１，β２，β３，β４，β５，・・・・・を夫々加えて、１０ビットＰｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３、Ｐｂ２；０〜Ｐｂ２；５＋β４，Ｐｒ２；０〜Ｐｒ２；５＋β５，・・・・・とする。そして、１０ビットの列：Ｙ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・と、１０ビットの列：Ｐｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とがパラレル多重されて成る、ワード伝送レートを７４．２５ＭＢｐｓとする２０ビットワード列データＤＤ１６Ａ２を、分割された下位６ビットに基づくリンクＡ−２として、図５０のＢに示される如くに形成する。即ち、ワード伝送レートを７４．２５ＭＢｐｓとする３２ビットワード列データであるディジタルデータＤＤ１６Ａを、ワード伝送レートを７４．２５ＭＢｐｓとする２０ビットワード列データＤＤ１６Ａ１と、ワード伝送レートを７４．２５ＭＢｐｓとする２０ビットワード列データＤＤ１６Ａ２との、２系統のワード列データに変換するのである。
また、図４９のＢに示される如くの、ワード伝送レートを７４．２５ＭＢｐｓとする３２ビットワード列データＤＤ１６Ｂに対しても、Ｙデータ系列を構成する１６ビットワードＹＤ０，ＹＤ１，ＹＤ２，ＹＤ３，・・・・・、及び、ＰＢ／ＰＲデータ系列を構成する１６ビットワードＰｂＤ０，ＰｒＤ０，ＰｂＤ１，ＰｒＤ１，ＰｂＤ２，ＰｒＤ２，・・・・・の夫々を、上位１０ビットＹ０；６〜Ｙ０；１５，Ｙ１；６〜Ｙ１；１５，Ｙ２；６〜Ｙ２；１５，Ｙ３；６〜Ｙ３；１５，・・・・・、及び、Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・と、下位６ビットＹ０；０〜Ｙ０；５，Ｙ１；０〜Ｙ１；５，Ｙ２；０〜Ｙ２；５，Ｙ３；０〜Ｙ３；５，・・・・・、及び、Ｐｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・とに分割する処理を施す。
続いて、分割された上位１０ビットの列：Ｙ０；６〜Ｙ０；１５，Ｙ１；６〜Ｙ１；１５，Ｙ２；６〜Ｙ２；１５，Ｙ３；６〜Ｙ３；１５，・・・・・と、分割された上位１０ビットの列：Ｐｂ０；６〜Ｐｂ０；１５，Ｐｒ０；６〜Ｐｒ０；１５，Ｐｂ１；６〜Ｐｂ１；１５，Ｐｒ１；６〜Ｐｒ１；１５，Ｐｂ２；６〜Ｐｂ２；１５，Ｐｒ２；６〜Ｐｒ２；１５，・・・・・とがパラレル多重されて成る、ワード伝送レートを７４．２５ＭＢｐｓとする２０ビットワード列データＤＤ１６Ｂ１を、分割された上位１０ビットに基づくリンクＢ−１として、図５１のＡに示される如くに形成する。
それとともに、分割された下位６ビットＹ０；０〜Ｙ０；５，Ｙ１；０〜Ｙ１；５，Ｙ２；０〜Ｙ２；５，Ｙ３；０〜Ｙ３；５，・・・・・に、４ビットの補助ビットα０，α１，α２，α３，・・・・・を夫々加えて、１０ビットＹ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・とし、また、分割された下位６ビットＰｂ０；０〜Ｐｂ０；５，Ｐｒ０；０〜Ｐｒ０；５，Ｐｂ１；０〜Ｐｂ１；５，Ｐｒ１；０〜Ｐｒ１；５，Ｐｂ２；０〜Ｐｂ２；５，Ｐｒ２；０〜Ｐｒ２；５，・・・・・に、４ビットの補助ビットβ０，β１，β２，β３，β４，β５，・・・・・を夫々加えて、１０ビットＰｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とする。そして、１０ビットの列：Ｙ０；０〜Ｙ０；５＋α０，Ｙ１；０〜Ｙ１；５＋α１，Ｙ２；０〜Ｙ２；５＋α２，Ｙ３；０〜Ｙ３；５＋α３，・・・・・と、１０ビットの列：Ｐｂ０；０〜Ｐｂ０；５＋β０，Ｐｒ０；０〜Ｐｒ０；５＋β１，Ｐｂ１；０〜Ｐｂ１；５＋β２，Ｐｒ１；０〜Ｐｒ１；５＋β３，Ｐｂ２；０〜Ｐｂ２；５＋β４，Ｐｒ２；０〜Ｐｒ２；５＋β５，・・・・・とがパラレル多重されて成る、ワード伝送レートを７４．２５ＭＢｐｓとする２０ビットワード列データＤＤ１６Ｂ２を、分割された下位６ビットに基づくリンクＢ−２として、図５１のＢに示される如くに形成する。即ち、ワード伝送レートを７４．２５ＭＢｐｓとする３２ビットワード列データであるディジタルＤＤ１６Ｂを、ワード伝送レートを７４．２５ＭＢｐｓとする２０ビットワード列データＤＤ１６Ｂ１と、ワード伝送レートを７４．２５ＭＢｐｓとする２０ビットワード列データＤＤ１６Ｂ２との、２系統のワード列データに変換するのである。
その結果、データ処理部１１１に供給されるディジタルデータＤＶＸが、ワード伝送レートを１４８．５ＭＢｐｓとする３２ビットワード列データを成すディジタルデータＤＤ１６である場合には、データ処理部１１１において、ディジタルデータＤＤ１６が、各々がワード伝送レートを７４．２５ＭＢｐｓとする２０ビットワード列データＤＤ１６Ａ１，ＤＤ１６Ａ２，ＤＤ１６Ｂ１及びＤＤ１６Ｂ２の４系統のワード列データに変換されることになる。
ディジタルデータＤＶＸが、ディジタルデータＤＥ１６である場合には、ディジタルデータＤＥ１６も、図４８に示される如くに、ワード伝送レートを１４８．５ＭＢｐｓとする１６ビットワード列データとされたＹデータ系列と、ワード伝送レートを１４８．５ＭＢｐｓとする１６ビットワード列データとされたＰＢ／ＰＲデータ系列とが、フレーム同期及びライン同期がとられたもとでパラレル多重されて得られる、ワード伝送レートを１４８．５ＭＢｐｓとする３２ビットワード列データとして、データ処理部１１１に供給される。それにより、データ処理部１１１において、ディジタルデータＤＥ１６が、ディジタルデータＤＤ１６の場合と同様にして、各々がワード伝送レートを７４．２５ＭＢｐｓとする２０ビットワード列データＤＥ１６Ａ１，ＤＥ１６Ａ２，ＤＥ１６Ｂ１及びＤＥ１６Ｂ２の４系統のワード列データに変換されることになる。
ディジタルデータＤＶＸが、ディジタルデータＤＩ１２である場合には、ディジタルデータＤＩ１２は、図５２に示される如くに、ワード伝送レートを１４８．５ＭＢｐｓとする１２ビットワード列データとされたＧデータ系列と、ワード伝送レートを１４８．５ＭＢｐｓとする１２ビットワード列データとされたＢデータ系列と、ワード伝送レートを１４８．５ＭＢｐｓとする１２ビットワード列データとされたＲデータ系列とが、フレーム同期及びライン同期がとられたもとでパラレル多重されて得られる、ワード伝送レートを１４８．５ＭＢｐｓとする３６ビットワード列データとして、データ処理部１１１に供給される。
データ処理部１１１にあっては、図５２に示される如くにして供給されるディジタルデータＤＩ１２に対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、各ライン部毎にグループ１とグループ２とに振り分ける処理を施す。そして、グループ１を構成するＧデータ系列，Ｂデータ系列及びＲデータ系列の夫々の１ライン部置きのデータに基づいて、ワード伝送レートを１４８．５ＭＢｐｓ／２＝７４．２５ＭＢｐｓとする３６ビットワード列データＤＩ１２Ａを、リンクＡとして、図５３のＡに示される如くに形成するとともに、グループ２を構成するＧデータ系列，Ｂデータ系列及びＲデータ系列の夫々の他の１ライン部置きのデータに基づいて、ワード伝送レートを１４８．５ＭＢｐｓ／２＝７４．２５ＭＢｐｓとする３６ビットワード列データＤＩ１２Ｂを、リンクＢとして、図５３のＢに示される如くに形成する。
次に、図５３のＡに示される如くの、ワード伝送レートを７４．２５ＭＢｐｓとする３６ビットワード列データＤＩ１２Ａに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
さらに、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図５４において太実線により区切られている如くにして区分された１０ビットワードグループ１及び１０ビットワードグループ２を得る。
そして、図５４に示される１０ビットワードグループ１に基づく、ワード伝送レートを７４．２５ＭＢｐｓとする２０ビットワード列データＤＩ１２Ａ１を、リンクＡ−１として、図５５のＡに示される如くに形成するとともに、図５４に示される１０ビットワードグループ２に基づく、ワード伝送レートを７４．２５ＭＢｐｓとする２０ビットワード列データＤＩ１２Ａ２を、リンクＡ−２として、図５５のＢに示される如くに形成する。即ち、ワード伝送レートを７４．２５ＭＢｐｓとする３６ビットワード列データであるＤＩ１２Ａを、ワード伝送レートを７４．２５ＭＢｐｓとする２０ビットワード列データＤＩ１２Ａ１と、ワード伝送レートを７４．２５ＭＢｐｓとする２０ビットワード列データＤＩ１２Ａ２との、２系統のワード列データに変換するのである。
また、図５３のＢに示される如くの、ワード伝送レートを７４．２５ＭＢｐｓとする３６ビットワード列データＤＩ１２Ｂに対して、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・、及び、Ｒデータ系列を構成する１２ビットワードＲＤ０，ＲＤ１，ＲＤ２，ＲＤ３，・・・・・の夫々を、上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・と、下位２ビットＧ０；０〜Ｇ０；１，Ｇ１；０〜Ｇ１；１，Ｇ２；０〜Ｇ２；１，Ｇ３；０〜Ｇ３；１，・・・・・，Ｂ０；０〜Ｂ０；１，Ｂ１；０〜Ｂ１；１，Ｂ２；０〜Ｂ２；１，Ｂ３；０〜Ｂ３；１，・・・・・、及び、Ｒ０；０〜Ｒ０；１，Ｒ１；０〜Ｒ１；１，Ｒ２；０〜Ｒ２；１，Ｒ３；０〜Ｒ３；１，・・・・・とに分割する処理を施す。
続いて、分割された下位２ビットＧ０；０〜Ｇ０；１，Ｂ０；０〜Ｂ０；１及びＲ０；０〜Ｒ０；１をビット多重して６ビットＧＢＲ０（０〜１）を，分割された下位２ビットＧ１；０〜Ｇ１；１，Ｂ１；０〜Ｂ１；１及びＲ１；０〜Ｒ１；１をビット多重して６ビットＧＢＲ１（０〜１）を，下位２ビットＧ２；０〜Ｇ２；１，Ｂ２；０〜Ｂ２；１及びＲ２；０〜Ｒ２；１をビット多重して６ビットＧＢＲ２（０〜１）を，下位２ビットＧ３；０〜Ｇ３；１，Ｂ３；０〜Ｂ３；１及びＲ３；０〜Ｒ３；１をビット多重して６ビットＧＢＲ３（０〜１）を，・・・・・形成する。さらに、６ビットＧＢＲ０（０〜１），ＧＢＲ１（０〜１），ＧＢＲ２（０〜１），ＧＢＲ３（０〜１），・・・・・に、４ビットの補助ビットγ０，γ１，γ２，γ３，・・・・・を夫々加えて、１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・とする。
さらに、分割された上位１０ビットＧ０；２〜Ｇ０；１１，Ｇ１；２〜Ｇ１；１１，Ｇ２；２〜Ｇ２；１１，Ｇ３；２〜Ｇ３；１１，・・・・・，Ｂ０；２〜Ｂ０；１１，Ｂ１；２〜Ｂ１；１１，Ｂ２；２〜Ｂ２；１１，Ｂ３；２〜Ｂ３；１１，・・・・・、及び、Ｒ０；２〜Ｒ０；１１，Ｒ１；２〜Ｒ１；１１，Ｒ２；２〜Ｒ２；１１，Ｒ３；２〜Ｒ３；１１，・・・・・をグループ１とグループ２とに振り分けるとともに、グループ２に１０ビットＧＢＲ０（０〜１）＋γ０，ＧＢＲ１（０〜１）＋γ１，ＧＢＲ２（０〜１）＋γ２，ＧＢＲ３（０〜１）＋γ３，・・・・・を加えて、図５４において太実線により区切られている如くにして区分された１０ビットワードグループ１及び１０ビットワードグループ２を得る。
そして、図５４に示される１０ビットワードグループ１に基づく、ワード伝送レートを７４．２５ＭＢｐｓとする２０ビットワード列データＤＩ１２Ｂ１を、リンクＢ−１として、図５６のＡに示される如くに形成するとともに、図５４に示される１０ビットワードグループ２に基づく、ワード伝送レートを７４．２５ＭＢｐｓとする２０ビットワード列データＤＩ１２Ｂ２を、リンクＢ−２として、図５６のＢに示される如くに形成する。即ち、ワード伝送レートを７４．２５ＭＢｐｓとする３６ビットワード列データであるＤＩ１２Ｂを、ワード伝送レートを７４．２５ＭＢｐｓとする２０ビットワード列データＤＩ１２Ｂ１と、ワード伝送レートを７４．２５ＭＢｐｓとする２０ビットワード列データＤＩ１２Ｂ２との、２系統のワード列データに変換するのである。
その結果、データ処理部１１１に供給されるディジタルデータＤＶＸが、ワード伝送レートを１４８．５ＭＢｐｓとする３６ビットワード列データを成すディジタルデータＤＩ１２である場合には、データ処理部１１１において、ディジタルデータＤＩ１２が、各々がワード伝送レートを７４．２５ＭＢｐｓとする２０ビットワード列データＤＩ１２Ａ１，ＤＩ１２Ａ２，ＤＩ１２Ｂ１及びＤＩ１２Ｂ２の４系統のワード列データに変換されることになる。
ディジタルデータＤＶＸが、ディジタルデータＤＪ１２である場合には、ディジタルデータＤＪ１２も、図５２に示される如くに、ワード伝送レートを１４８．５ＭＢｐｓとする１２ビットワード列データとされたＧデータ系列と、ワード伝送レートを１４８．５ＭＢｐｓとする１２ビットワード列データとされたＢデータ系列と、ワード伝送レートを１４８．５ＭＢｐｓとする１２ビットワード列データとされたＲデータ系列とが、フレーム同期及びライン同期がとられたもとでパラレル多重されて得られる、ワード伝送レートを１４８．５ＭＢｐｓとする３６ビットワード列データとして、データ処理部１１１に供給される。それにより、データ処理部１１１において、ディジタルデータＤＪ１２が、ディジタルデータＤＩ１２の場合と同様にして、各々がワード伝送レートを７４．２５ＭＢｐｓとする２０ビットワード列データＤＪ１２Ａ１，ＤＪ１２Ａ２，ＤＪ１２Ｂ１及びＤＪ１２Ｂ２の４系統のワード列データに変換されることになる。
ディジタルデータＤＶＸが、データＤＶＤ１０＋ＤＫＤ１０であるとき、図５７に示される如くに、各々が量子化ビット数を１０ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１０ビットとしてワード伝送レートを１４８．５ＭＢｐｓとするＫｅｙ信号データ系列とが、フレーム同期及びライン同期がとられたもとでパラレル多重されて得られる、ワード伝送レートを１４８．５ＭＢｐｓとする４０ビットパラレルデータとして、データ処理部１１１に供給される。
データ処理部１１１にあっては、図５７に示される如くにして供給されるデータＤＶＤ１０＋ＤＫＤ１０に対して次の処理を施す。
先ず、図５７に示されるデータＤＶＤ１０＋ＤＫＤ１０に対し、Ｇデータ系列を構成する１０ビットワードＧＤ０，ＧＤ１，ＧＤ２，ＧＤ３，・・・・・，Ｂデータ系列を構成する１０ビットワードＢＤ０，ＢＤ１，ＢＤ２，ＢＤ３，・・・・・，Ｒデータ系列を構成する１０ビットワードＲＤ０，ＲＤ１，ＲＤ２，ＲＤ３，・・・・・、及び、Ｋｅｙ信号データ系列を構成する１０ビットワードＡＤ０，ＡＤ１，ＡＤ２，ＡＤ３，・・・・・の夫々を、各ライン部毎にグループ１とグループ２とに振り分ける処理を施す。そして、グループ１を構成するＧデータ系列，Ｂデータ系列，Ｃデータ系列及びＫｅｙ信号データ系列の夫々の１ライン部置きのデータに基づいて、ワード伝送レートを１４８．５ＭＢｐｓ／２＝７４．２５ＭＢｐｓとする４０ビットワード列データＤＶＤ１０Ａを、リンクＡとして、図５８のＡに示される如くに形成するとともに、グループ２を構成するＧデータ系列，Ｂデータ系列，Ｃデータ系列及びＫｅｙ信号データ系列の夫々の他の１ライン部置きのデータに基づいて、ワード伝送レートを１４８．５ＭＢｐｓ／２＝７４．２５ＭＢｐｓとする４０ビットワード列データＤＶＤ１０Ｂを、リンクＢとして、図５８のＢに示される如くに形成する。
次に、図５８のＡに示される如くの、ワード伝送レートを７４．２５ＭＢｐｓとする４０ビットワード列データＤＶＤ１０Ａを、図２２において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、付加情報データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図２２に示される１０ビットワードグループ１に基づく、ワード伝送レートを７４．２５ＭＢｐｓする２０ビットワード列データＤＶＤ１０Ａ１を、リンクＡ−１として、図５９に示される如くに形成するとともに、図２２に示される１０ビットワードグループ２に基づく、ワード伝送レートを７４．２５ＭＢｐｓとする２０ビットワード列データＤＶＤ１０Ａ２を、リンクＡ−２として、図５９に示される如くに形成する。
また、図５８のＢに示される如くの、ワード伝送レートを７４．２５ＭＢｐｓとする４０ビットワード列データＤＶＤ１０Ｂを、図２２において太実線により区切られている如くにして区分し、Ｇデータ系列を形成する１０ビットワードＧＤ０，ＧＤ１，ＧＤ２，ＧＤ３，・・・・・，Ｂデータ系列を形成する１０ビットワードＢＤ０，ＢＤ２，・・・・・及びＲデータ系列を形成する１０ビットワードＲＤ０，ＲＤ２，・・・・・を含む１０ビットワードグループ１と、付加情報データ系列を形成する１０ビットワードＡＤ０，ＡＤ１，ＡＤ２，ＡＤ３，・・・・・，Ｂデータ系列を形成する１０ビットワードＢＤ１，ＢＤ３，・・・・・及びＲデータ系列を形成する１０ビットワードＲＤ１，ＲＤ３，・・・・・を含む１０ビットワードグループ２とに振り分ける。そして、図２２に示される１０ビットワードグループ１に基づく、ワード伝送レートを７４．２５ＭＢｐｓする２０ビットワード列データＤＶＤ１０Ｂ１を、リンクＢ−１として、図６０に示される如くに形成するとともに、図２２に示される１０ビットワードグループ２に基づく、ワード伝送レートを７４．２５ＭＢｐｓとする２０ビットワード列データＤＶＤ１０Ｂ２を、リンクＢ−２として、図６０に示される如くに形成する。
即ち、ワード伝送レートを１４８．５ＭＢｐｓとする４０ビットワード列データを形成するデータＤＶＤ１０＋ＤＫＤ１０を、各々がワード伝送レートを７４．２５ＭＢｐｓとする２０ビットワード列データＤＶＤ１０Ａ１，ＤＶＤ１０Ａ２，ＤＶＤ１０Ｂ１及びＤＶＤ１０Ｂ２の４系統のワード列データに変換するのである。
データ処理部１１１は、上述の如くにして得たワード伝送レートを７４．２５ＭＢｐｓとする２０ビットワード列データＤＤ１２Ａ１，ＤＤ１２Ａ２，ＤＤ１２Ｂ１及びＤＤ１２Ｂ２の組，ＤＥ１２Ａ１，ＤＥ１２Ａ２，ＤＥ１２Ｂ１及びＤＥ１２Ｂ２の組，ＤＤ１４Ａ１，ＤＤ１４Ａ２，ＤＤ１４Ｂ１及びＤＤ１４Ｂ２の組，ＤＥ１４Ａ１，ＤＥ１４Ａ２，ＤＥ１４Ｂ１及びＤＥ１４Ｂ２の組，ＤＤ１６Ａ１，ＤＤ１６Ａ２，ＤＤ１６Ｂ１及びＤＤ１６Ｂ２の組，ＤＥ１６Ａ１，ＤＥ１６Ａ２，ＤＥ１６Ｂ１及びＤＥ１６Ｂ２の組，ＤＩ１２Ａ１，ＤＩ１２Ａ２，ＤＩ１２Ｂ１及びＤＩ１２Ｂ２の組，ＤＪ１２Ａ１，ＤＪ１２Ａ２，ＤＪ１２Ｂ１及びＤＪ１２Ｂ２の組、及び、ＤＶＤ１０Ａ１，ＤＶＤ１０Ａ２，ＤＶＤ１０Ｂ１及びＤＶＤ１０Ｂ２の組のいずれかを、２０ビットワード列データＤＰＡ１（２０），ＤＰＡ２（２０），ＤＰＢ１（２０）及びＤＰＢ２（２０）の組として導出する。
図３８に示される送信側におけるデータ処理部１１１から送出されるワード伝送レートを７４．２５ＭＢｐｓとする２０ビットワード列データＤＰＡ１（２０）は、データ挿入部１１２に供給される。データ挿入部１１２にあっては、２０ビットワード列データＤＰＡ１（２０）に、必要に応じたチャンネル識別データを含む補助データＤＡＡ１を挿入し、補助データＤＡＡ１が挿入された２０ビットワード列データＤＰＡ１’（２０）を形成する。データ挿入部１１２から得られる２０ビットワード列データＤＰＡ１’（２０）は、Ｐ／Ｓ変換部１１３に供給される。
Ｐ／Ｓ変換部１１３にあっては、２０ビットワード列データＤＰＡ１’（２０）にＰ／Ｓ変換を施して、２０ビットワード列データＤＰＡ１’（２０）に基づくビット伝送レートを７４．２５ＭＢｐｓ×２０＝１．４８５ＧｂｐｓとするシリアルデータＤＳＡ１を形成し、そのシリアルデータＤＳＡ１をビット多重部１１４に供給する。
データ処理部１１１から送出されるワード伝送レートを７４．２５ＭＢｐｓとする２０ビットワード列データＤＰＡ２（２０）は、データ挿入部１１５に供給される。データ挿入部１１５にあっては、２０ビットワード列データＤＰＡ２（２０）に、必要に応じたチャンネル識別データを含む補助データＤＡＡ２を挿入し、補助データＤＡＡ２が挿入された２０ビットワード列データＤＰＡ２’（２０）を形成する。データ挿入部１１５から得られる２０ビットワード列データＤＰＡ２’（２０）は、Ｐ／Ｓ変換部１１６に供給される。
Ｐ／Ｓ変換部１１６にあっては、２０ビットワード列データＤＰＡ２’（２０）にＰ／Ｓ変換を施して、２０ビットワード列データＤＰＡ２’（２０）に基づくビット伝送レートを７４．２５ＭＢｐｓ×２０＝１．４８５ＧｂｐｓとするシリアルデータＤＳＡ２を形成し、そのシリアルデータＤＳＡ２をビット多重部１１４に供給する。
ビット多重部１１４にあっては、シリアルデータＤＳＡ１及びシリアルデータＤＳＡ２の夫々から１ビットずつを交互に取り出して順次配列する動作を行い、シリアルデータＤＳＡ１とシリアルデータＤＳＡ２とにビット多重合成処理を施して、ビット伝送レートを１．４８５Ｇｂｐｓ×２＝２．９７Ｇｂｐｓとする複合シリアルデータＤＳＡＺを形成する。
ビット多重部１１４から得られる複合シリアルデータＤＳＡＺは、Ｅ／Ｏ変換部１１７に供給される。Ｅ／Ｏ変換部１１７においては、複合シリアルデータＤＳＡＺに電光変換処理を施し、シリアルデータＤＳＡＺに基づく中心波長を、例えば、略１．３μｍとする光信号ＯＺＡを、ビット伝送レートを２．９７Ｇｂｐｓとするものとして形成し、それを合波部１１８へと導出する。
また、データ処理部１１１から送出されるワード伝送レートを７４．２５ＭＢｐｓとする２０ビットワード列データＤＰＢ１（２０）は、データ挿入部１１９に供給される。データ挿入部１１９にあっては、２０ビットワード列データＤＰＢ１（２０）に、必要に応じたチャンネル識別データを含む補助データＤＡＢ１を挿入し、補助データＤＡＢ１が挿入された２０ビットワード列データＤＰＢ１’（２０）を形成する。データ挿入部１１９から得られる２０ビットワード列データＤＰＢ１’（２０）は、Ｐ／Ｓ変換部１２０に供給される。
Ｐ／Ｓ変換部１２０にあっては、２０ビットワード列データＤＰＢ１’（２０）にＰ／Ｓ変換を施して、２０ビットワード列データＤＰＢ１’（２０）に基づくビット伝送レートを７４．２５ＭＢｐｓ×２０＝１．４８５ＧｂｐｓとするシリアルデータＤＳＢ１を形成し、そのシリアルデータＤＳＢ１をビット多重部１２１に供給する。
データ処理部１１１から送出されるワード伝送レートを７４．２５ＭＢｐｓとする２０ビットワード列データＤＰＢ２（２０）は、データ挿入部１２２に供給される。データ挿入部１２２にあっては、２０ビットワード列データＤＰＢ２（２０）に、必要に応じたチャンネル識別データを含む補助データＤＡＢ２を挿入し、補助データＤＡＢ２が挿入された２０ビットワード列データＤＰＢ２’（２０）を形成する。データ挿入部１２２から得られる２０ビットワード列データＤＰＢ２’（２０）は、Ｐ／Ｓ変換部１２３に供給される。
Ｐ／Ｓ変換部１２３にあっては、２０ビットワード列データＤＰＢ２’（２０）にＰ／Ｓ変換を施して、２０ビットワード列データＤＰＢ２’（２０）に基づくビット伝送レートを７４．２５ＭＢｐｓ×２０＝１．４８５ＧｂｐｓとするシリアルデータＤＳＢ２を形成し、そのシリアルデータＤＳＢ２をビット多重部１２１に供給する。
ビット多重部１２１にあっては、シリアルデータＤＳＢ１及びシリアルデータＤＳＢ２の夫々から１ビットずつを交互に取り出して順次配列する動作を行い、シリアルデータＤＳＢ１とシリアルデータＤＳＢ２とにビット多重合成処理を施して、ビット伝送レートを１．４８５Ｇｂｐｓ×２＝２．９７Ｇｂｐｓとする複合シリアルデータＤＳＢＺを形成する。
ビット多重部１２１から得られる複合シリアルデータＤＳＢＺは、Ｅ／Ｏ変換部１２４に供給される。Ｅ／Ｏ変換部１２４においては、複合シリアルデータＤＳＢＺに電光変換処理を施し、シリアルデータＤＳＢＺに基づく中心波長を、例えば、略１．５５μｍとする光信号ＯＺＢを、ビット伝送レートを２．９７Ｇｂｐｓとするものとして形成し、それを合波部１１８へと導出する。
合波部１１８は、例えば、ファイバー型ＷＤＭカップラによって形成される。合波部１１８にあっては、中心波長を略１．３μｍとする光信号ＯＺＡと中心波長を略１．５５μｍとする光信号ＯＺＢとを合波して多重化し、多重光信号ＯＺＡＢを形成して、それを伝送信号として送出する。斯かるもとにおいて、ビット多重部１１４及び１２１，Ｅ／Ｏ変換部１１７及び１２４及び合波部１１８は、Ｐ／Ｓ変換部１１３，１１６，１２０及び１２３から夫々得られるシリアルデータＤＳＡ１，ＤＳＡ２，ＤＳＢ１及びＤＳＢ２を伝送すべく送出するデータ送出部を形成している。
合波部１１８から送出される伝送信号である多重光信号ＯＺＡＢは、光コネクタ１２５を通じて光ファイバー伝送路１２６に導かれ、光ファイバー伝送路１２６を通じて図３９に示される受信側へと伝送される。光ファイバー伝送路１２６は、例えば、石英系ＳＭＦが用いられて形成される。
図３９に示される受信側においては、光ファイバー伝送路１２６を通じて伝送された多重光信号ＯＺＡＢが、光コネクタ１２７を通じて分波部１２８へと導かれる。分波部１２８は、例えば、ファイバー型ＷＤＭカップラが分波手段として用いられて形成される。そして、分波部１２８にあっては、多重光信号ＯＺＡＢを、中心波長を略１．３μｍとする成分と中心波長を略１．５５μｍとする成分とに分波して、ビット伝送レートを２．９７Ｇｂｐｓとし、中心波長を略１．３μｍとする光信号ＯＺＡと、ビット伝送レートを２．９７Ｇｂｐｓとし、中心波長を略１．５５μｍとする光信号ＯＺＢとを再生する。分波部１２８により再生された光信号ＯＺＡ及びＯＺＢは、夫々、Ｏ／Ｅ変換部１２９及び１３０へと導かれる。
Ｏ／Ｅ変換部１２９にあっては、中心波長を略１．３μｍとする光信号ＯＺＡに光電変換処理を施して、ビット伝送レートを２．９７Ｇｂｐｓとし、中心波長を略１．３μｍとする光信号ＯＺＡに基づく、ビット伝送レートを２．９７Ｇｂｐｓとする複合シリアルデータＤＳＡＺを再生する。そして、再生された複合シリアルデータＤＳＡＺは、ビット分離部１３１に供給される。
Ｏ／Ｅ変換部１３０にあっては、中心波長を略１．５５μｍとする光信号ＯＺＢに光電変換処理を施して、ビット伝送レートを２．９７Ｇｂｐｓとし、中心波長を略１．５５μｍとする光信号ＯＺＢに基づく、ビット伝送レートを２．９７Ｇｂｐｓとする複合シリアルデータＤＳＢＺを再生する。そして、再生された複合シリアルデータＤＳＢＺは、ビット分離部１３２に供給される。
ビット分離部１３１にあっては、複合シリアルデータＤＳＡＺから１ビットずつを順次取り出して、２個の一つ置きのビットのグループを形成する動作を行い、複合シリアルデータＤＳＡＺにビット分離処理を施す。そして、複合シリアルデータＤＳＡＺに含まれたチャンネル識別データを利用してチャンネルを特定し、複合シリアルデータＤＳＡＺに基づく、各々がビット伝送レートを２．９７Ｇｂｐｓ／２＝１．４８５Ｇｂｐｓとする２チャンネルのシリアルデータＤＳＡ１及びＤＳＡ２を形成する。シリアルデータＤＳＡ１は、Ｓ／Ｐ変換部１３３に供給され、また、シリアルデータＤＳＡ２は、Ｓ／Ｐ変換部１３４に供給される。
Ｓ／Ｐ変換部１３３にあっては、シリアルデータＤＳＡ１にＳ／Ｐ変換を施して、シリアルデータＤＳＡ１に基づく、ワード伝送レートを７４．２５ＭＢｐｓとする２０ビットワード列データＤＰＡ１’（２０）を再生し、それをデータ分離部１３５に供給する。データ分離部１３５にあっては、２０ビットワード列データＤＰＡ１’（２０）から、チャンネル識別データを含んだ補助データＤＡＡ１が分離されて、２０ビットワード列データＤＰＡ１（２０）と補助データＤＡＡ１とが個別に送出され、２０ビットワード列データＤＰＡ１（２０）は、データ時間差吸収部１３６に供給される。
Ｓ／Ｐ変換部１３４にあっては、シリアルデータＤＳＡ２にＳ／Ｐ変換を施して、シリアルデータＤＳＡ２に基づく、ワード伝送レートを７４．２５ＭＢｐｓとする２０ビットワード列データＤＰＡ２’（２０）を再生し、それをデータ分離部１３７に供給する。データ分離部１３７にあっては、２０ビットワード列データＤＰＡ２’（２０）から、チャンネル識別データを含んだ補助データＤＡＡ２が分離されて、２０ビットワード列データＤＰＡ２（２０）と補助データＤＡＡ２とが個別に送出され、２０ビットワード列データＤＰＡ２（２０）は、データ時間差吸収部１３６に供給される。
また、ビット分離部１３２にあっては、複合シリアルデータＤＳＢＺから１ビットずつを順次取り出して、２個の一つ置きのビットのグループを形成する動作を行い、複合シリアルデータＤＳＢＺにビット分離処理を施す。そして、複合シリアルデータＤＳＢＺに含まれたチャンネル識別データを利用してチャンネルを特定し、複合シリアルデータＤＳＢＺに基づく、各々がビット伝送レートを２．９７Ｇｂｐｓ／２＝１．４８５Ｇｂｐｓとする２チャンネルのシリアルデータＤＳＢ１及びＤＳＢ２を形成する。シリアルデータＤＳＢ１は、Ｓ／Ｐ変換部１３９に供給され、また、シリアルデータＤＳＢ２は、Ｓ／Ｐ変換部１４０に供給される。
Ｓ／Ｐ変換部１３９にあっては、シリアルデータＤＳＢ１にＳ／Ｐ変換を施して、シリアルデータＤＳＢ１に基づく、ワード伝送レートを７４．２５ＭＢｐｓとする２０ビットワード列データＤＰＢ１’（２０）を再生し、それをデータ分離部１４１に供給する。データ分離部１４１にあっては、２０ビットワード列データＤＰＢ１’（２０）から、チャンネル識別データを含んだ補助データＤＡＢ１が分離されて、２０ビットワード列データＤＰＢ１（２０）と補助データＤＡＢ１とが個別に送出され、２０ビットワード列データＤＰＢ１（２０）は、データ時間差吸収部１３６に供給される。
Ｓ／Ｐ変換部１４０にあっては、シリアルデータＤＳＢ２にＳ／Ｐ変換を施して、シリアルデータＤＳＢ２に基づく、ワード伝送レートを７４．２５ＭＢｐｓとする２０ビットワード列データＤＰＢ２’（２０）を再生し、それをデータ分離部１４２に供給する。データ分離部１４２にあっては、２０ビットワード列データＤＰＢ２’（２０）から、チャンネル識別データを含んだ補助データＤＡＢ２が分離されて、２０ビットワード列データＤＰＢ２（２０）と補助データＤＡＢ２とが個別に送出され、２０ビットワード列データＤＰＢ２（２０）は、データ時間差吸収部１３６に供給される。
データ時間差吸収部１３６にあっては、データ分離部１３５からの２０ビットワード列データＤＰＡ１（２０）と、データ分離部１３７からの２０ビットワード列データＤＰＡ２（２０）と、データ分離部１４１からの２０ビットワード列データＤＰＢ１（２０）と、データ分離部１４２からの２０ビットワード列データＤＰＢ２（２０）との間に生じた相互時間差を吸収し、２０ビットワード列データＤＰＡ１（２０）に基づくワード伝送レートを７４．２５ＭＢｐｓとする２０ビットワード列データＤＱＡ１（２０）と、２０ビットワード列データＤＰＡ２（２０）に基づくワード伝送レートを７４．２５ＭＢｐｓとする２０ビットワード列データＤＱＡ２（２０）と、２０ビットワード列データＤＰＢ１（２０）に基づくワード伝送レートを７４．２５ＭＢｐｓとする２０ビットワード列データＤＱＢ１（２０）と、２０ビットワード列データＤＰＢ２（２０）に基づくワード伝送レートを７４．２５ＭＢｐｓとする２０ビットワード列データＤＱＢ２（２０）とを、相互時間差が実質的に無い状態に維持されることが目指されるものとして送出する。
データ時間差吸収部１３６から得られる２０ビットワード列データＤＱＡ１（２０），ＤＱＡ２（２０），ＤＱＢ１（２０）、及び、ＤＱＢ２（２０）は、データ再生処理部１３８に供給される。
データ再生処理部１３８にあっては、２０ビットワード列データＤＱＡ１（２０），ＤＱＡ２（２０），ＤＱＢ１（２０）及びＤＱＢ２（２０）に対して、送信側におけるデータ処理部１１１によりディジタルデータＤＶＸに施されるデータ変換処理とは逆のデータ再生処理を施し、２０ビットワード列データＤＱＡ１（２０），ＤＱＡ２（２０），ＤＱＢ１（２０）及びＤＱＢ２（２０）に基づくディジタルデータＤＶＸを再生する。斯かるディジタルデータＤＶＸは、ディジタルデータＤＤ１２，ＤＥ１２，ＤＤ１４，ＤＥ１４，ＤＤ１６，ＤＥ１６，ＤＩ１２及びＤＪ１２のいずれか、もしくは、データＤＶＤ１０＋ＤＫＤ１０とされる。
なお、図３８に示される送信側において、合波部１１８を用いることなく、Ｅ／Ｏ変換部１１７及び１２４から導出される光信号ＯＺＡ及びＯＺＢを、個別の伝送信号として、夫々、別個に設けられた２個の光ファイバー伝送路を通じて伝送するようになすこともできる。その際、Ｅ／Ｏ変換部１１７及び１２４の両者を、光信号ＯＺＡ及びＯＺＢの夫々を、実質的に同じ中心波長、例えば、略１．３μｍを有するように形成するものとなすことができる。
さらには、図３８に示される送信側において、ビット多重部１１４及び１２１，Ｅ／Ｏ変換部１１７及び１２４及び合波部１１８に代えて、Ｐ／Ｓ変換部１１３，１１６，１２０及び１２３から得られるシリアルデータＤＳＡ１，ＤＳＡ２，ＤＳＢ１及びＤＳＢ２を夫々光信号に変換する４個のＥ／Ｏ変換部を設け、それら４個のＥ／Ｏ変換部から導出される４つの光信号を、個別の伝送信号として、夫々、別個に設けられた４個の光ファイバー伝送路を通じて伝送するようになすこともできる。
図６１は、本発明に係るデータ伝送方法の第３，第４及び第１３のいずれかの態様を成す例が実施される、本発明に係るデータ伝送装置の第３，第４及び第１３のいずれかの態様を成す第８の例を含んだデータ送受装置の部分を示す。
図６１に部分が示されるデータ送受装置は、図３８及び図３９に示されるデータ送受装置と同様に構成される部分を多々有しており、図６１には、図３８及び図３９に示されるデータ送受装置と異なる部分及びそれに関連する部分のみが示されている。
図６１に部分が示されるデータ送受装置にあっては、図３８及び図３９に示されるデータ送受装置において備えられているビット多重部１１４及び１２１，Ｅ／Ｏ変換部１１７及び１２４，Ｏ／Ｅ変換部１２９及び１３０、及び、ビット分離部１３１及び１３２は備えられていず、それらに代えて、Ｅ／Ｏ変換部１４５，１４６，１４７及び１４８、及び、Ｏ／Ｅ変換部１５４，１５５，１５６及び１５７が備えられている。また、図３８及び図３９に示されるデータ送受装置において備えられている合波部１１８及び分波部１２８に夫々代えて合波部１４９及び分波部１５３が備えられている。さらに、図３８及び図３９に示されるデータ送受装置において備えられている光コネクタ１２５，光ファイバー伝送路１２６及び光コネクタ１２７に代えて、光コネクタ１５０，光ファイバー伝送路１５１及び光コネクタ１５２が備えられている。
斯かる図６１に部分が示されるデータ送受装置においては、Ｐ／Ｓ変換部１１３からのビット伝送レートを１．４８５ＧｂｐｓとするシリアルデータＤＳＡ１がＥ／Ｏ変換部１４５に供給され、Ｐ／Ｓ変換部１１６からのビット伝送レートを１．４８５ＧｂｐｓとするシリアルデータＤＳＡ２がＥ／Ｏ変換部１４６に供給され、Ｐ／Ｓ変換部１２０からのビット伝送レートを１．４８５ＧｂｐｓとするシリアルデータＤＳＢ１がＥ／Ｏ変換部１４７に供給され、さらに、Ｐ／Ｓ変換部１２３からのビット伝送レートを１．４８５ＧｂｐｓとするシリアルデータＤＳＢ２がＥ／Ｏ変換部１４８に供給される。
Ｅ／Ｏ変換部１４５においては、Ｐ／Ｓ変換部１１３からのビット伝送レートを１．４８５ＧｂｐｓとするシリアルデータＤＳＡ１に電光変換処理を施し、シリアルデータＤＳＡ１に基づく、中心波長を、例えば、略１．５１１μｍとする光信号ＯＳＡ１を、ビット伝送レートを１．４８５Ｇｂｐｓとするものとして形成し、それを合波部１４９へと導く。Ｅ／Ｏ変換部１４６においては、Ｐ／Ｓ変換部１１６からのビット伝送レートを１．４８５ＧｂｐｓとするシリアルデータＤＳＡ２に電光変換処理を施し、シリアルデータＤＳＡ２に基づく、中心波長を、例えば、略１．５３１μｍとする光信号ＯＳＡ２を、ビット伝送レートを１．４８５Ｇｂｐｓとするものとして形成し、それを合波部１４９へと導く。Ｅ／Ｏ変換部１４７においては、Ｐ／Ｓ変換部１２０からのビット伝送レートを１．４８５ＧｂｐｓとするシリアルデータＤＳＢ１に電光変換処理を施し、シリアルデータＤＳＢ１に基づく、中心波長を、例えば、略１．５５１μｍとする光信号ＯＳＢ１を、ビット伝送レートを１．４８５Ｇｂｐｓとするものとして形成し、それを合波部１４９へと導く。さらに、Ｅ／Ｏ変換部１４８においては、Ｐ／Ｓ変換部１２３からのビット伝送レートを１．４８５ＧｂｐｓとするシリアルデータＤＳＢ２に電光変換処理を施し、シリアルデータＤＳＢ２に基づく、中心波長を、例えば、略１．５７１μｍとする光信号ＯＳＢ２を、ビット伝送レートを１．４８５Ｇｂｐｓとするものとして形成し、それを合波部１４９へと導く。
合波部１４９にあっては、中心波長を略１．５１１μｍとする光信号ＯＳＡ１と中心波長を略１．５３１μｍとする光信号ＯＳＡ２と中心波長を略１．５５１μｍとする光信号ＯＳＢ１と中心波長を略１．５７１μｍとする光信号ＯＳＢ２とを合波して多重化し、多重光信号ＯＺＺを形成して、それを伝送信号として送出する。斯かるもとで、Ｅ／Ｏ変換部１４５〜１４８と合波部１４９とは、Ｐ／Ｓ変換部１１３，１１６，１２０及び１２３から夫々得られるシリアルデータＤＳＡ１，ＤＳＡ２，ＤＳＢ１及びＤＳＢ２を伝送すべく送出するデータ送出部を形成している。
このようにして、合波部１４９において多重化される光信号ＯＳＡ１，ＯＳＡ２，ＯＳＢ１及びＯＳＢ２は、それらの中心波長が略０．０２０μ（２０ｎｍ）ずつ隔たっているにすぎない、相互に極めて近接した波長を有するもとで多重化されて、多重光信号ＯＺＺを形成するものとされており、Ｅ／Ｏ変換部１４５〜１４８と合波部１４９とを含む部分においては、Ｃｏａｓｅ  Ｗａｖｅｌｅｎｇｔｈ  Ｄｉｖｉｓｉｏｎ  Ｍｕｌｔｉｐｌｅｘｉｎｇ（ＣＷＤＭ）と称される波長多重技術が用いられる。
合波部１４９から送出される伝送信号である多重光信号ＯＺＺは、光コネクタ１５０を通じて光ファイバー伝送路１５１に導かれ、光ファイバー伝送路１５１を通じて受信側へと伝送される。
受信側においては、光ファイバー伝送路１５１を通じて伝送された多重光信号ＯＺＺが、光コネクタ１５２を通じて分波部１５３へと導かれる。分波部１５３にあっては、多重光信号ＯＺＺを、中心波長を略１．５１１μｍとする成分と中心波長を略１．５３１μｍとする成分と中心波長を略１．５５１μｍとする成分と中心波長を略１．５７１μｍとする成分とに分波して、ビット伝送レートを１．４８５Ｇｂｐｓとし、中心波長を略１．５１１μｍとする光信号ＯＳＡ１と、ビット伝送レートを１．４８５Ｇｂｐｓとし、中心波長を略１．５３１μｍとする光信号ＯＳＡ２と、ビット伝送レートを１．４８５Ｇｂｐｓとし、中心波長を略１．５５１μｍとする光信号ＯＳＢ１と、ビット伝送レートを１．４８５Ｇｂｐｓとし、中心波長を略１．５７１μｍとする光信号ＯＳＢ２とを再生する。
分波部１５３により再生された光信号ＯＳＡ１，ＯＳＡ２，ＯＳＢ１及びＯＳＢ２は、夫々、Ｏ／Ｅ変換部１５４，１５５，１５６及び１５７へと導かれる。Ｏ／Ｅ変換部１５４にあっては、中心波長を略１．５１１μｍとし、ビット伝送レートを１．４８５Ｇｂｐｓとする光信号ＯＳＡ１に光電変換処理を施して、光信号ＯＳＡ１に基づく、ビット伝送レートを１．４８５ＧｂｐｓとするシリアルデータＤＳＡ１を再生する。そして、再生されたシリアルデータＤＳＡ１は、Ｓ／Ｐ変換部１３３に供給される。Ｏ／Ｅ変換部１５５にあっては、中心波長を略１．５３１μｍとし、ビット伝送レートを１．４８５Ｇｂｐｓとする光信号ＯＳＡ２に光電変換処理を施して、光信号ＯＳＡ２に基づく、ビット伝送レートを１．４８５ＧｂｐｓとするシリアルデータＤＳＡ２を再生する。そして、再生されたシリアルデータＤＳＡ２は、Ｓ／Ｐ変換部１３４に供給される。Ｏ／Ｅ変換部１５６にあっては、中心波長を略１．５５１μｍとし、ビット伝送レートを１．４８５Ｇｂｐｓとする光信号ＯＳＢ１に光電変換処理を施して、光信号ＯＳＢ１に基づく、ビット伝送レートを１．４８５ＧｂｐｓとするシリアルデータＤＳＢ１を再生する。そして、再生されたシリアルデータＤＳＢ１は、Ｓ／Ｐ変換部１３９に供給される。さらに、Ｏ／Ｅ変換部１５７にあっては、中心波長を略１．５７１μｍとし、ビット伝送レートを１．４８５Ｇｂｐｓとする光信号ＯＳＢ２に光電変換処理を施して、光信号ＯＳＢ２に基づく、ビット伝送レートを１．４８５ＧｂｐｓとするシリアルデータＤＳＢ２を再生する。そして、再生されたシリアルデータＤＳＢ２は、Ｓ／Ｐ変換部１４０供給される。その他の動作は、図３８及び図３９に示されるデータ送受装置の場合と同様である。
図６２及び図６３は、本発明に係るデータ伝送方法の第１４もしくは第１５の態様を成す例が実施される、本発明に係るデータ伝送装置の第１４もしくは第１５の態様を成す第９の例を含んだデータ送受装置を示す。
図６２及び図６３に示されるデータ送受装置においては、本発明に係るデータ伝送装置の第９の例を構成する送信側において、ディジタルデータＤＶＸがデータ処理部１９１に供給される。
ディジタルデータＤＶＸは、ディジタルデータＤＤ１２もしくはＤＥ１２に量子化ビット数を１２ビットとするＫｅｙ信号データ系列ＤＫＣ１２が付加されたデータＤＶＣ１２＋ＤＫＣ１２；ディジタルデータＤＤ１４もしくはＤＥ１４に量子化ビット数を１４ビットとするＫｅｙ信号データ系列ＤＫＣ１４が付加されたデータＤＶＣ１４＋ＤＫＣ１４；ディジタルデータＤＤ１６もしくはＤＥ１６に量子化ビット数を１６ビットとするＫｅｙ信号データ系列ＤＫＣ１６が付加されたデータＤＶＣ１６＋ＤＫＣ１６；ディジタルデータＤＩ１２もしくはＤＪ１２に量子化ビット数を１２ビットとするＫｅｙ信号データ系列ＤＫＤ１２が付加されたデータＤＶＤ１２＋ＤＫＤ１２とされる。
ディジタルデータＤＶＸが、データＤＶＣ１２＋ＤＫＣ１２である場合、図６４に示される如くの、各々が量子化ビット数を１２ビットとしてワード伝送レートを１４８．５ＭＢｐｓとするＹデータ系列及びＰＢ／ＰＲデータ系列と、Ｙデータ系列と同等のデータフォーマットを有し、量子化ビット数を１２ビットとしてワード伝送レートを１４８．５ＭＢｐｓとするＫｅｙ信号データ系列とが、フレーム同期及びライン同期がとられたもとでパラレル多重されて得られる、ワード伝送レートを１４８．５ＭＢｐｓとする３６ビットパラレルデータとして、データ処理部１９１に供給される。
データ処理部１９１にあっては、図６４に示される如くにして供給されるデータＤＶＣ１２＋ＤＫＣ１２に対して、次の処理を施す。
先ず、Ｙデータ系列を構成する１２ビットワードＹＤ０，ＹＤ１，ＹＤ２，ＹＤ３，・・・・・，ＰＢ／ＰＲデータ系列を構成する１２ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、各ライン部毎にグループ１とグループ２とに振り分ける。そして、グループ１を形成するＹデータ系列，ＰＢ／ＰＲデータ系列及びＫｅｙ信号データ系列の夫々の１ライン部置きのデータに基づいて、ワード伝送レートを１４８．５ＭＢｐｓ／２＝７４．２５ＭＢｐｓとする３６ビットワード列データＤＶＣ１２Ａを、リンクＡとして、図６５のＡに示される如くに形成するとともに、グループ２を形成するＹデータ系列，ＰＢ／ＰＲデータ系列及びＫｅｙ信号データ系列の夫々の他の１ライン部置きのデータに基づいて、ワード伝送レートを１４８．５ＭＢｐｓ／２＝７４．２５ＭＢｐｓとする３６ビットワード列データＤＶＣ１２Ｂを、リンクＢとして、図６５のＢに示される如くに形成する。
次に、図６５のＡに示される如くの、ワード伝送レートを７４．２５ＭＢｐｓとする３６ビットワード列データＤＶＣ１２Ａにおける、Ｙデータ系列を構成する１２ビットワードＹＤ０，ＹＤ１，ＹＤ２，ＹＤ３，・・・・・，ＰＢ／ＰＲデータ系列を構成する１０ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ａ１を、リンクＡ−１として、図６６に示される如くに形成する。
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット［Ｙ０；０−１］＋ｃ０，［Ｙ１；０−１］＋ｃ１，［Ｙ２；０−１］＋ｃ２，［Ｙ３；０−１］＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ０；２−１，・・・・・に、８ビットの補助ビットｄ０，ｄ１，ｄ２，ｄ３，・・・・・を夫々加えて、１０ビット［Ｐｂ０；０−１］＋ｄ０，［Ｐｒ０；０−１］＋ｄ１，［Ｐｂ１；０−１］＋ｄ２，［Ｐｒ１；０−１］＋ｄ３，［Ｐｂ２；０−１］＋ｄ４，［Ｐｒ２；０−１］＋ｄ５，・・・・・とする。そして、１０ビットの列：［Ｙ０；０−１］＋ｃ０，［Ｙ１；０−１］＋ｃ１，［Ｙ２；０−１］＋ｃ２，［Ｙ３；０−１］＋ｃ３，・・・・・と１０ビットの列：［Ｐｂ０；０−１］＋ｄ０，［Ｐｒ０；０−１］＋ｄ１，［Ｐｂ１；０−１］＋ｄ２，［Ｐｒ１；０−１］＋ｄ３，［Ｐｂ２；０−１］＋ｄ４，［Ｐｒ２；０−１］＋ｄ５，・・・・・とをパラレル多重して、ワード伝送レートを７４．２５ＭＢｐｓとする２０ビットワード列データＤＶＣ１２Ａ２を、リンクＡ−２として、図６６に示される如くに形成する。
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット［Ａ０；０−１］＋ｅ０，［Ａ１；０−１］＋ｅ１，［Ａ２；０−１］＋ｅ２，［Ａ３；０−１］＋ｅ３，・・・・・とし、分割された上位１０ビットの列：Ａ０；２−１１，Ａ１；２−１１，Ａ２；２−１１，Ａ３；２−１１，・・・・・と１０ビットの列：［Ａ０；０−１］＋ｅ０，［Ａ１；０−１］＋ｅ１，［Ａ２；０−１］＋ｅ２，［Ａ３；０−１］＋ｅ３，・・・・・とをパラレル多重して、ワード伝送レートを７４．２５ＭＢｐｓとする２０ビットワード列データＤＶＣ１２ＣＡを、リンクＣ−１として、図６６に示される如くに形成する。
即ち、ワード伝送レートを７４．２５ＭＢｐｓとする３６ビットワード列データを形成するＤＶＣ１２Ａを、各々がワード伝送レートを７４．２５ＭＢｐｓとする２０ビットワード列データＤＶＣ１２Ａ１，ＤＶＣ１２Ａ２及びＤＶＣ１２ＣＡの３系統のワード列データに変換するのである。
また、図６５のＢに示される如くの、ワード伝送レートを７４．２５ＭＢｐｓとする３６ビットワード列データＤＶＣ１２Ｂにおける、Ｙデータ系列を構成する１２ビットワードＹＤ０，ＹＤ１，ＹＤ２，ＹＤ３，・・・・・，ＰＢ／ＰＲデータ系列を構成する１０ビットワードＰｂＤ０，ＰｒＤ０，ＰｂＤ１，ＰｒＤ１，ＰｂＤ２，ＰｒＤ２，・・・・・、及び、Ｋｅｙ信号データ系列を構成する１２ビットワードＡＤ０，ＡＤ１，ＡＤ２，ＡＤ３，・・・・・の夫々を、上位１０ビットＹ０；２−１１，Ｙ１；２−１１，Ｙ２；２−１１，Ｙ３；２−１１，・・・・・，Ｐｂ０；２−１１，Ｐｒ０；２−１１，Ｐｂ１；２−１１，Ｐｒ１；２−１１，Ｐｂ２；２−１１，Ｐｒ２；２−１１，・・・・・、及び、Ａ０；２−１１，Ａ１；２−１１，Ａ２；２−１１，Ａ３；２−１１，・・・・・と、下位２ビットＹ０；０−１  Ｙ１；０−１，Ｙ２；０−１，Ｙ３；０−１，・・・・・，Ｐｂ０；０−１，Ｐｒ０；０−１，Ｐｂ１；０−１，Ｐｒ１；０−１，Ｐｂ２；０−１，Ｐｒ２；０−１，・・・・・、及び、Ａ０；０−１  Ａ１；０−１，Ａ２；０−１，Ａ３；０−１，・・・・・とに分割する。
そして、分割された上位１０ビットの列：Ｙ０；２−１１，Ｙ１；２−１１，Ｙ２；２−１１，Ｙ３；２−１１，・・・・・と分割された上位１０ビットの列：Ｐｂ０；２−１１，Ｐｒ０；２−１１，Ｐｂ１；２−１１，Ｐｒ１；２−１１，Ｐｂ２；２−１１，Ｐｒ２；２−１１，・・・・・とをパラレル多重して、ワード伝送レートを７４．２５ＭＢｐｓとする２０ビットワード列データＤＶＣ１２Ｂ１を、リンクＢ−１として、図６７に示される如くに形成する。
また、分割された下位２ビットＹ０；０−１，Ｙ１；０−１，Ｙ２；０−１，Ｙ３；０−１，・・・・・に、８ビットの補助ビットｃ０，ｃ１，ｃ２，ｃ３，・・・・・を夫々加えて、１０ビット［Ｙ０；０−１］＋ｃ０，［Ｙ１；０−１］＋ｃ１，［Ｙ２；０−１］＋ｃ２，［Ｙ３；０−１］＋ｃ３，・・・・・とするとともに、分割された下位２ビットＰｂ０；０−１，Ｐｒ０；０−１，Ｐｂ１；０−１，Ｐｒ１；０−１，Ｐｂ２；０−１，Ｐｒ２；０−１，・・・・・に、８ビットの補助ビットｄ０，ｄ１，ｄ２，ｄ３，・・・・・を夫々加えて、１０ビット［Ｐｂ０；０−１］＋ｄ０，［Ｐｒ０；０−１］＋ｄ１，［Ｐｂ１；０−１］＋ｄ２，［Ｐｒ１；０−１］＋ｄ３，［Ｐｂ２；０−１］＋ｄ４，［Ｐｒ２；０−１］＋ｄ５，・・・・・とする。そして、１０ビットの列：［Ｙ０；０−１］＋ｃ０，［Ｙ１；０−１］＋ｃ１，［Ｙ２；０−１］＋ｃ２，［Ｙ３；０−１］＋ｃ３，・・・・・と１０ビットの列：［Ｐｂ０；０−１］＋ｄ０，［Ｐｒ０；０−１］＋ｄ１，［Ｐｂ１；０−１］＋ｄ２，［Ｐｒ１；０−１］＋ｄ３，［Ｐｂ２；０−１］＋ｄ４，［Ｐｒ２；０−１］＋ｄ５，・・・・・とをパラレル多重して、ワード伝送レートを７４．２５ＭＢｐｓとする２０ビットワード列データＤＶＣ１２Ｂ２を、リンクＢ−２として、図６７に示される如くに形成する。
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット［Ａ０；０−１］＋ｅ０，［Ａ１；０−１］＋ｅ１，［Ａ２；０−１］＋ｅ２，［Ａ３；０−１］＋ｅ３，・・・・・とし、分割された上位１０ビットの列：Ａ０；２−１１，Ａ１；２−１１，Ａ２；２−１１，Ａ３；２−１１，・・・・・と１０ビットの列：［Ａ０；０−１］＋ｅ０，［Ａ１；０−１］＋ｅ１，［Ａ２；０−１］＋ｅ２，［Ａ３；０−１］＋ｅ３，・・・・・とをパラレル多重して、ワード伝送レートを７４．２５ＭＢｐｓとする２０ビットワード列データＤＶＣ１２ＣＢを、リンクＣ−２として、図６７に示される如くに形成する。
即ち、ワード伝送レートを７４．２５ＭＢｐｓとする３６ビットワード列データを形成するＤＶＣ１２Ｂを、各々がワード伝送レートを７４．２５ＭＢｐｓとする２０ビットワード列データＤＶＣ１２Ｂ１，ＤＶＣ１２Ｂ２及びＤＶＣ１２ＣＢの３系統のワード列データに変換するのである。
従って、ディジタルデータＤＶＸとして図６４に示される如くの状態で供給されるＤＶＣ１２＋ＤＫＣ１２を、各々がワード伝送レートを７４．２５ＭＢｐｓとする２０ビットワード列データＤＶＣ１２Ａ１，ＤＶＣ１２Ａ２，ＤＶＣ１２ＣＡ，ＤＶＣ１２Ｂ１，ＤＶＣ１２Ｂ２及びＤＶＣ１２ＣＢの６系統のワード列データに変換することになる。
ディジタルデータＤＶＸが、データＤＶＣ１４＋ＤＫＣ１４もしくはＤＶＣ１６＋ＤＫＣ１６である場合には、各々が量子化ビット数を１４ビットとしてワード伝送レートを１４８．５ＭＢｐｓとするＹデータ系列及びＰＢ／ＰＲデータ系列と、Ｙデータ系列と同等のデータフォーマットを有し、量子化ビット数を１４ビットとしてワード伝送レートを１４８．５ＭＢｐｓとするＫｅｙ信号データ系列とが、フレーム同期及びライン同期がとられたもとでパラレル多重されて得られる、ワード伝送レートを１４８．５ＭＢｐｓとする４２ビットパラレルデータとして、もしくは、各々が量子化ビット数を１６ビットとしてワード伝送レートを１４８．５ＭＢｐｓとするＹデータ系列及びＰＢ／ＰＲデータ系列と、Ｙデータ系列と同等のデータフォーマットを有し、量子化ビット数を１６ビットとしてワード伝送レートを１４８．５ＭＢｐｓとするＫｅｙ信号データ系列とが、フレーム同期及びライン同期がとられたもとでパラレル多重されて得られる、ワード伝送レートを１４８．５ＭＢｐｓとする４８ビットパラレルデータとして、データ処理部１９１に供給される。
斯かる際にも、データ処理部１９１は、データＤＶＣ１４＋ＤＫＣ１４もしくはＤＶＣ１６＋ＤＫＣ１６に対して、データＤＶＣ１２＋ＤＫＣ１２に対する場合と同様な処理を施す。但し、Ｙデータ系列，ＰＢ／ＰＲデータ系列及びＫｅｙ信号データ系列を構成する１２ビットワードの夫々を、上位１０ビットと下位２ビットとに分割する動作に代えて、Ｙデータ系列，ＰＢ／ＰＲデータ系列及びＫｅｙ信号データ系列を構成する１４ビットワードの夫々を、上位１０ビットと下位４ビットとに分割する動作、もしくは、Ｙデータ系列，ＰＢ／ＰＲデータ系列及びＫｅｙ信号データ系列を構成する１６ビットワードの夫々を、上位１０ビットと下位６ビットとに分割する動作を行う。
そして、ワード伝送レートを１４８．５ＭＢｐｓとする４２ビットワード列データもしくは４８ビットワード列データを形成するデータＤＶＣ１４＋ＤＫＣ１４もしくはＤＶＣ１６＋ＤＫＣ１６を、各々がワード伝送レートを７４．２５ＭＢｐｓとする２０ビットワード列データＤＶＣ１４Ａ１，ＤＶＣ１４Ａ２，ＤＶＣ１４ＣＡ，ＤＶＣ１４Ｂ１，ＤＶＣ１４Ｂ２及びＤＶＣ１４ＣＢ、もしくは、ＤＶＣ１６Ａ１，ＤＶＣ１６Ａ２，ＤＶＣ１６ＣＡ，ＤＶＣ１６Ｂ１，ＤＶＣ１６Ｂ２及びＤＶＣ１６ＣＢの６系統のワード列データに変換する。
ディジタルデータＤＶＸが、データＤＶＤ１２＋ＤＫＤ１２である場合、図６８に示される如くの、各々が量子化ビット数を１２ビットとしてワード伝送レートを１４８．５ＭＢｐｓとするＧデータ系列，Ｂデータ系列及びＲデータ系列と、Ｇデータ系列と同等のデータフォーマットを有し、量子化ビット数を１２ビットとしてワード伝送レートを１４８．５ＭＢｐｓとするＫｅｙ信号データ系列とが、フレーム同期及びライン同期がとられたもとでパラレル多重されて得られる、ワード伝送レートを１４８．５ＭＢｐｓとする４８ビットパラレルデータとして、データ処理部１９１に供給される。
データ処理部１９１にあっては、図６８に示される如くにして供給されるデータＤＶＤ１２＋ＤＫＤ１２に対して次の処理を施す。
先ず、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、各ライン部毎にグループ１とグループ２とに振り分ける。そして、グループ１を形成するＧデータ系列，Ｂデータ系列，Ｒデータ系列及びＫｅｙ信号データ系列の夫々の１ライン部置きのデータに基づいて、ワード伝送レートを１４８．５ＭＢｐｓ／２＝７４．２５ＭＢｐｓとする４８ビットワード列データＤＶＤ１２Ａを、リンクＡとして、図６９のＡに示される如くに形成するとともに、グループ２を形成するＧデータ系列，Ｂデータ系列，Ｒデータ系列及びＫｅｙ信号データ系列の夫々の他の１ライン部置きのデータに基づいて、ワード伝送レートを１４８．５ＭＢｐｓ／２＝７４．２５ＭＢｐｓとする４８ビットワード列データＤＶＤ１２Ｂを、リンクＢとして、図６９のＢに示される如くに形成する。
次に、図６９のＡに示される如くの、ワード伝送レートを７４．２５ＭＢｐｓとする４８ビットワード列データＤＶＤ１２Ａにおける、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・，Ａ０；０−１，Ａ１；０−１，Ａ２；０−１，Ａ３；０−１，・・・・・とに分割する。
そして、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット［ＧＢＲ０：０−１］＋ｆ０，Ｇ１；０−１とＢ１；０−１とＲ１；０−１とをビット多重するとともに４ビットの補助ビットｆ１を加えて得られる１０ビット［ＧＢＲ１：０−１］＋ｆ１，Ｇ２；０−１とＢ２；０−１とＲ２；０−１とをビット多重するとともに４ビットの補助ビットｆ２を加えて得られる１０ビット［ＧＢＲ２：０−１］＋ｆ２，Ｇ３；０−１とＢ３；０−１とＲ３；０−１とをビット多重するとともに４ビットの補助ビットｆ３を加えて得られる１０ビット［ＧＢＲ３：０−１］＋ｆ３，・・・・・を形成する。
続いて、図７０に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列：［ＧＢＲ０：０−１］＋ｆ０，［ＧＢＲ１：０−１］＋ｆ１，［ＧＢＲ２：０−１］＋ｆ２，［ＧＢＲ３：０−１］＋ｆ３，・・・・・とを、図７０において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列：［ＧＢＲ０：０−１］＋ｆ０，［ＧＢＲ１：０−１］＋ｆ１，［ＧＢＲ２：０−１］＋ｆ２，［ＧＢＲ３：０−１］＋ｆ３，・・・・・とを含む１０ビットワードグループ２とに振り分ける。
そして、図７０に示される１０ビットワードグループ１に基づく、ワード伝送レートを７４．２５ＭＢｐｓする２０ビットワード列データＤＶＤ１２Ａ１を、リンクＡ−１として、図７１に示される如くに形成するとともに、図７０に示される１０ビットワードグループ２に基づく、ワード伝送レートを７４．２５ＭＢｐｓとする２０ビットワード列データＤＶＤ１２Ａ２を、リンクＡ−２として、図７１に示される如くに形成する。
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット［Ａ０；０−１］＋ｅ０，［Ａ１；０−１］＋ｅ１，［Ａ２；０−１］＋ｅ２，［Ａ３；０−１］＋ｅ３，・・・・・とし、分割された上位１０ビットの列：Ａ０；２−１１，Ａ１；２−１１，Ａ２；２−１１，Ａ３；２−１１，・・・・・と１０ビットの列：［Ａ０；０−１］＋ｅ０，［Ａ１；０−１］＋ｅ１，［Ａ２；０−１］＋ｅ２，［Ａ３；０−１］＋ｅ３，・・・・・とをパラレル多重して、ワード伝送レートを７４．２５ＭＢｐｓとする２０ビットワード列データＤＶＤ１２ＣＡを、リンクＣ−１として、図７１に示される如くに形成する。
即ち、ワード伝送レートを７４．２５ＭＢｐｓとする４８ビットワード列データＤＶＤ１２Ａを、各々がワード伝送レートを７４．２５ＭＢｐｓとする２０ビットワード列データＤＶＤ１２Ａ１，ＤＶＤ１２Ａ２及びＤＶＤ１２ＣＡの３系統のワード列データに変換するのである。
また、図６９のＢに示される如くの、ワード伝送レートを７４．２５ＭＢｐｓとする４８ビットワード列データＤＶＤ１２Ｂにおける、Ｇデータ系列を構成する１２ビットワードＧＤ０，ＧＤ１，ＧＤ２，ＧＤ３，・・・・・，Ｂデータ系列を構成する１２ビットワードＢＤ０，ＢＤ１，ＢＤ２，ＢＤ３，・・・・・，Ｒデータ系列を構成する１２ビットワードＲＤ０，ＲＤ１，ＲＤ２，ＲＤ３，・・・・・、及び、Ｋｅｙ信号データ系列を構成する１２ビットワードＡＤ０，ＡＤ１，ＡＤ２，ＡＤ３，・・・・・の夫々を、上位１０ビットＧ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・，Ｒ０；２−１１，Ｒ１；２−１１，Ｒ２；２−１１，Ｒ３；２−１１，・・・・・、及び、Ａ０；２−１１，Ａ１；２−１１，Ａ２；２−１１，Ａ３；２−１１，・・・・・と、下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・，Ａ０；０−１，Ａ１；０−１，Ａ２；０−１，Ａ３；０−１，・・・・・とに分割する。
そして、分割された下位２ビットＧ０；０−１，Ｇ１；０−１，Ｇ２；０−１，Ｇ３；０−１，・・・・・，Ｂ０；０−１，Ｂ１；０−１，Ｂ２；０−１，Ｂ３；０−１，・・・・・，Ｒ０；０−１，Ｒ１；０−１，Ｒ２；０−１，Ｒ３；０−１，・・・・・に基づいて、Ｇ０；０−１とＢ０；０−１とＲ０；０−１とをビット多重するとともに４ビットの補助ビットｆ０を加えて得られる１０ビット［ＧＢＲ０：０−１］＋ｆ０，Ｇ１；０−１とＢ１；０−１とＲ１；０−１とをビット多重するとともに４ビットの補助ビットｆ１を加えて得られる１０ビット［ＧＢＲ１：０−１］＋ｆ１，Ｇ２；０−１とＢ２；０−１とＲ２；０−１とをビット多重するとともに４ビットの補助ビットｆ２を加えて得られる１０ビット［ＧＢＲ２：０−１］＋ｆ２，Ｇ３；０−１とＢ３；０−１とＲ３；０−１とをビット多重するとともに４ビットの補助ビットｆ３を加えて得られる１０ビット［ＧＢＲ３：０−１］＋ｆ３，・・・・・を形成する。
続いて、図７０に示される如くの、分割された上位１０ビットの列：Ｇ０；２−１１，Ｇ１；２−１１，Ｇ２；２−１１，Ｇ３；２−１１，・・・・・，Ｂ０；２−１１，Ｂ１；２−１１，Ｂ２；２−１１，Ｂ３；２−１１，・・・・・、及び、Ｒ０；２−１１，Ｒ１；２−１１，Ｒ２；２−１１，Ｒ３；２−１１，・・・・・と、形成された１０ビットの列：［ＧＢＲ０：０−１］＋ｆ０，［ＧＢＲ１：０−１］＋ｆ１，［ＧＢＲ２：０−１］＋ｆ２，［ＧＢＲ３：０−１］＋ｆ３，・・・・・とを、図７０において太実線により区切られている如くに区分し、分割された上位１０ビットの列：Ｇ０；２−１１，Ｇ１；２−１１，Ｇ２；２−１１，Ｇ３；２−１１，・・・・・と、分割された上位１０ビット：Ｂ０；２−１１，Ｂ２；２−１１，Ｂ４；２−１１，・・・・・、及び、Ｒ０；２−１１，Ｒ２；２−１１，Ｒ４；２−１１，・・・・・とを含む１０ビットワードグループ１と、分割された上位１０ビット：Ｂ１；２−１１，Ｂ３；２−１１，Ｂ５；２−１１，・・・・・及びＲ１；２−１１，Ｒ３；２−１１，Ｒ５；２−１１，・・・・・と、形成された１０ビットの列：［ＧＢＲ０：０−１］＋ｆ０，［ＧＢＲ１：０−１］＋ｆ１，［ＧＢＲ２：０−１］＋ｆ２，［ＧＢＲ３：０−１］＋ｆ３，・・・・・とを含む１０ビットワードグループ２とに振り分ける。
そして、図７０に示される１０ビットワードグループ１に基づく、ワード伝送レートを７４．２５ＭＢｐｓする２０ビットワード列データＤＶＤ１２Ｂ１を、リンクＢ−１として、図７２に示される如くに形成するとともに、図７０に示される１０ビットワードグループ２に基づく、ワード伝送レートを７４．２５ＭＢｐｓとする２０ビットワード列データＤＶＤ１２Ｂ２を、リンクＢ−２として、図７２に示される如くに形成する。
さらに、分割された下位２ビットＡ０；０−１，Ａ１；０−１，Ａ２；０−１，Ａ３；０−１，・・・・・に、８ビットの補助ビットｅ０，ｅ１，ｅ２，ｅ３，・・・・・を夫々加えて、１０ビット［Ａ０；０−１］＋ｅ０，［Ａ１；０−１］＋ｅ１，［Ａ２；０−１］＋ｅ２，［Ａ３；０−１］＋ｅ３，・・・・・とし、分割された上位１０ビットの列：Ａ０；２−１１，Ａ１；２−１１，Ａ２；２−１１，Ａ３；２−１１，・・・・・と１０ビットの列：［Ａ０；０−１］＋ｅ０，［Ａ１；０−１］＋ｅ１，［Ａ２；０−１］＋ｅ２，［Ａ３；０−１］＋ｅ３，・・・・・とをパラレル多重して、ワード伝送レートを７４．２５ＭＢｐｓとする２０ビットワード列データＤＶＤ１２ＣＢを、リンクＣ−２として、図７２に示される如くに形成する。
即ち、ワード伝送レートを７４．２５ＭＢｐｓとする４８ビットワード列データＤＶＤ１２Ｂを、各々がワード伝送レートを７４．２５ＭＢｐｓとする２０ビットワード列データＤＶＤ１２Ｂ１，ＤＶＤ１２Ｂ２及びＤＶＤ１２ＣＢの３系統のワード列データに変換するのである。
従って、ディジタルデータＤＶＸとして図６８に示される如くの状態で供給されるデータＤＶＤ１２＋ＤＫＤ１２を、各々がワード伝送レートを７４．２５ＭＢｐｓとする２０ビットワード列データＤＶＤ１２Ａ１，ＤＶＤ１２Ａ２，ＤＶＤ１２ＣＡ，ＤＶＤ１２Ｂ１，ＤＶＤ１２Ｂ２及びＤＶＤ１２ＣＢの６系統のワード列データに変換することになる。
データ処理部１９１は、上述の如くにして得たワード伝送レートを７４．２５ＭＢｐｓとする２０ビットワード列データＤＶＣ１２Ａ１，ＤＶＣ１２Ａ２，ＤＶＣ１２ＣＡ，ＤＶＣ１２Ｂ１，ＤＶＣ１２Ｂ２及びＤＶＣ１２ＣＢの組，ＤＶＣ１４Ａ１，ＤＶＣ１４Ａ２，ＤＶＣ１４ＣＡ，ＤＶＣ１４Ｂ１，ＤＶＣ１４Ｂ２及びＤＶＣ１４ＣＢの組，ＤＶＣ１６Ａ１，ＤＶＣ１６Ａ２，ＤＶＣ１６ＣＡ，ＤＶＣ１６Ｂ１，ＤＶＣ１６Ｂ２及びＤＶＣ１６ＣＢの組、及び、ＤＶＤ１２Ａ１，ＤＶＤ１２Ａ２，ＤＶＤ１２ＣＡ，ＤＶＤ１２Ｂ１，ＤＶＤ１２Ｂ２及びＤＶＤ１２ＣＢの組のいずれかを、２０ビットワード列データＤＰＡ１（２０），ＤＰＡ２（２０），ＤＰＣＡ（２０），ＤＰＢ１（２０），ＤＰＢ２（２０），ＤＰＣＢ（２０）の組として導出する。
データ処理部１９１から送出されるワード伝送レートを７４．２５ＭＢｐｓとする２０ビットワード列データＤＰＡ１（２０）は、データ挿入部１９２に供給される。データ挿入部１９２にあっては、２０ビットワード列データＤＰＡ１（２０）に、必要に応じたチャンネル識別データを含む補助データＤＡＡ１を挿入し、補助データＤＡＡ１が挿入された２０ビットワード列データＤＰＡ１’（２０）を形成する。データ挿入部１９２から得られる２０ビットワード列データＤＰＡ１’（２０）は、Ｐ／Ｓ変換部１９３に供給される。
Ｐ／Ｓ変換部１９３にあっては、２０ビットワード列データＤＰＡ１’（２０）にＰ／Ｓ変換を施して、２０ビットワード列データＤＰＡ１’（２０）に基づくビット伝送レートを７４．２５ＭＢｐｓ×２０＝１．４８５ＧｂｐｓとするシリアルデータＤＳＡ１を形成し、そのシリアルデータＤＳＡ１をＥ／Ｏ変換部１９４に供給する。
Ｅ／Ｏ変換部１９４においては、シリアルデータＤＳＡ１に電光変換処理を施し、シリアルデータＤＳＡ１に基づく、中心波長を、例えば、略１．３μｍとする光信号ＯＳＡ１を、ビット伝送レートを１．４８５Ｇｂｐｓとするものとして形成し、それを伝送信号として送出する。
また、データ処理部１９１から送出されるワード伝送レートを７４．２５ＭＢｐｓとする２０ビットワード列データＤＰＡ２（２０），ＤＰＣＡ（２０），ＤＰＢ１（２０），ＤＰＢ２（２０）及びＤＰＣＢ（２０）は、夫々、データ挿入部１９５，１９６，１９７，１９８及び１９９に供給される。データ挿入部１９５〜１９９にあっては、２０ビットワード列データＤＰＡ２（２０），ＤＰＣＡ（２０），ＤＰＢ１（２０），ＤＰＢ２（２０）及びＤＰＣＢ（２０）に、必要に応じたチャンネル識別データを含む補助データＤＡＡ２，ＤＡＣＡ，ＤＡＢ１，ＤＡＢ２及びＤＡＣＢを挿入し、補助データが挿入された２０ビットワード列データＤＰＡ２’（２０），ＤＰＣＡ’（２０），ＤＰＢ１’（２０），ＤＰＢ２’（２０）及びＤＰＣＢ’（２０）を形成する。データ挿入部１９５〜１９９から得られる２０ビットワード列データＤＰＡ２’（２０），ＤＰＣＡ’（２０），ＤＰＢ１’（２０），ＤＰＢ２’（２０）及びＤＰＣＢ’（２０）は、夫々、Ｐ／Ｓ変換部２００，２０１，２０２，２０３及び２０４に供給される。
Ｐ／Ｓ変換部２００〜２０４にあっては、２０ビットワード列データＤＰＡ２’（２０），ＤＰＣＡ’（２０），ＤＰＢ１’（２０），ＤＰＢ２’（２０）及びＤＰＣＢ’（２０）にＰ／Ｓ変換を施して、それらに基づくビット伝送レートを７４．２５ＭＢｐｓ×２０＝１．４８５ＧｂｐｓとするシリアルデータＤＳＡ２，ＤＳＣＡ，ＤＳＢ１，ＤＳＢ２及びＤＳＣＢを形成し、それらをＥ／Ｏ変換部２０５，２０６，２０７，２０８及び２０９に供給する。
Ｅ／Ｏ変換部２０５〜２０９においては、シリアルデータＤＳＡ２，ＤＳＣＡ，ＤＳＢ１，ＤＳＢ２及びＤＳＣＢに電光変換処理を施し、それらに基づく、中心波長を、例えば、略１．３μｍとする光信号ＯＳＡ２，ＯＳＣＡ，ＯＳＢ１，ＯＳＢ２及びＯＳＣＢを、各々がビット伝送レートを１．４８５Ｇｂｐｓとするものとして形成し、それを伝送信号として送出する。
斯かるもとで、Ｅ／Ｏ変換部１９４及び２０５〜２０９は、Ｐ／Ｓ変換部１９３及び２００〜２０４から夫々得られるシリアルデータＤＳＡ１，ＤＳＡ２，ＤＳＣＡ，ＤＳＢ１，ＤＳＢ２及びＤＳＣＢを伝送すべく送出するデータ送出部を形成している。
Ｅ／Ｏ変換部１９４から送出される伝送信号である光信号ＯＳＡ１は、光コネクタ２１０を通じて光ファイバー伝送路２１１に導かれ、光ファイバー伝送路２１１を通じて受信側へと伝送される。また、Ｅ／Ｏ変換部２０５〜２０９から送出される伝送信号である光信号ＯＳＡ２，ＯＳＣＡ，ＯＳＢ１，ＯＳＢ２及びＯＳＣＢは、夫々、光コネクタ２１２，２１３，２１４，２１５及び２１６を通じて光ファイバー伝送路２１７，２１８，２１９，２２０及び２２１に導かれ、光ファイバー伝送路２１７〜２２１を通じて受信側へと伝送される。光ファイバー伝送路２１１及び２１７〜２２１の夫々は、例えば、石英系ＳＭＦが用いられて形成される。
受信側においては、光ファイバー伝送路２１１を通じて伝送された光信号ＯＳＡ１が、光コネクタ２２５を通じてＯ／Ｅ変換部２２６へと導かれる。また、光ファイバー伝送路２１７〜２２１を通じて伝送された光信号ＯＳＡ２，ＯＳＣＡ，ＯＳＢ１，ＯＳＢ２及びＯＳＣＢが、夫々、光コネクタ２２７，２２８，２２９，２３０及び２３１を通じてＯ／Ｅ変換部２３２，２３３，２３４，２３５及び２３６へと導かれる。
Ｏ／Ｅ変換部２２６にあっては、中心波長を略１．３μｍとし、ビット伝送レートを１．４８５Ｇｂｐｓとする光信号ＯＳＡ１に光電変換処理を施して、光信号ＯＳＡ１に基づく、ビット伝送レートを１．４８５ＧｂｐｓとするシリアルデータＤＳＡ１を再生する。そして、再生されたシリアルデータＤＳＡ１は、Ｓ／Ｐ変換部２４０に供給される。Ｓ／Ｐ変換部２４０にあっては、シリアルデータＤＳＡ１にＳ／Ｐ変換を施して、シリアルデータＤＳＡ１に基づく、ワード伝送レートを７４．２５ＭＢｐｓとする２０ビットワード列データＤＰＡ１’（２０）を再生し、それをデータ時間差吸収部２４１に供給する。
また、Ｏ／Ｅ変換部２３２〜２３６にあっては、中心波長を略１．３μｍとし、ビット伝送レートを１．４８５Ｇｂｐｓとする光信号ＯＳＡ２，ＯＳＣＡ，ＯＳＢ１，ＯＳＢ２及びＯＳＣＢに光電変換処理を施して、それらに基づく、ビット伝送レートを１．４８５ＧｂｐｓとするシリアルデータＤＳＡ２，ＤＳＣＡ，ＤＳＢ１，ＤＳＢ２及びＤＳＣＢを再生する。そして、再生されたシリアルデータＤＳＡ２，ＤＳＣＡ，ＤＳＢ１，ＤＳＢ２及びＤＳＣＢは、夫々、Ｓ／Ｐ変換部２４２，２４３，２４４，２４５及び２４６に供給される。Ｓ／Ｐ変換部２４２〜２４６にあっては、シリアルデータＤＳＡ２，ＤＳＣＡ，ＤＳＢ１，ＤＳＢ２及びＤＳＣＢにＳ／Ｐ変換を施して、それらに基づく、ワード伝送レートを７４．２５ＭＢｐｓとする２０ビットワード列データＤＰＡ２’（２０），ＤＰＣＡ’（２０），ＤＰＢ１’（２０），ＤＰＢ２’（２０）及びＤＰＣＢ’（２０）を再生し、それらをデータ時間差吸収部２４１に供給する。
データ時間差吸収部２４１にあっては、Ｓ／Ｐ変換部２４０からの２０ビットワード列データＤＰＡ１’（２０）及びＳ／Ｐ変換部２４２〜２４６からの２０ビットワード列データＤＰＡ２’（２０），ＤＰＣＡ’（２０），ＤＰＢ１’（２０），ＤＰＢ２’（２０）及びＤＰＣＢ’（２０）の間に生じた相互時間差を吸収し、２０ビットワード列データＤＰＡ１’（２０）に基づくワード伝送レートを７４．２５ＭＢｐｓとする２０ビットワード列データＤＰＡ１Ｑ’（２０）、及び、２０ビットワード列データＤＰＡ２’（２０），ＤＰＣＡ’（２０），ＤＰＢ１’（２０），ＤＰＢ２’（２０）及びＤＰＣＢ’（２０）に夫々基づく、ワード伝送レートを７４．２５ＭＢｐｓとする２０ビットワード列データＤＰＡ２Ｑ’（２０），ＤＰＣＡＱ’（２０），ＤＰＢ１Ｑ’（２０），ＤＰＢ２Ｑ’（２０），ＤＰＣＢＱ’（２０）を、相互時間差が実質的に無い状態に維持されることが目指されるものとして送出する。
データ時間差吸収部２４１から得られる２０ビットワード列データＤＰＡ１Ｑ’（２０）は、データ分離部２４７に供給される。データ分離部２４７にあっては、２０ビットワード列データＤＰＡ１Ｑ’（２０）から、補助データＤＡＡ１が分離されて、２０ビットワード列データＤＰＡ１Ｑ（２０）と補助データＤＡＡ１とが個別に送出され、２０ビットワード列データＤＰＡ１Ｑ（２０）は、データ再生処理部２４８に供給される。
また，データ時間差吸収部２４１から得られる２０ビットワード列データＤＰＡ２Ｑ’（２０），ＤＰＣＡＱ’（２０），ＤＰＢ１Ｑ’（２０），ＤＰＢ２Ｑ’（２０）及びＤＰＣＢＱ’（２０）は、夫々、データ分離部２４９，２５０，２５１，２５２及び２５３に供給される。データ分離部２４９〜２５３にあっては、２０ビットワード列データＤＰＡ２Ｑ’（２０），ＤＰＣＡＱ’（２０），ＤＰＢ１Ｑ’（２０），ＤＰＢ２Ｑ’（２０）及びＤＰＣＢＱ’（２０）から、補助データＤＡＡ２，ＤＡＣＡ，ＤＡＢ１，ＤＡＢ２及びＤＡＣＢが分離されて、２０ビットワード列データＤＰＡ２Ｑ（２０），ＤＰＣＡＱ（２０），ＤＰＢ１Ｑ（２０），ＤＰＢ２Ｑ（２０）及びＤＰＣＢＱ（２０）と補助データＤＡＡ２，ＤＡＣＡ，ＤＡＢ１，ＤＡＢ２及びＤＡＣＢとが個別に送出され、２０ビットワード列データＤＰＡ２Ｑ（２０），ＤＰＣＡＱ（２０），ＤＰＢ１Ｑ（２０），ＤＰＢ２Ｑ（２０）及びＤＰＣＢＱ（２０）は、データ再生処理部２４８に供給される。
データ再生処理部２４８にあっては、２０ビットワード列データＤＰＡ１Ｑ（２０），ＤＰＡ２Ｑ（２０），ＤＰＣＡＱ（２０），ＤＰＢ１Ｑ（２０），ＤＰＢ２Ｑ（２０）及びＤＰＣＢＱ（２０）に対して、送信側におけるデータ処理部１９１によりディジタルデータＤＶＸに施されるデータ変換処理とは逆のデータ再生処理を施し、２０ビットワード列データＤＰＡ１Ｑ（２０），ＤＰＡ２Ｑ（２０），ＤＰＣＡＱ（２０），ＤＰＢ１Ｑ（２０），ＤＰＢ２Ｑ（２０）及びＤＰＣＢＱ（２０）に基づくディジタルデータＤＶＸを再生する。斯かるディジタルデータＤＶＸは、データＤＶＣ１２＋ＤＫＣ１２，ＤＶＣ１４＋ＤＫＣ１４，ＤＶＣ１６＋ＤＫＣ１６及びＤＶＤ１２＋ＤＫＤ１２のいずれかとされる。
なお、上述において、量子化ビット数を１２ビット以上とするディジタル映像信号を成すデータにおける、Ｙデータ系列を構成する１２ビット，１４ビットもしくは１６ビットワードの夫々から分割された上位１０ビットの列と、ＰＢ／ＰＲデータ系列を構成する１２ビット，１４ビットもしくは１６ビットワードの夫々から分割された上位１０ビットの列とが、パラレル多重されて形成される２０ビットワード列データＤＶＣ１２Ａ１，ＤＶＣ１２Ｂ１，ＤＶＣ１４Ａ１，ＤＶＣ１４Ｂ１，ＤＶＣ１６Ａ１及びＤＶＣ１６Ｂ１、さらには、Ｇデータ系列，Ｂデータ系列及びＲデータ系列の夫々を構成する１２ビットワードの各々から分割された上位１０ビットの列に基づいて形成される２０ビットワード列データＤＶＤ１２Ａ１及びＤＶＤ１２Ｂ１の夫々は、それらの各々が、例えば、現行のＨＤ用ＶＴＲによる記録及び再生を行うことが可能なものである。それゆえ、現行のＨＤ用ＶＴＲを使用して、２０ビットワード列データＤＶＣ１２Ａ１，ＤＶＣ１２Ｂ１，ＤＶＣ１４Ａ１，ＤＶＣ１４Ｂ１，ＤＶＣ１６Ａ１，ＤＶＣ１６Ｂ１，ＤＶＤ１２Ａ１，ＤＶＤ１２Ｂ１等の夫々の内容の確認，編集等を行うことができ、さらには、現行のＨＤ用ＶＴＲと映像モニターとを使用して、２０ビットワード列データＤＶＣ１２Ａ１，ＤＶＣ１２Ｂ１，ＤＶＣ１４Ａ１，ＤＶＣ１４Ｂ１，ＤＶＣ１６Ａ１，ＤＶＣ１６Ｂ１，ＤＶＤ１２Ａ１，ＤＶＤ１２Ｂ１等に基づく再生画像を得ることができ、それにより、量子化ビット数を１２ビット以上とするディジタル映像信号を成すデータを扱うに際して、現行の機器を用いての確認作業等を行うことができることになって、極めて都合がよい。
図７３及び図７４は、本発明に係るデータ伝送方法の第１４もしくは第１５の態様を成す例が実施される、本発明に係るデータ伝送装置の第１４もしくは第１５の態様を成す第１０の例を含んだデータ送受装置の部分を示す。
図７３及び図７４に部分が示されるデータ送受装置は、図６２及び図６３に示されるデータ送受装置と同様に構成される部分を多々有しており、図７３及び図７４には、図６２及び図６３に示されるデータ送受装置と異なる部分及びそれに関連する部分のみが示されている。
図７３及び図７４に部分が示されるデータ送受装置にあっては、図６２及び図６３に示されるデータ送受装置において備えられているＥ／Ｏ変換部１９４及び２０５〜２０９に代えて、Ｅ／Ｏ変換部２５５及び２５７〜２６１と合波部２５６とが備えられ、また、図６２及び図６３に示されるデータ送受装置において備えられているＯ／Ｅ変換部２２６及び２３２〜２３６に代えて、分波部２６５とＯ／Ｅ変換部２６６及び２６７〜２７１とが備えられ、さらに、図６２及び図６３に示されるデータ送受装置において備えられている光コネクタ２１０及び２１２〜２１６，光ファイバー伝送路２１１及び２１７〜２２１及び光コネクタ２２５及び２２７〜２３１に代えて、光コネクタ２６２，光ファイバー伝送路２６３及び光コネクタ２６４が備えられている。
斯かる図７３及び図７４に部分が示されるデータ送受装置においては、Ｐ／Ｓ変換部１９３からのビット伝送レートを１．４８５ＧｂｐｓとするシリアルデータＤＳＡ１がＥ／Ｏ変換部２５５に供給され、Ｐ／Ｓ変換部２００からのビット伝送レートを１．４８５ＧｂｐｓとするシリアルデータＤＳＡ２がＥ／Ｏ変換部２５７に供給され、Ｐ／Ｓ変換部２０１からのビット伝送レートを１．４８５ＧｂｐｓとするシリアルデータＤＳＣＡがＥ／Ｏ変換部２５８に供給され、Ｐ／Ｓ変換部２０２からのビット伝送レートを１．４８５ＧｂｐｓとするシリアルデータＤＳＢ１がＥ／Ｏ変換部２５９に供給され、Ｐ／Ｓ変換部２０３からのビット伝送レートを１．４８５ＧｂｐｓとするシリアルデータＤＳＢ２がＥ／Ｏ変換部２６０に供給され、さらに、Ｐ／Ｓ変換部２０４からのビット伝送レートを１．４８５ＧｂｐｓとするシリアルデータＤＳＣＢがＥ／Ｏ変換部２６１に供給される。
Ｅ／Ｏ変換部２５５においては、Ｐ／Ｓ変換部１９３からのビット伝送レートを１．４８５ＧｂｐｓとするシリアルデータＤＳＡ１に電光変換処理を施し、シリアルデータＤＳＡ１に基づく、中心波長を、例えば、略１．５１１μｍとする光信号ＯＳＡ１を、ビット伝送レートを１．４８５Ｇｂｐｓとするものとして形成し、それを合波部２５６へと導く。Ｅ／Ｏ変換部２５７においては、Ｐ／Ｓ変換部２００からのビット伝送レートを１．４８５ＧｂｐｓとするシリアルデータＤＳＡ２に電光変換処理を施し、シリアルデータＤＳＡ２に基づく、中心波長を、例えば、略１．５３１μｍとする光信号ＯＳＡ２を、ビット伝送レートを１．４８５Ｇｂｐｓとするものとして形成し、それを合波部２５６へと導く。Ｅ／Ｏ変換部２５８においては、Ｐ／Ｓ変換部２０１からのビット伝送レートを１．４８５ＧｂｐｓとするシリアルデータＤＳＣＡに電光変換処理を施し、シリアルデータＤＳＣＡに基づく、中心波長を、例えば、略１．５５１μｍとする光信号ＯＳＣＡを、ビット伝送レートを１．４８５Ｇｂｐｓとするものとして形成し、それを合波部２５６へと導く。
さらに、Ｅ／Ｏ変換部２５９においては、Ｐ／Ｓ変換部２０２からのビット伝送レートを１．４８５ＧｂｐｓとするシリアルデータＤＳＢ１に電光変換処理を施し、シリアルデータＤＳＢ１に基づく、中心波長を、例えば、略１．５７１μｍとする光信号ＯＳＢ１を、ビット伝送レートを１．４８５Ｇｂｐｓとするものとして形成し、それを合波部２５６へと導く。Ｅ／Ｏ変換部２６０においては、Ｐ／Ｓ変換部２０３からのビット伝送レートを１．４８５ＧｂｐｓとするシリアルデータＤＳＢ２に電光変換処理を施し、シリアルデータＤＳＢ２に基づく、中心波長を、例えば、略１．５９１μｍとする光信号ＯＳＢ２を、ビット伝送レートを１．４８５Ｇｂｐｓとするものとして形成し、それを合波部２５６へと導く。そして、Ｅ／Ｏ変換部２６１においては、Ｐ／Ｓ変換部２０４からのビット伝送レートを１．４８５ＧｂｐｓとするシリアルデータＤＳＣＢに電光変換処理を施し、シリアルデータＤＳＣＢに基づく、中心波長を、例えば、略１．６１１μｍとする光信号ＯＳＣＢを、ビット伝送レートを１．４８５Ｇｂｐｓとするものとして形成し、それを合波部２５６へと導く。
合波部２５６にあっては、中心波長を略１．５１１μｍとする光信号ＯＳＡ１と中心波長を略１．５３１μｍとする光信号ＯＳＡ２と中心波長を略１．５５１μｍとする光信号ＯＳＣＡと中心波長を略１．５７１μｍとする光信号ＯＳＢ１と中心波長を略１．５９１μｍとする光信号ＯＳＢ２と中心波長を略１．６１１μｍとする光信号ＯＳＣＢとを合波して多重化し、多重光信号ＯＺＺＺを形成して、それを伝送信号として送出する。斯かるもとで、Ｅ／Ｏ変換部２５５及び２５７〜２６１と合波部２５６とは、Ｐ／Ｓ変換部１９３及び２００〜２０４から夫々得られるシリアルデータＤＳＡ１，ＤＳＡ２，ＤＳＣＡ，ＤＳＢ１，ＤＳＢ２及びＤＳＣＢを伝送すべく送出するデータ送出部を形成している。
このようにして、合波部２５６において多重化される光信号ＯＳＡ１，ＯＳＡ２，ＯＳＣＡ，ＯＳＢ１，ＯＳＢ２及びＯＳＣＢは、それらの中心波長が略０．０２０μ（２０ｎｍ）ずつ隔たっているにすぎない、相互に極めて近接した波長を有するもとで多重化されて、多重光信号ＯＺＺＺを形成するものとされており、Ｅ／Ｏ変換部２５５及び２５７〜２６１と合波部２５６とを含む部分においては、Ｃｏａｓｅ  Ｗａｖｅｌｅｎｇｔｈ  Ｄｉｖｉｓｉｏｎ  Ｍｕｌｔｉ−ｐｌｅｘｉｎｇ（ＣＷＤＭ）と称される波長多重技術が用いられる。
合波部２５６から送出される伝送信号である多重光信号ＯＺＺＺは、光コネクタ２６２を通じて光ファイバー伝送路２６３に導かれ、光ファイバー伝送路２６３を通じて受信側へと伝送される。
受信側においては、光ファイバー伝送路２６３を通じて伝送された多重光信号ＯＺＺＺが、光コネクタ２６４を通じて分波部２６５へと導かれる。分波部２６５にあっては、多重光信号ＯＺＺＺを、中心波長を略１．５１１μｍとする成分と中心波長を略１．５３１μｍとする成分と中心波長を略１．５５１μｍとする成分と中心波長を略１．５７１μｍとする成分と中心波長を略１．５９１μｍとする成分と中心波長を略１．６１１μｍとする成分とに分波して、ビット伝送レートを１．４８５Ｇｂｐｓとし、中心波長を略１．５１１μｍとする光信号ＯＳＡ１と、ビット伝送レートを１．４８５Ｇｂｐｓとし、中心波長を略１．５３１μｍとする光信号ＯＳＡ２と、ビット伝送レートを１．４８５Ｇｂｐｓとし、中心波長を略１．５５１μｍとする光信号ＯＳＣＡと、ビット伝送レートを１．４８５Ｇｂｐｓとし、中心波長を略１．５７１μｍとする光信号ＯＳＢ１と、ビット伝送レートを１．４８５Ｇｂｐｓとし、とし、中心波長を略１．５９１μｍとする光信号ＯＳＢ２と、ビット伝送レートを１．４８５Ｇｂｐｓとし、中心波長を略１．６１１μｍとする光信号ＯＳＣＢと、を再生する。
分波部２６５により再生された光信号ＯＳＡ１，ＯＳＡ２，ＯＳＣＡ，ＯＳＢ１，ＯＳＢ２及びＯＳＣＢは、夫々、Ｏ／Ｅ変換部２６６〜２７１へと導かれる。Ｏ／Ｅ変換部２６６にあっては、中心波長を略１．５１１μｍとし、ビット伝送レートを１．４８５Ｇｂｐｓとする光信号ＯＳＡ１に光電変換処理を施して、光信号ＯＳＡ１に基づく、ビット伝送レートを１．４８５ＧｂｐｓとするシリアルデータＤＳＡ１を再生する。そして、再生されたシリアルデータＤＳＡ１は、Ｓ／Ｐ変換部２４０に供給される。Ｏ／Ｅ変換部２６７にあっては、中心波長を略１．５３１μｍとし、ビット伝送レートを１．４８５Ｇｂｐｓとする光信号ＯＳＡ２に光電変換処理を施して、光信号ＯＳＡ２に基づく、ビット伝送レートを１．４８５ＧｂｐｓとするシリアルデータＤＳＡ２を再生する。そして、再生されたシリアルデータＤＳＡ２は、Ｓ／Ｐ変換部２４２に供給される。Ｏ／Ｅ変換部２６８にあっては、中心波長を略１．５５１μｍとし、ビット伝送レートを１．４８５Ｇｂｐｓとする光信号ＯＳＣＡに光電変換処理を施して、光信号ＯＳＣＡに基づく、ビット伝送レートを１．４８５ＧｂｐｓとするシリアルデータＤＳＣＡを再生する。そして、再生されたシリアルデータＤＳＣＡは、Ｓ／Ｐ変換部２４３に供給される。Ｏ／Ｅ変換部２６９にあっては、中心波長を略１．５７１μｍとし、ビット伝送レートを１．４８５Ｇｂｐｓとする光信号ＯＳＢ１に光電変換処理を施して、光信号ＯＳＢ１に基づく、ビット伝送レートを１．４８５ＧｂｐｓとするシリアルデータＤＳＢ１を再生する。そして、再生されたシリアルデータＤＳＢ１は、Ｓ／Ｐ変換部２４４に供給される。Ｏ／Ｅ変換部２７０にあっては、中心波長を略１．５９１μｍとし、ビット伝送レートを１．４８５Ｇｂｐｓとする光信号ＯＳＢ２に光電変換処理を施して、光信号ＯＳＢ２に基づく、ビット伝送レートを１．４８５ＧｂｐｓとするシリアルデータＤＳＢ２を再生する。そして、再生されたシリアルデータＤＳＢ２は、Ｓ／Ｐ変換部２４５供給される。さらに、Ｏ／Ｅ変換部２７１にあっては、中心波長を略１．６１１μｍとし、ビット伝送レートを１．４８５Ｇｂｐｓとする光信号ＯＳＣＢに光電変換処理を施して、光信号ＯＳＣＢに基づく、ビット伝送レートを１．４８５ＧｂｐｓとするシリアルデータＤＳＣＢを再生する。そして、再生されたシリアルデータＤＳＣＢは、Ｓ／Ｐ変換部２４６供給される。その他の動作は、図６２及び図６３に示されるデータ送受装置の場合と同様である。
産業上の利用可能性
以上の説明から明らかな如く、本発明に係るデータ形成方法の第１もしくは第２の態様によれば、量子化ビット数を１２ビット，１４ビットもしくは１６ビットとするディジタルデータによって形成されるディジタル映像信号が得られ、斯かるディジタル映像信号を成すディジタルデータは、各有効ライン部についての禁止コードが上位８ビットを１６進表現で００ｈもしくはＦＦｈとする全ての１２ビットコード，１４ビットコードもしくは１６ビットコードとされることにより、各１２ビットワード，１４ビットワードもしくは１６ビットワードの上位８ビットもしくは上位１０ビットの連なりにより形成される８ビットワード列データもしくは１０ビットワード列データは、従前の量子化ビット数を８ビットもしくは１０ビットとするＨＤディジタル映像信号を成すディジタルデータとの互換性がとれていることになるので、例えば、従前の量子化ビット数を８ビットもしくは１０ビットとするＨＤディジタル映像信号を成すディジタルデータ用の機器を用いての記録・再生，編集，画像再生等の処理に供され得るものとなる。
本発明に係るデータ形成方法の第３の態様によれば、量子化ビット数を１２ビット，１４ビットもしくは１６ビットとするディジタルデータによって形成される７２０Ｐ信号が得られ、斯かる７２０Ｐ信号を成すディジタルデータは、各有効ライン部についての禁止コードが上位８ビットを１６進表現で００ｈもしくはＦＦｈとする全ての１２ビットコード，１４ビットコードもしくは１６ビットコードとされることにより、各１２ビットワード，１４ビットワードもしくは１６ビットワードの上位８ビットもしくは上位１０ビットの連なりにより形成される８ビットワード列データもしくは１０ビットワード列データは、従前の量子化ビット数を８ビットもしくは１０ビットとする７２０Ｐ信号を成すディジタルデータとの互換性がとれていることになるので、例えば、従前の量子化ビット数を８ビットもしくは１０ビットとする７２０Ｐ信号を成すディジタルデータ用の機器を用いての記録・再生，編集，画像再生等の処理に供され得るものとなる。
また、本発明に係るデータ伝送方法の第１から第４までのいずれかの態様、あるいは、本発明に係るデータ伝送装置の第１から第４までのいずれかの態様によれば、量子化ビット数を１２ビット，１４ビットもしくは１６ビットとするディジタル映像信号を成すディジタルデータのシリアル伝送を、例えば、従前の量子化ビット数を８ビットもしくは１０ビットとするＨＤディジタル映像信号を成すディジタルデータのシリアル伝送に用いられる回路構成要素を利用して、適切に行うことができる。
本発明に係るデータ伝送方法の第５もしくは第６の態様、あるいは、本発明に係るデータ伝送装置の第５もしくは第６の態様によれば、量子化ビット数を１２ビット，１４ビットもしくは１６ビットとする７２０Ｐ信号を成すディジタルデータのシリアル伝送を、例えば、従前の量子化ビット数を８ビットもしくは１０ビットとするＨＤディジタル映像信号を成すディジタルデータのシリアル伝送に用いられる回路構成要素を利用して、適切に行うことができる。
本発明に係るデータ伝送方法の第７から第１５までのいずれかの態様、あるいは、本発明に係るデータ伝送装置の第７から第１５までのいずれかの態様によれば、量子化ビット数を１０ビット以上とするディジタル映像信号を成すディジタルデータとそれに関連するＫｅｙ信号データ系列との伝送を、Ｋｅｙ信号データ系列を伝送されるディジタル映像信号を成すディジタルデータに付随する付加情報データ系列とした状態で行うことができ、しかも、その伝送を、例えば、量子化ビット数を１０ビットとするディジタル映像信号を成すディジタルデータのシリアル伝送に用いられる現存する回路構成要素を利用して、適切に実現することができる。
本発明に係るデータ伝送方法の第１６から第２０までのいずれかの態様、あるいは、本発明に係るデータ伝送装置の第１６から第２０までのいずれかの態様によれば、量子化ビット数を１０ビット以上、例えば、１０ビット，１２ビット，１４ビットもしくは１６ビットとする７２０Ｐ信号を成すディジタルデータとそれに関連するＫｅｙ信号データ系列との伝送を、Ｋｅｙ信号データ系列を伝送される７２０Ｐ信号を成すディジタルデータに付随する付加情報データ系列とした状態で行うことができ、しかも、その伝送を、例えば、量子化ビット数を１０ビットとするディジタル映像信号を成すディジタルデータのシリアル伝送に用いられる現存する回路構成要素を利用して、適切に実現することができる。
【図面の簡単な説明】
図１は、ＨＤディジタル映像信号のデータフォーマットの一例の説明に供される概念図である。
図２は、ＨＤディジタル映像信号のデータフォーマットの一例の説明に供される概念図である。
図３は、本発明に係るデータ形成方法の第１もしくは第２の態様を成す第１の例により形成されるディジタル映像信号を成すディジタルデータの一例のデータフォーマットを示す概念図である。
図４は、本発明に係るデータ形成方法の例により形成されるディジタル映像信号を成すディジタルデータにおける禁止コードの説明に供される表図である。
図５は、本発明に係るデータ形成方法の第１もしくは第２の態様を成す第２の例により形成されるディジタル映像信号を成すディジタルデータの一例のデータフォーマットを示す概念図である。
図６〜図８は、本発明に係るデータ形成方法の第１の例及び第２の例により形成されるディジタル映像信号を成すディジタルデータの説明に供される表図である。
図９は、本発明に係るデータ形成方法の第３の態様を成す第３の例により形成される７２０Ｐ信号を成すディジタルデータの一例のデータフォーマットを示す概念図である。
図１０は、本発明に係るデータ形成方法の第３の態様を成す第４の例により形成されるディジタル映像信号を成すディジタルデータの一例のデータフォーマットを示す概念図である。
図１１は、本発明に係るデータ形成方法の第３の例及び第４の例により形成されるディジタル映像信号を成すディジタルデータの説明に供される表図である。
図１２は、本発明に係るデータ伝送方法の第１，第２，第５〜第９及び第１６〜第１８の態様を成す例が実施される、本発明に係るデータ伝送装置の第１，第２，第５〜第９及び第１６〜第１８の態様を成す第１の例を含んだデータ送受装置を示すブロック接続図である。
図１３〜図２５は、図１２に示されるデータ送受装置におけるデータ処理部の動作説明に供されるデータをあらわす概念図である。
図２６は、本発明に係るデータ伝送方法の第１，第２，第５〜第９及び第１６〜第１８のいずれかの態様を成す例が実施される、本発明に係るデータ伝送装置の第１，第２，第５〜第９及び第１６〜第１８のいずれかの態様を成す第２の例を含んだデータ送受装置の部分を示すブロック接続図である。
図２７は、本発明に係るデータ伝送方法の第１，第２，第５〜第９及び第１６〜第１８のいずれかの態様を成す例が実施される、本発明に係るデータ伝送装置の第１，第２，第５〜第９及び第１６〜第１８のいずれかの態様を成す第３の例を含んだデータ送受装置の部分を示すブロック接続図である。
図２８は、本発明に係るデータ伝送方法の第１０〜第１２，第１９及び第２０のいずれかの態様を成す例が実施される、本発明に係るデータ伝送装置の第１０〜第１２，第１９及び第２０のいずれかの態様を成す第４の例を含んだデータ送受装置を示すブロック接続図である。
図２９〜図３５は、図２８に示されるデータ送受装置におけるデータ処理部の動作説明に供されるデータをあらわす概念図である。
図３６は、本発明に係るデータ伝送方法の第１０〜第１２，第１９及び第２０のいずれかの態様を成す例が実施される、本発明に係るデータ伝送装置の第１０〜第１２，第１９及び第２０のいずれかの態様を成す第５の例を含んだデータ送受装置の部分を示すブロック接続図である。
図３７は、本発明に係るデータ伝送方法の第１０〜第１２，第１９及び第２０のいずれかの態様を成す例が実施される、本発明に係るデータ伝送装置の第１０〜第１２，第１９及び第２０のいずれかの態様を成す第６の例を含んだデータ送受装置の部分を示すブロック接続図である。
図３８及び図３９は、本発明に係るデータ伝送方法の第３，第４及び第１３のいずれかの態様を成す例が実施される、本発明に係るデータ伝送装置の第３，第４及び第１３のいずれかの態様を成す第７の例を含んだデータ送受装置を示すブロック接続図である。
図４０〜図６０は、図３８及び図３９に示されるデータ送受装置におけるデータ処理部の動作説明に供されるデータをあらわす概念図である。
図６１は、本発明に係るデータ伝送方法の第３，第４及び第１３のいずれかの態様を成す例が実施される、本発明に係るデータ伝送装置の第３，第４及び第１３のいずれかの態様を成す第８の例を含んだデータ送受装置の部分を示すブロック接続図である。
図６２及び図６３は、本発明に係るデータ伝送方法の第１４もしくは第１５の態様を成す例が実施される、本発明に係るデータ伝送装置の第１４もしくは第１５の態様を成す第９の例を含んだデータ送受装置を示すブロック接続図である。
図６４〜図７２は、図６２及び図６３に示されるデータ送受装置におけるデータ処理部の動作説明に供されるデータをあらわす概念図である。
図７３及び図７４は、本発明に係るデータ伝送方法の第１４もしくは第１５の態様を成す例が実施される、本発明に係るデータ伝送装置の第１４もしくは第１５の態様を成す第１０の例を含んだデータ送受装置の部分を示すブロック接続図である。
【図１】
2002062071.tif 000003
【図２】
2002062071.tif 000004
【図３】
2002062071.tif 000005
【図４】
2002062071.tif 000006
【図５】
2002062071.tif 000007
【図６】
2002062071.tif 000008
【図７】
2002062071.tif 000009
【図８】
2002062071.tif 000010
【図９】
2002062071.tif 000011
【図１０】
2002062071.tif 000012
【図１１】
2002062071.tif 000013
【図１２】
2002062071.tif 000014
【図１３】
2002062071.tif 000015
【図１４】
2002062071.tif 000016
【図１５】
2002062071.tif 000017
【図１６】
2002062071.tif 000018
【図１７】
2002062071.tif 000019
【図１８】
2002062071.tif 000020
【図１９】
2002062071.tif 000021
【図２０】
2002062071.tif 000022
【図２１】
2002062071.tif 000023
【図２２】
2002062071.tif 000024
【図２３】
2002062071.tif 000025
【図２４】
2002062071.tif 000026
【図２５】
2002062071.tif 000027
【図２６】
2002062071.tif 000028
【図２７】
2002062071.tif 000029
【図２８】
2002062071.tif 000030
【図２９】
2002062071.tif 000031
【図３０】
2002062071.tif 000032
【図３１】
2002062071.tif 000033
【図３２】
2002062071.tif 000034
【図３３】
2002062071.tif 000035
【図３４】
2002062071.tif 000036
【図３５】
2002062071.tif 000037
【図３６】
2002062071.tif 000038
【図３７】
2002062071.tif 000039
【図３８】
2002062071.tif 000040
【図３９】
2002062071.tif 000041
【図４０】
2002062071.tif 000042
【図４１】
2002062071.tif 000043
【図４２】
2002062071.tif 000044
【図４３】
2002062071.tif 000045
【図４４】
2002062071.tif 000046
【図４５】
2002062071.tif 000047
【図４６】
2002062071.tif 000048
【図４７】
2002062071.tif 000049
【図４８】
2002062071.tif 000050
【図４９】
2002062071.tif 000051
【図５０】
2002062071.tif 000052
【図５１】
2002062071.tif 000053
【図５２】
2002062071.tif 000054
【図５３】
2002062071.tif 000055
【図５４】
2002062071.tif 000056
【図５５】
2002062071.tif 000057
【図５６】
2002062071.tif 000058
【図５７】
2002062071.tif 000059
【図５８】
2002062071.tif 000060
【図５９】
2002062071.tif 000061
【図６０】
2002062071.tif 000062
【図６１】
2002062071.tif 000063
【図６２】
2002062071.tif 000064
【図６３】
2002062071.tif 000065
【図６４】
2002062071.tif 000066
【図６５】
2002062071.tif 000067
【図６６】
2002062071.tif 000068
【図６７】
2002062071.tif 000069
【図６８】
2002062071.tif 000070
【図６９】
2002062071.tif 000071
【図７０】
2002062071.tif 000072
【図７１】
2002062071.tif 000073
【図７２】
2002062071.tif 000074
【図７３】
2002062071.tif 000075
【図７４】
2002062071.tif 000076
【国際調査報告】
2002062071.tif 000077
2002062071.tif 000078
2002062071.tif 000079
2002062071.tif 000080